(57)【要約】【課題】サービス継続性保証方法、制御プレーンゲートウェイ、およびモビリティ管理ネットワーク要素を提供すること。【解決手段】方法は、C−GWにより、モビリティ管理ネットワーク要素によって送信されたUEの現在位置情報を受信するステップと、C−GWにより、UEの現在位置情報に従ってUE用の少なくとも1つの転送D−GWを選択するステップと、C−GWにより、UEのために、UEのソースD−GWと転送D−GWとの間のデータ転送トンネル、および転送D−GWとUEのターゲット基地局との間のデータ転送トンネルを確立するステップであって、データ転送トンネルが、UEの移動プロセスにおいて、UEのアップリンクユーザプレーンデータおよび／またはダウンリンクユーザプレーンデータを送信するために使用される、ステップとを含む。【選択図】図２
2020061766.tif 000002
【特許請求の範囲】
【請求項１】
サービス継続性保証方法であって、
制御プレーンゲートウェイにより、モビリティ管理ネットワーク要素からユーザ機器の現在位置情報を受信するステップと、
前記制御プレーンゲートウェイにより、前記ユーザ機器の前記現在位置情報に従って前記ユーザ機器用の少なくとも1つの転送ユーザプレーンゲートウェイを選択するステップと、
前記制御プレーンゲートウェイにより、前記ユーザ機器のために、前記ユーザ機器に奉仕するソースユーザプレーンゲートウェイと前記転送ユーザプレーンゲートウェイとの間のデータ転送トンネル、および前記転送ユーザプレーンゲートウェイと前記ユーザ機器に奉仕するターゲット基地局との間のデータ転送トンネルを確立するステップであって、前記データ転送トンネルが、前記ユーザ機器の移動プロセスにおいて、前記ユーザ機器のアップリンクユーザプレーンデータおよび／またはダウンリンクユーザプレーンデータを送信するために使用される、ステップと
を備える、方法。
【請求項２】
前記少なくとも1つの転送ユーザプレーンゲートウェイが第1のユーザプレーンゲートウェイであり、前記制御プレーンゲートウェイが、前記ユーザ機器が現在位置領域に移動した後に使用されるサービング制御プレーンゲートウェイであり、前記制御プレーンゲートウェイが、前記ユーザ機器が前記現在位置領域に移動する前に使用されたサービング制御プレーンゲートウェイと同じであり、前記モビリティ管理ネットワーク要素が、前記ユーザ機器が前記現在位置領域に移動した後に使用されるサービングモビリティ管理ネットワーク要素であり、
前記制御プレーンゲートウェイにより、前記ユーザ機器のために、前記ユーザ機器に奉仕するソースユーザプレーンゲートウェイと前記転送ユーザプレーンゲートウェイとの間のデータ転送トンネル、および前記転送ユーザプレーンゲートウェイと前記ユーザ機器に奉仕するターゲット基地局との間のデータ転送トンネルを確立する前記ステップが、
前記制御プレーンゲートウェイにより、前記モビリティ管理ネットワーク要素から第1の要求を受信するステップであって、前記第1の要求が前記ターゲット基地局のルーティング情報を搬送する、ステップと、
前記制御プレーンゲートウェイにより、前記第1のユーザプレーンゲートウェイに第2の要求を送信するステップであって、前記第2の要求が、前記第1のユーザプレーンゲートウェイと前記ターゲット基地局との間の前記データ転送トンネル、および前記第1のユーザプレーンゲートウェイと前記ソースユーザプレーンゲートウェイとの間の前記データ転送トンネルを確立するように、前記第1のユーザプレーンゲートウェイに要求するために使用され、前記第2の要求が、前記ターゲット基地局の前記ルーティング情報および前記ソースユーザプレーンゲートウェイのルーティング情報を搬送する、ステップと
前記制御プレーンゲートウェイにより、前記ソースユーザプレーンゲートウェイに第3の要求を送信するステップであって、前記第3の要求が、前記ソースユーザプレーンゲートウェイと前記第1のユーザプレーンゲートウェイとの間の前記データ転送トンネルを確立するように、前記ソースユーザプレーンゲートウェイに要求するために使用され、前記第3の要求が、前記第1のユーザプレーンゲートウェイのルーティング情報を搬送する、ステップと
を備える、請求項1に記載の方法。
【請求項３】
前記少なくとも1つの転送ユーザプレーンゲートウェイが第2のユーザプレーンゲートウェイおよび第3のユーザプレーンゲートウェイを備え、前記制御プレーンゲートウェイが、前記ユーザ機器が現在位置領域に移動した後に使用されるサービング制御プレーンゲートウェイであり、前記制御プレーンゲートウェイが、前記ユーザ機器が前記現在位置領域
に移動する前に使用されたサービング制御プレーンゲートウェイと同じであり、前記モビリティ管理ネットワーク要素が、前記ユーザ機器が前記現在位置領域に移動した後に使用されるサービングモビリティ管理ネットワーク要素であり、
前記制御プレーンゲートウェイにより、前記ユーザ機器のために、前記ユーザ機器に奉仕するソースユーザプレーンゲートウェイと前記転送ユーザプレーンゲートウェイとの間のデータ転送トンネル、および前記転送ユーザプレーンゲートウェイと前記ユーザ機器に奉仕するターゲット基地局との間のデータ転送トンネルを確立する前記ステップが、
前記制御プレーンゲートウェイにより、前記モビリティ管理ネットワーク要素から第1の要求を受信するステップであって、前記第1の要求が前記ユーザ機器の前記ターゲット基地局のルーティング情報を搬送する、ステップと、
前記制御プレーンゲートウェイにより、前記第2のユーザプレーンゲートウェイに第2の要求を送信するステップであって、前記第2の要求が、前記第2のユーザプレーンゲートウェイと前記ターゲット基地局との間のデータ転送トンネル、および前記第2のユーザプレーンゲートウェイと前記第3のユーザプレーンゲートウェイとの間のデータ転送トンネルを確立するように、前記第2のユーザプレーンゲートウェイに要求するために使用され、前記第2の要求が、前記ターゲット基地局の前記ルーティング情報および前記第3のユーザプレーンゲートウェイのルーティング情報を搬送する、ステップと、
前記制御プレーンゲートウェイにより、前記第3のユーザプレーンゲートウェイに第3の要求を送信するステップであって、前記第3の要求が、前記第3のユーザプレーンゲートウェイと前記第2のユーザプレーンゲートウェイとの間の前記データ転送トンネル、および前記第3のユーザプレーンゲートウェイと前記ソースユーザプレーンゲートウェイとの間のデータ転送トンネルを確立するように、前記第3のユーザプレーンゲートウェイに要求するために使用され、前記第3の要求が、前記第2のユーザプレーンゲートウェイのルーティング情報および前記ソースユーザプレーンゲートウェイのルーティング情報を搬送する、ステップと、
前記制御プレーンゲートウェイにより、前記ソースユーザプレーンゲートウェイに第4の要求を送信するステップであって、前記第4の要求が、前記ソースユーザプレーンゲートウェイと前記第3のユーザプレーンゲートウェイとの間の前記データ転送トンネルを確立するように、前記ソースユーザプレーンゲートウェイに要求するために使用され、前記第4の要求が、前記第3のユーザプレーンゲートウェイの前記ルーティング情報を搬送する、ステップと
を備える、請求項1に記載の方法。
【請求項４】
前記少なくとも1つの転送ユーザプレーンゲートウェイが第1のユーザプレーンゲートウェイであり、前記制御プレーンゲートウェイが、前記ユーザ機器が現在位置領域に移動した後に使用されるサービング制御プレーンゲートウェイであり、前記制御プレーンゲートウェイが、前記ユーザ機器が前記現在位置領域に移動する前に使用されたサービング制御プレーンゲートウェイとは異なり、前記モビリティ管理ネットワーク要素が、前記ユーザ機器が前記現在位置領域に移動した後に使用されるサービングモビリティ管理ネットワーク要素であり、
前記方法が、前記制御プレーンゲートウェイにより、前記モビリティ管理ネットワーク要素から前記ソースユーザプレーンゲートウェイのルーティング情報をさらに受信するステップをさらに備え、
前記制御プレーンゲートウェイにより、前記ユーザ機器のために、前記ユーザ機器に奉仕するソースユーザプレーンゲートウェイと前記転送ユーザプレーンゲートウェイとの間のデータ転送トンネル、および前記転送ユーザプレーンゲートウェイと前記ユーザ機器のターゲット基地局との間のデータ転送トンネルを確立する前記ステップが、
前記制御プレーンゲートウェイにより、前記モビリティ管理ネットワーク要素から第1の要求を受信するステップであって、前記第1の要求が前記ターゲット基地局のルーティング情報を搬送する、ステップと、
前記制御プレーンゲートウェイにより、前記第1のユーザプレーンゲートウェイに第2の要求を送信するステップであって、前記第2の要求が、前記第1のユーザプレーンゲートウェイと前記ターゲット基地局との間の前記データ転送トンネル、および前記第1のユーザプレーンゲートウェイと前記ソースユーザプレーンゲートウェイとの間の前記データ転送トンネルを確立するように、前記第1のユーザプレーンゲートウェイに要求するために使用され、前記第2の要求が、前記ターゲット基地局の前記ルーティング情報および前記ソースユーザプレーンゲートウェイの前記ルーティング情報を搬送する、ステップと
を備える、請求項1に記載の方法。
【請求項５】
前記少なくとも1つの転送ユーザプレーンゲートウェイが第2のユーザプレーンゲートウェイおよび第3のユーザプレーンゲートウェイを備え、前記制御プレーンゲートウェイが、前記ユーザ機器が現在位置領域に移動した後に使用されるサービング制御プレーンゲートウェイであり、前記制御プレーンゲートウェイが、前記ユーザ機器が前記現在位置領域に移動する前に使用されたサービング制御プレーンゲートウェイとは異なり、前記モビリティ管理ネットワーク要素が、前記ユーザ機器が前記現在位置領域に移動した後に使用されるサービングモビリティ管理ネットワーク要素であり、
前記方法が、前記制御プレーンゲートウェイにより、前記モビリティ管理ネットワーク要素から前記ソースユーザプレーンゲートウェイのルーティング情報をさらに受信するステップをさらに備え、
前記制御プレーンゲートウェイにより、前記ユーザ機器のために、前記ユーザ機器に奉仕するソースユーザプレーンゲートウェイと前記転送ユーザプレーンゲートウェイとの間のデータ転送トンネル、および前記転送ユーザプレーンゲートウェイと前記ユーザ機器に奉仕するターゲット基地局との間のデータ転送トンネルを確立する前記ステップが、
前記制御プレーンゲートウェイにより、前記モビリティ管理ネットワーク要素から第1の要求を受信するステップであって、前記第1の要求が前記ターゲット基地局のルーティング情報を搬送する、ステップと、
前記制御プレーンゲートウェイにより、前記第2のユーザプレーンゲートウェイに第2の要求を送信するステップであって、前記第2の要求が、前記第2のユーザプレーンゲートウェイと前記ターゲット基地局との間のデータ転送トンネル、および前記第2のユーザプレーンゲートウェイと前記第3のユーザプレーンゲートウェイとの間のデータ転送トンネルを確立するように、前記第2のユーザプレーンゲートウェイに要求するために使用され、前記第2の要求が、前記ターゲット基地局の前記ルーティング情報および前記第3のユーザプレーンゲートウェイのルーティング情報を搬送する、ステップと、
前記制御プレーンゲートウェイにより、前記第3のユーザプレーンゲートウェイに第3の要求を送信するステップであって、前記第3の要求が、前記第3のユーザプレーンゲートウェイと前記第2のユーザプレーンゲートウェイとの間の前記データ転送トンネル、および前記第3のユーザプレーンゲートウェイと前記ソースユーザプレーンゲートウェイとの間のデータ転送トンネルを確立するように、前記第3のユーザプレーンゲートウェイに要求するために使用され、前記第3の要求が、前記第2のユーザプレーンゲートウェイのルーティング情報および前記ソースユーザプレーンゲートウェイの前記ルーティング情報を搬送する、ステップと
を備える、請求項1に記載の方法。
【請求項６】
前記制御プレーンゲートウェイにより、ターゲットユーザプレーンゲートウェイにセッション作成要求を送信するステップであって、前記セッション作成要求が、前記ユーザ機器用の前記ターゲットユーザプレーンゲートウェイ上に、ユーザプレーンデータ伝送用のベアラコンテキストを作成するために使用され、各々の作成されたベアラコンテキストが前記ターゲットユーザプレーンゲートウェイのルーティング情報を備え、前記ターゲットユーザプレーンゲートウェイが前記ユーザ機器の現在位置領域に対応するサービングユーザプレーンゲートウェイである、ステップ
をさらに備える、請求項1から5のいずれか一項に記載の方法。
【請求項７】
前記制御プレーンゲートウェイにより、前記モビリティ管理ネットワーク要素を介して前記ターゲット基地局に前記ターゲットユーザプレーンゲートウェイの前記ルーティング情報を送信するステップ
をさらに備える、請求項6に記載の方法。
【請求項８】
前記制御プレーンゲートウェイにより、前記モビリティ管理ネットワーク要素を介して前記ターゲット基地局に前記第1のユーザプレーンゲートウェイの前記ルーティング情報を送信するステップ
をさらに備える、請求項2または4に記載の方法。
【請求項９】
前記第1のユーザプレーンゲートウェイが、前記ユーザ機器の前記現在位置情報に従って、前記ユーザ機器用の前記制御プレーンゲートウェイによって選択されたサービングユーザプレーンゲートウェイである、
請求項2、4、または8に記載の方法。
【請求項１０】
前記制御プレーンゲートウェイにより、前記モビリティ管理ネットワーク要素を介して前記ターゲット基地局に前記第2のユーザプレーンゲートウェイの前記ルーティング情報を送信するステップ
をさらに備える、請求項3または5に記載の方法。
【請求項１１】
サービス継続性保証方法であって、
ターゲットモビリティ管理ネットワーク要素により、ユーザ機器に奉仕するソースモビリティ管理ネットワーク要素から転送再配置要求を受信するステップであって、前記転送再配置要求が前記ユーザ機器の現在位置情報を搬送する、ステップと、
前記ターゲットモビリティ管理ネットワーク要素により、前記ユーザ機器の前記現在位置情報に従って前記ユーザ機器のターゲット制御プレーンゲートウェイを選択するステップと、
前記ターゲットモビリティ管理ネットワーク要素により、前記ターゲット制御プレーンゲートウェイに前記ユーザ機器の前記現在位置情報を送信するステップであって、その結果、前記ターゲット制御プレーンゲートウェイが、前記ユーザ機器の前記現在位置情報に従って前記ユーザ機器の転送ユーザプレーンゲートウェイを決定する、ステップと、
前記ターゲットモビリティ管理ネットワーク要素により、前記ターゲット制御プレーンゲートウェイにデータ転送トンネル確立要求を送信するステップであって、前記データ転送トンネル確立要求が、前記ユーザ機器のために、前記転送ユーザプレーンゲートウェイと前記ユーザ機器に奉仕するソースユーザプレーンゲートウェイとの間のデータ転送トンネル、および前記転送ユーザプレーンゲートウェイと前記ユーザ機器に奉仕するターゲット基地局との間のデータ転送トンネルを確立するように、前記ターゲット制御プレーンゲートウェイに要求するために使用される、ステップと
を備える、方法。
【請求項１２】
前記ターゲット制御プレーンゲートウェイが、前記ユーザ機器が現在位置領域に移動する前に使用されたサービング制御プレーンゲートウェイとは異なり、前記方法が、
前記ターゲットモビリティ管理ネットワーク要素により、前記ソースモビリティ管理ネットワーク要素に変更通知メッセージを送信するステップであって、前記変更通知メッセージが、前記ユーザ機器のサービング制御プレーンゲートウェイが前記ターゲット制御プレーンゲートウェイに変わったことを示すために使用される、ステップ
をさらに備える、請求項11に記載の方法。
【請求項１３】
前記ターゲットモビリティ管理ネットワーク要素により、前記変更通知メッセージに従って前記ソースモビリティ管理ネットワーク要素から確認応答メッセージを受信するステップであって、前記確認応答メッセージが前記ソースユーザプレーンゲートウェイのルーティング情報を搬送する、ステップ
をさらに備える、請求項12に記載の方法。
【請求項１４】
サービス継続性保証方法であって、
制御プレーンゲートウェイにより、モビリティ管理ネットワーク要素からユーザ機器の現在位置情報を受信するステップと、
前記制御プレーンゲートウェイにより、前記ユーザ機器の前記現在位置情報に従って前記ユーザ機器用のターゲットユーザプレーンゲートウェイを選択するステップと、
前記制御プレーンゲートウェイにより、前記モビリティ管理ネットワーク要素に要求メッセージを送信するステップであって、前記要求メッセージが、第1のベアラコンテキストを解放し、第2のベアラコンテキストに対するセットアップ要求を送信することを前記ユーザ機器に示すように、前記モビリティ管理ネットワーク要素に要求するために使用され、前記第1のベアラコンテキストが前記ユーザ機器のソースユーザプレーンゲートウェイ上に確立された前記ユーザ機器のベアラコンテキストであり、前記第2のベアラコンテキストが前記第1のベアラコンテキストに従って前記ターゲットユーザプレーンゲートウェイ上に前記ユーザ機器によって再確立されるベアラコンテキストである、ステップと
を備える、方法。
【請求項１５】
前記要求メッセージがベアラ削除要求メッセージであり、前記ベアラ削除要求メッセージが再アクティブ化要求指示を搬送し、前記再アクティブ化要求指示が、前記モビリティ管理ネットワーク要素を使用することにより、前記第1のベアラコンテキストが削除された後、前記第2のベアラコンテキストに対する前記セットアップ要求を開始するように前記ユーザ機器に示すために使用される、
請求項14に記載の方法。
【請求項１６】
制御プレーンゲートウェイであって、
モビリティ管理ネットワーク要素からユーザ機器の現在位置情報を受信するように構成された受信ユニットと、
前記ユーザ機器の前記現在位置情報に従って前記ユーザ機器用の少なくとも1つの転送ユーザプレーンゲートウェイを選択するように構成された選択ユニットと、
前記ユーザ機器のために、前記ユーザ機器に奉仕するソースユーザプレーンゲートウェイと前記転送ユーザプレーンゲートウェイとの間のデータ転送トンネル、および前記転送ユーザプレーンゲートウェイと前記ユーザ機器に奉仕するターゲット基地局との間のデータ転送トンネルを確立するように構成されたトンネル確立ユニットであって、前記データ転送トンネルが、前記ユーザ機器の移動プロセスにおいて、前記ユーザ機器のアップリンクユーザプレーンデータおよび／またはダウンリンクユーザプレーンデータを送信するために使用される、トンネル確立ユニットと
を備える、制御プレーンゲートウェイ。
【請求項１７】
前記少なくとも1つの転送ユーザプレーンゲートウェイが第1のユーザプレーンゲートウェイであり、前記制御プレーンゲートウェイが、前記ユーザ機器が現在位置領域に移動した後に使用されるサービング制御プレーンゲートウェイであり、前記制御プレーンゲートウェイが、前記ユーザ機器が前記現在位置領域に移動する前に使用されたサービング制御プレーンゲートウェイと同じであり、前記モビリティ管理ネットワーク要素が、前記ユーザ機器が前記現在位置領域に移動した後に使用されるサービングモビリティ管理ネットワーク要素であり、
前記受信ユニットが、前記モビリティ管理ネットワーク要素から第1の要求を受信する
ようにさらに構成され、前記第1の要求が前記ターゲット基地局のルーティング情報を搬送し、
前記制御プレーンゲートウェイが送信ユニットをさらに備え、前記トンネル確立ユニットが、具体的に、
前記送信ユニットを使用することにより、前記第1のユーザプレーンゲートウェイに第2の要求を送信し、前記送信ユニットを使用することにより、前記ソースユーザプレーンゲートウェイに第3の要求を送信するように構成され、前記第2の要求が、前記第1のユーザプレーンゲートウェイと前記ターゲット基地局との間の前記データ転送トンネル、および前記第1のユーザプレーンゲートウェイと前記ソースユーザプレーンゲートウェイとの間の前記データ転送トンネルを確立するように、前記第1のユーザプレーンゲートウェイに要求するために使用され、前記第2の要求が、前記ターゲット基地局の前記ルーティング情報および前記ソースユーザプレーンゲートウェイのルーティング情報を搬送し、前記第3の要求が、前記ソースユーザプレーンゲートウェイと前記第1のユーザプレーンゲートウェイとの間の前記データ転送トンネルを確立するように、前記ソースユーザプレーンゲートウェイに要求するために使用され、前記第3の要求が、前記第1のユーザプレーンゲートウェイのルーティング情報を搬送する、
請求項16に記載の制御プレーンゲートウェイ。
【請求項１８】
前記少なくとも1つの転送ユーザプレーンゲートウェイが第1のユーザプレーンゲートウェイおよび第2のユーザプレーンゲートウェイを備え、前記制御プレーンゲートウェイが、前記ユーザ機器が現在位置領域に移動した後に使用されるサービング制御プレーンゲートウェイであり、前記制御プレーンゲートウェイが、前記ユーザ機器が前記現在位置領域に移動する前に使用されたサービング制御プレーンゲートウェイと同じであり、前記モビリティ管理ネットワーク要素が、前記ユーザ機器が前記現在位置領域に移動した後に使用されるサービングモビリティ管理ネットワーク要素であり、
前記受信ユニットが、前記モビリティ管理ネットワーク要素から第1の要求を受信するようにさらに構成され、前記第1の要求が前記ターゲット基地局のルーティング情報を搬送し、
前記制御プレーンゲートウェイが送信ユニットをさらに備え、前記トンネル確立ユニットが、具体的に、
前記送信ユニットを使用することにより、前記第2のユーザプレーンゲートウェイに第2の要求を送信し、前記送信ユニットを使用することにより、前記第3のユーザプレーンゲートウェイに第3の要求を送信し、前記送信ユニットを使用することにより、前記ソースユーザプレーンゲートウェイに第4の要求を送信するように構成され、前記第2の要求が、前記第2のユーザプレーンゲートウェイと前記ターゲット基地局との間のデータ転送トンネル、および前記第2のユーザプレーンゲートウェイと前記第3のユーザプレーンゲートウェイとの間のデータ転送トンネルを確立するように、前記第2のユーザプレーンゲートウェイに要求するために使用され、前記第2の要求が、前記ターゲット基地局の前記ルーティング情報および前記第3のユーザプレーンゲートウェイのルーティング情報を搬送し、前記第3の要求が、前記第3のユーザプレーンゲートウェイと前記第2のユーザプレーンゲートウェイとの間の前記データ転送トンネル、および前記第3のユーザプレーンゲートウェイと前記ソースユーザプレーンゲートウェイとの間のデータ転送トンネルを確立するように、前記第3のユーザプレーンゲートウェイに要求するために使用され、前記第3の要求が、前記第2のユーザプレーンゲートウェイのルーティング情報および前記ソースユーザプレーンゲートウェイのルーティング情報を搬送し、前記第4の要求が、前記ソースユーザプレーンゲートウェイと前記第3のユーザプレーンゲートウェイとの間の前記データ転送トンネルを確立するように、前記ソースユーザプレーンゲートウェイに要求するために使用され、前記第4の要求が、前記第3のユーザプレーンゲートウェイの前記ルーティング情報を搬送する、
請求項16に記載の制御プレーンゲートウェイ。
【請求項１９】
前記少なくとも1つの転送ユーザプレーンゲートウェイが第1のユーザプレーンゲートウェイであり、前記制御プレーンゲートウェイが、前記ユーザ機器が現在位置領域に移動した後に使用されるサービング制御プレーンゲートウェイであり、前記制御プレーンゲートウェイが、前記ユーザ機器が前記現在位置領域に移動する前に使用されたサービング制御プレーンゲートウェイとは異なり、前記モビリティ管理ネットワーク要素が、前記ユーザ機器が前記現在位置領域に移動した後に使用されるサービングモビリティ管理ネットワーク要素であり、
前記受信ユニットが、前記ソースユーザプレーンゲートウェイのルーティング情報を受信するようにさらに構成され、
前記受信ユニットが、前記モビリティ管理ネットワーク要素から第1の要求を受信するようにさらに構成され、前記第1の要求が前記ターゲット基地局のルーティング情報を搬送し、
前記制御プレーンゲートウェイが送信ユニットをさらに備え、前記トンネル確立ユニットが、具体的に、
前記送信ユニットを使用することにより、前記第1のユーザプレーンゲートウェイに第2の要求を送信するように構成され、前記第2の要求が、前記第1のユーザプレーンゲートウェイと前記ターゲット基地局との間の前記データ転送トンネル、および前記第1のユーザプレーンゲートウェイと前記ソースユーザプレーンゲートウェイとの間の前記データ転送トンネルを確立するように、前記第1のユーザプレーンゲートウェイに要求するために使用され、前記第2の要求が、前記ターゲット基地局の前記ルーティング情報および前記ソースユーザプレーンゲートウェイの前記ルーティング情報を搬送する、
請求項16に記載の制御プレーンゲートウェイ。
【請求項２０】
前記少なくとも1つの転送ユーザプレーンゲートウェイが第1のユーザプレーンゲートウェイおよび第2のユーザプレーンゲートウェイを備え、前記制御プレーンゲートウェイが、前記ユーザ機器が現在位置領域に移動した後に使用されるサービング制御プレーンゲートウェイであり、前記制御プレーンゲートウェイが、前記ユーザ機器が前記現在位置領域に移動する前に使用されたサービング制御プレーンゲートウェイとは異なり、前記モビリティ管理ネットワーク要素が、前記ユーザ機器が前記現在位置領域に移動した後に使用されるサービングモビリティ管理ネットワーク要素であり、
前記受信ユニットが、前記ソースユーザプレーンゲートウェイのルーティング情報を受信するようにさらに構成され、
前記受信ユニットが、前記モビリティ管理ネットワーク要素から第1の要求を受信するようにさらに構成され、前記第1の要求が前記ターゲット基地局のルーティング情報を搬送し、
前記制御プレーンゲートウェイが送信ユニットをさらに備え、前記トンネル確立ユニットが、具体的に、
前記送信ユニットを使用することにより、前記第2のユーザプレーンゲートウェイに第2の要求を送信し、前記送信ユニットを使用することにより、前記第3のユーザプレーンゲートウェイに第3の要求を送信するように構成され、前記第2の要求が、前記第2のユーザプレーンゲートウェイと前記ターゲット基地局との間のデータ転送トンネル、および前記第2のユーザプレーンゲートウェイと前記第3のユーザプレーンゲートウェイとの間のデータ転送トンネルを確立するように、前記第2のユーザプレーンゲートウェイに要求するために使用され、前記第2の要求が、前記ターゲット基地局の前記ルーティング情報および前記第3のユーザプレーンゲートウェイのルーティング情報を搬送し、前記第3の要求が、前記第3のユーザプレーンゲートウェイと前記第2のユーザプレーンゲートウェイとの間の前記データ転送トンネル、および前記第3のユーザプレーンゲートウェイと前記ソースユーザプレーンゲートウェイとの間のデータ転送トンネルを確立するように、前記第3のユーザプレーンゲートウェイに要求するために使用され、前記第3の要求が、前記第2のユー
ザプレーンゲートウェイのルーティング情報および前記ソースユーザプレーンゲートウェイの前記ルーティング情報を搬送する、
請求項16に記載の制御プレーンゲートウェイ。
【請求項２１】
前記トンネル確立ユニットが、前記ユーザ機器のターゲットユーザプレーンゲートウェイにセッション作成要求を送信するようにさらに構成され、前記セッション作成要求が、前記ユーザ機器用の前記ターゲットユーザプレーンゲートウェイ上に、ユーザプレーンデータ伝送用のベアラコンテキストを作成するために使用され、各々の作成されたベアラコンテキストが前記ターゲットユーザプレーンゲートウェイのルーティング情報を備え、前記ターゲットユーザプレーンゲートウェイが前記ユーザ機器の現在位置領域に対応するサービングユーザプレーンゲートウェイである、
請求項16から20のいずれか一項に記載の制御プレーンゲートウェイ。
【請求項２２】
前記トンネル確立ユニットが、前記モビリティ管理ネットワーク要素を介して前記ターゲット基地局に前記ターゲットユーザプレーンゲートウェイの前記ルーティング情報を送信するようにさらに構成される、
請求項21に記載の制御プレーンゲートウェイ。
【請求項２３】
前記トンネル確立ユニットが、前記モビリティ管理ネットワーク要素を介して前記ターゲット基地局に前記第1のユーザプレーンゲートウェイの前記ルーティング情報を送信するようにさらに構成される、
請求項17または19に記載の制御プレーンゲートウェイ。
【請求項２４】
前記第1のユーザプレーンゲートウェイが、前記ユーザ機器の前記現在位置情報に従って、前記ユーザ機器用の前記制御プレーンゲートウェイによって選択されたサービングユーザプレーンゲートウェイである、
請求項17、19、または23に記載の制御プレーンゲートウェイ。
【請求項２５】
前記トンネル確立ユニットが、前記モビリティ管理ネットワーク要素を介して前記ターゲット基地局に前記第2のユーザプレーンゲートウェイの前記ルーティング情報を送信するようにさらに構成される、
請求項18または20に記載の制御プレーンゲートウェイ。
【請求項２６】
モビリティ管理ネットワーク要素であって、
ユーザ機器に奉仕するソースモビリティ管理ネットワーク要素から転送再配置要求を受信するように構成された受信ユニットであって、前記転送再配置要求が前記ユーザ機器の現在位置情報を搬送する、受信ユニットと、
前記ユーザ機器の前記現在位置情報に従って前記ユーザ機器のターゲット制御プレーンゲートウェイを選択するように構成された選択ユニットと、
前記ターゲット制御プレーンゲートウェイに前記ユーザ機器の前記現在位置情報を送信するように構成された送信ユニットであって、その結果、前記ターゲット制御プレーンゲートウェイが、前記ユーザ機器の前記現在位置情報に従って前記ユーザ機器の転送ユーザプレーンゲートウェイを決定する、送信ユニットと
を備え、
前記送信ユニットが、前記ターゲット制御プレーンゲートウェイにデータ転送トンネル確立要求を送信するようにさらに構成され、前記データ転送トンネル確立要求が、前記ユーザ機器のために、前記転送ユーザプレーンゲートウェイと前記ユーザ機器に奉仕するソースユーザプレーンゲートウェイとの間のデータ転送トンネル、および前記転送ユーザプレーンゲートウェイと前記ユーザ機器に奉仕するターゲット基地局との間のデータ転送トンネルを確立するように、前記ターゲット制御プレーンゲートウェイに要求するために使
用される、
モビリティ管理ネットワーク要素。
【請求項２７】
前記ターゲット制御プレーンゲートウェイが、前記ユーザ機器が現在位置領域に移動する前に使用されたサービング制御プレーンゲートウェイとは異なり、
前記送信ユニットが、前記ソースモビリティ管理ネットワーク要素に変更通知メッセージを送信するようにさらに構成され、前記変更通知メッセージが、前記ユーザ機器のサービング制御プレーンゲートウェイが前記ターゲット制御プレーンゲートウェイに変わったことを示すために使用される、
請求項26に記載のモビリティ管理ネットワーク要素。
【請求項２８】
前記受信ユニットが、前記変更通知メッセージに従って前記ソースモビリティ管理ネットワーク要素から確認応答メッセージを受信するようにさらに構成され、前記確認応答メッセージが前記ソースユーザプレーンゲートウェイのルーティング情報を搬送する、
請求項27に記載のモビリティ管理ネットワーク要素。
【請求項２９】
制御プレーンゲートウェイであって、
モビリティ管理ネットワーク要素からユーザ機器の現在位置情報を受信するように構成された受信ユニットと、
前記ユーザ機器の前記現在位置情報に従って前記ユーザ機器用のターゲットユーザプレーンゲートウェイを選択するように構成された選択ユニットと、
前記モビリティ管理ネットワーク要素に要求メッセージを送信するように構成された送信ユニットであって、前記要求メッセージが、第1のベアラコンテキストを解放し、第2のベアラコンテキストに対するセットアップ要求を送信することを前記ユーザ機器に示すように、前記モビリティ管理ネットワーク要素に要求するために使用され、前記第1のベアラコンテキストが前記ユーザ機器のソースユーザプレーンゲートウェイ上に確立された前記ユーザ機器のベアラコンテキストであり、前記第2のベアラコンテキストが前記第1のベアラコンテキストに従って前記ターゲットユーザプレーンゲートウェイ上に前記ユーザ機器によって再確立されるベアラコンテキストである、送信ユニットと
を備える、制御プレーンゲートウェイ。
【請求項３０】
前記要求メッセージがベアラ削除要求メッセージであり、前記ベアラ削除要求メッセージが再アクティブ化要求指示を搬送し、前記再アクティブ化要求指示が、前記モビリティ管理ネットワーク要素を使用することにより、前記第1のベアラコンテキストが削除された後、前記第2のベアラコンテキストに対する前記セットアップ要求を開始するように前記ユーザ機器に示すために使用される、
請求項29に記載の制御プレーンゲートウェイ。
【請求項３１】
メモリと、プロセッサと、受信機と、送信機とを備える制御プレーンゲートウェイであって、
前記メモリが、プログラムを記憶し、前記プロセッサにデータおよび命令を供給するように構成され、
前記プロセッサが、前記メモリに記憶された前記プログラムを実行するように構成され、具体的には、以下の動作：
前記受信機を使用することにより、モビリティ管理ネットワーク要素からユーザ機器の現在位置情報を受信することと、
前記ユーザ機器の前記現在位置情報に従って前記ユーザ機器用の少なくとも1つの転送ユーザプレーンゲートウェイを選択することと、
前記ユーザ機器のために、前記ユーザ機器に奉仕するソースユーザプレーンゲートウェイと前記転送ユーザプレーンゲートウェイとの間のデータ転送トンネル、および前記転送
ユーザプレーンゲートウェイと前記ユーザ機器に奉仕するターゲット基地局との間のデータ転送トンネルを確立することであって、前記データ転送トンネルが、前記ユーザ機器の移動プロセスにおいて、前記ユーザ機器のアップリンクユーザプレーンデータおよび／またはダウンリンクユーザプレーンデータを送信するために使用される、確立することと
を実施するように構成される、
制御プレーンゲートウェイ。
【請求項３２】
前記少なくとも1つの転送ユーザプレーンゲートウェイが第1のユーザプレーンゲートウェイであり、前記制御プレーンゲートウェイが、前記ユーザ機器が現在位置領域に移動した後に使用されるサービング制御プレーンゲートウェイであり、前記制御プレーンゲートウェイが、前記ユーザ機器が前記現在位置領域に移動する前に使用されたサービング制御プレーンゲートウェイと同じであり、前記モビリティ管理ネットワーク要素が、前記ユーザ機器が前記現在位置領域に移動した後に使用されるサービングモビリティ管理ネットワーク要素であり、
前記プロセッサが、前記受信機を使用することにより、前記モビリティ管理ネットワーク要素から第1の要求を受信するようにさらに構成され、前記第1の要求が前記ターゲット基地局のルーティング情報を搬送し、
前記送信機を使用することにより、前記ユーザ機器のために、前記ソースユーザプレーンゲートウェイと前記転送ユーザプレーンゲートウェイとの間の前記データ転送トンネル、および／または前記転送ユーザプレーンゲートウェイと前記ターゲット基地局との間の前記データ転送トンネルを確立するプロセスにおいて、前記プロセッサが、具体的に、
前記送信機を使用することにより、前記第1のユーザプレーンゲートウェイに第2の要求を送信し、前記送信機を使用することにより、前記ソースユーザプレーンゲートウェイに第3の要求を送信するように構成され、前記第2の要求が、前記第1のユーザプレーンゲートウェイと前記ターゲット基地局との間の前記データ転送トンネル、および前記第1のユーザプレーンゲートウェイと前記ソースユーザプレーンゲートウェイとの間の前記データ転送トンネルを確立するように、前記第1のユーザプレーンゲートウェイに要求するために使用され、前記第2の要求が、前記ターゲット基地局の前記ルーティング情報および前記ソースユーザプレーンゲートウェイのルーティング情報を搬送し、前記第3の要求が、前記ソースユーザプレーンゲートウェイと前記第1のユーザプレーンゲートウェイとの間の前記データ転送トンネルを確立するように、前記ソースユーザプレーンゲートウェイに要求するために使用され、前記第3の要求が、前記第1のユーザプレーンゲートウェイのルーティング情報を搬送する、
請求項31に記載の制御プレーンゲートウェイ。
【請求項３３】
前記少なくとも1つの転送ユーザプレーンゲートウェイが第1のユーザプレーンゲートウェイおよび第2のユーザプレーンゲートウェイを備え、前記制御プレーンゲートウェイが、前記ユーザ機器が現在位置領域に移動した後に使用されるサービング制御プレーンゲートウェイであり、前記制御プレーンゲートウェイが、前記ユーザ機器が前記現在位置領域に移動する前に使用されたサービング制御プレーンゲートウェイと同じであり、前記モビリティ管理ネットワーク要素が、前記ユーザ機器が前記現在位置領域に移動した後に使用されるサービングモビリティ管理ネットワーク要素であり、
前記プロセッサが、前記受信機を使用することにより、前記モビリティ管理ネットワーク要素から第1の要求を受信するようにさらに構成され、前記第1の要求が前記ターゲット基地局のルーティング情報を搬送し、
前記送信機を使用することにより、前記ユーザ機器のために、前記ソースユーザプレーンゲートウェイと前記転送ユーザプレーンゲートウェイとの間の前記データ転送トンネル、および前記転送ユーザプレーンゲートウェイと前記ターゲット基地局との間の前記データ転送トンネルを確立するプロセスにおいて、前記プロセッサが、具体的に、
前記送信機を使用することにより、前記第2のユーザプレーンゲートウェイに第2の要求
を送信し、前記送信機を使用することにより、前記第3のユーザプレーンゲートウェイに第3の要求を送信し、前記送信機を使用することにより、前記ソースユーザプレーンゲートウェイに第4の要求を送信するように構成され、前記第2の要求が、前記第2のユーザプレーンゲートウェイと前記ターゲット基地局との間のデータ転送トンネル、および前記第2のユーザプレーンゲートウェイと前記第3のユーザプレーンゲートウェイとの間のデータ転送トンネルを確立するように、前記第2のユーザプレーンゲートウェイに要求するために使用され、前記第2の要求が、前記ターゲット基地局の前記ルーティング情報および前記第3のユーザプレーンゲートウェイのルーティング情報を搬送し、前記第3の要求が、前記第3のユーザプレーンゲートウェイと前記第2のユーザプレーンゲートウェイとの間の前記データ転送トンネル、および前記第3のユーザプレーンゲートウェイと前記ソースユーザプレーンゲートウェイとの間のデータ転送トンネルを確立するように、前記第3のユーザプレーンゲートウェイに要求するために使用され、前記第3の要求が、前記第2のユーザプレーンゲートウェイのルーティング情報および前記ソースユーザプレーンゲートウェイのルーティング情報を搬送し、前記第4の要求が、前記ソースユーザプレーンゲートウェイと前記第3のユーザプレーンゲートウェイとの間の前記データ転送トンネルを確立するように、前記ソースユーザプレーンゲートウェイに要求するために使用され、前記第4の要求が、前記第3のユーザプレーンゲートウェイの前記ルーティング情報を搬送する、
請求項31に記載の制御プレーンゲートウェイ。
【請求項３４】
前記少なくとも1つの転送ユーザプレーンゲートウェイが第1のユーザプレーンゲートウェイであり、前記制御プレーンゲートウェイが、前記ユーザ機器が現在位置領域に移動した後に使用されるサービング制御プレーンゲートウェイであり、前記制御プレーンゲートウェイが、前記ユーザ機器が前記現在位置領域に移動する前に使用されたサービング制御プレーンゲートウェイとは異なり、前記モビリティ管理ネットワーク要素が、前記ユーザ機器が前記現在位置領域に移動した後に使用されるサービングモビリティ管理ネットワーク要素であり、
前記プロセッサが、前記受信機を使用することにより、前記ソースユーザプレーンゲートウェイのルーティング情報を受信するようにさらに構成され、
前記プロセッサが、前記受信機を使用することにより、前記モビリティ管理ネットワーク要素から第1の要求を受信するようにさらに構成され、前記第1の要求が前記ターゲット基地局のルーティング情報を搬送し、
前記送信機を使用することにより、前記ユーザ機器のために、前記ソースユーザプレーンゲートウェイと前記転送ユーザプレーンゲートウェイとの間の前記データ転送トンネル、および前記転送ユーザプレーンゲートウェイと前記ターゲット基地局との間の前記データ転送トンネルを確立するプロセスにおいて、前記プロセッサが、具体的に、
前記送信機を使用することにより、前記第1のユーザプレーンゲートウェイに第2の要求を送信するように構成され、前記第2の要求が、前記第1のユーザプレーンゲートウェイと前記ターゲット基地局との間の前記データ転送トンネル、および前記第1のユーザプレーンゲートウェイと前記ソースユーザプレーンゲートウェイとの間の前記データ転送トンネルを確立するように、前記第1のユーザプレーンゲートウェイに要求するために使用され、前記第2の要求が、前記ターゲット基地局の前記ルーティング情報および前記ソースユーザプレーンゲートウェイの前記ルーティング情報を搬送する、
請求項31に記載の制御プレーンゲートウェイ。
【請求項３５】
前記少なくとも1つの転送ユーザプレーンゲートウェイが第1のユーザプレーンゲートウェイおよび第2のユーザプレーンゲートウェイを備え、前記制御プレーンゲートウェイが、前記ユーザ機器が現在位置領域に移動した後に使用されるサービング制御プレーンゲートウェイであり、前記制御プレーンゲートウェイが、前記ユーザ機器が前記現在位置領域に移動する前に使用されたサービング制御プレーンゲートウェイとは異なり、前記モビリティ管理ネットワーク要素が、前記ユーザ機器が前記現在位置領域に移動した後に使用さ
れるサービングモビリティ管理ネットワーク要素であり、
前記プロセッサが、前記受信機を使用することにより、前記ソースユーザプレーンゲートウェイのルーティング情報を受信するようにさらに構成され、
前記プロセッサが、前記受信機を使用することにより、前記モビリティ管理ネットワーク要素から第1の要求を受信するようにさらに構成され、前記第1の要求が前記ターゲット基地局のルーティング情報を搬送し、
前記送信機を使用することにより、前記ユーザ機器のために、前記ソースユーザプレーンゲートウェイと前記転送ユーザプレーンゲートウェイとの間の前記データ転送トンネル、および前記転送ユーザプレーンゲートウェイと前記ターゲット基地局との間の前記データ転送トンネルを確立するプロセスにおいて、前記プロセッサが、具体的に、
前記送信機を使用することにより、前記第2のユーザプレーンゲートウェイに第2の要求を送信し、前記送信機を使用することにより、前記第3のユーザプレーンゲートウェイに第3の要求を送信するように構成され、前記第2の要求が、前記第2のユーザプレーンゲートウェイと前記ターゲット基地局との間のデータ転送トンネル、および前記第2のユーザプレーンゲートウェイと前記第3のユーザプレーンゲートウェイとの間のデータ転送トンネルを確立するように、前記第2のユーザプレーンゲートウェイに要求するために使用され、前記第2の要求が、前記ターゲット基地局の前記ルーティング情報および前記第3のユーザプレーンゲートウェイのルーティング情報を搬送し、前記第3の要求が、前記第3のユーザプレーンゲートウェイと前記第2のユーザプレーンゲートウェイとの間の前記データ転送トンネル、および前記第3のユーザプレーンゲートウェイと前記ソースユーザプレーンゲートウェイとの間のデータ転送トンネルを確立するように、前記第3のユーザプレーンゲートウェイに要求するために使用され、前記第3の要求が、前記第2のユーザプレーンゲートウェイのルーティング情報および前記ソースユーザプレーンゲートウェイの前記ルーティング情報を搬送する、
請求項31に記載の制御プレーンゲートウェイ。
【請求項３６】
前記プロセッサが、前記送信機を使用することにより、ターゲットユーザプレーンゲートウェイにセッション作成要求を送信するようにさらに構成され、前記セッション作成要求が、前記ユーザ機器用の前記ターゲットユーザプレーンゲートウェイ上に、ユーザプレーンデータ伝送用のベアラコンテキストを作成するために使用され、各々の作成されたベアラコンテキストが前記ターゲットユーザプレーンゲートウェイのルーティング情報を備え、前記ターゲットユーザプレーンゲートウェイが前記ユーザ機器の現在位置領域に対応するサービングユーザプレーンゲートウェイである、請求項31から35のいずれか一項に記載の制御プレーンゲートウェイ。
【請求項３７】
前記プロセッサが、前記モビリティ管理ネットワーク要素を介して前記ターゲット基地局に前記ターゲットユーザプレーンゲートウェイの前記ルーティング情報を送信するようにさらに構成される、請求項36に記載の制御プレーンゲートウェイ。
【請求項３８】
前記プロセッサが、前記モビリティ管理ネットワーク要素を介して前記ターゲット基地局に前記第1のユーザプレーンゲートウェイの前記ルーティング情報を送信するようにさらに構成される、
請求項32または34に記載の制御プレーンゲートウェイ。
【請求項３９】
前記第1のユーザプレーンゲートウェイが、前記ユーザ機器の前記現在位置情報に従って、前記ユーザ機器用の前記制御プレーンゲートウェイによって選択されたサービングユーザプレーンゲートウェイである、
請求項32、34、または38に記載の制御プレーンゲートウェイ。
【請求項４０】
前記プロセッサが、前記モビリティ管理ネットワーク要素を介して前記ターゲット基地
局に前記第2のユーザプレーンゲートウェイの前記ルーティング情報を送信するようにさらに構成される、
請求項33または35に記載の制御プレーンゲートウェイ。
【請求項４１】
メモリと、プロセッサと、受信機と、送信機とを備えるモビリティ管理ネットワーク要素であって、
前記メモリが、プログラムを記憶し、前記プロセッサにデータおよび命令を供給するように構成され、
前記プロセッサが、前記メモリに記憶された前記プログラムを実行するように構成され、具体的には、以下の動作：
前記受信機を使用することにより、ユーザ機器に奉仕するソースモビリティ管理ネットワーク要素から転送再配置要求を受信することであって、前記転送再配置要求が前記ユーザ機器の現在位置情報を搬送する、受信することと、
前記ユーザ機器の前記現在位置情報に従って前記ユーザ機器のターゲット制御プレーンゲートウェイを選択することと、
前記送信機を使用することにより、前記ターゲット制御プレーンゲートウェイに前記ユーザ機器の前記現在位置情報を送信することであって、その結果、前記ターゲット制御プレーンゲートウェイが、前記ユーザ機器の前記現在位置情報に従って前記ユーザ機器の転送ユーザプレーンゲートウェイを決定する、送信することと、
前記送信機を使用することにより、前記ターゲット制御プレーンゲートウェイにデータ転送トンネル確立要求を送信することであって、前記データ転送トンネル確立要求が、前記ユーザ機器のために、前記転送ユーザプレーンゲートウェイと前記ユーザ機器に奉仕するソースユーザプレーンゲートウェイとの間のデータ転送トンネル、および前記転送ユーザプレーンゲートウェイと前記ユーザ機器に奉仕するターゲット基地局との間のデータ転送トンネルを確立するように、前記ターゲット制御プレーンゲートウェイに要求するために使用される、送信することと
を実施するように構成される、モビリティ管理ネットワーク要素。
【請求項４２】
前記ターゲット制御プレーンゲートウェイが、前記ユーザ機器が現在位置領域に移動する前に使用されたサービング制御プレーンゲートウェイとは異なり、
前記プロセッサが、前記送信機を使用することにより、前記ソースモビリティ管理ネットワーク要素に変更通知メッセージを送信するようにさらに構成され、前記変更通知メッセージが、前記ユーザ機器のサービング制御プレーンゲートウェイが前記ターゲット制御プレーンゲートウェイに変わったことを示すために使用される、
請求項41に記載のモビリティ管理ネットワーク要素。
【請求項４３】
前記プロセッサが、前記受信機を使用することにより、前記変更通知メッセージに従って前記ソースモビリティ管理ネットワーク要素から確認応答メッセージを受信するようにさらに構成され、前記確認応答メッセージが前記ユーザ機器の前記ソースユーザプレーンゲートウェイのルーティング情報を搬送する、
請求項42に記載のモビリティ管理ネットワーク要素。
【請求項４４】
メモリと、プロセッサと、受信機と、送信機とを備える制御プレーンゲートウェイであって、
前記メモリが、プログラムを記憶し、前記プロセッサにデータおよび命令を供給するように構成され、
前記プロセッサが、前記メモリに記憶された前記プログラムを実行するように構成され、具体的には、以下の動作：
前記受信機を使用することにより、モビリティ管理ネットワーク要素からユーザ機器の現在位置情報を受信することと、
前記ユーザ機器の前記現在位置情報に従って前記ユーザ機器用のターゲットユーザプレーンゲートウェイを選択することと、
前記送信機を使用することにより、前記モビリティ管理ネットワーク要素に要求メッセージを送信することであって、前記要求メッセージが、第1のベアラコンテキストを解放し、第2のベアラコンテキストに対するセットアップ要求を送信することを前記ユーザ機器に示すように、前記モビリティ管理ネットワーク要素に要求するために使用され、前記第1のベアラコンテキストが前記ユーザ機器のソースユーザプレーンゲートウェイ上に確立された前記ユーザ機器のベアラコンテキストであり、前記第2のベアラコンテキストが前記第1のベアラコンテキストに従って前記ターゲットユーザプレーンゲートウェイ上に前記ユーザ機器によって再確立されるベアラコンテキストである、送信することと
を実施するように構成される、制御プレーンゲートウェイ。
【請求項４５】
前記要求メッセージがベアラ削除要求メッセージであり、前記ベアラ削除要求メッセージが再アクティブ化要求指示を搬送し、前記再アクティブ化要求指示が、前記モビリティ管理ネットワーク要素を使用することにより、前記第1のベアラコンテキストが削除された後、前記第2のベアラコンテキストに対する前記セットアップ要求を開始するように前記ユーザ機器に示すために使用される、
請求項44に記載の制御プレーンゲートウェイ。
【発明の詳細な説明】
【技術分野】
【０００１】
本発明は通信分野に関し、より詳細には、サービス継続性保証方法、制御プレーンゲートウェイ、およびモビリティ管理ネットワーク要素に関する。
【背景技術】
【０００２】
分散ゲートウェイ（Distributed Gateway、DGW）アーキテクチャは、ユーザプレーン機能からネットワーク制御プレーン機能を分離する発想に従って、既存の発展型パケットシステム（Evolved Packet System、EPS）ネットワークアーキテクチャに基づいて提案された拡張ネットワークアーキテクチャである。DGWアーキテクチャは、制御プレーンゲートウェイ（Control plane gateway、C−GW）およびユーザプレーンゲートウェイ（User plane gateway、U−GW）を含む。
【０００３】
C−GWは集中型制御プレーンゲートウェイであり、2つの形態：（1）既存の3GPP EPSネットワーク内のサービングゲートウェイ（Serving Gateway、S−GW）の制御プレーン機能およびパケットデータネットワークゲートウェイ（Packet Data Network Gateway、P−GW）の制御プレーン機能が統合された後に取得される単一のネットワーク要素、ならびに（2）既存のS−GWの制御プレーン機能（Control Plane S−GW）および既存のP−GWの制御プレーン機能（Control Plane P−GW）を別々に実装する2つの独立したネットワーク要素を有する場合がある。C−GWは、モビリティ管理、セッション管理、アドレス管理、経路管理、および会計管理などの機能に関するシグナリングを含む、3GPP EPSネットワーク内の制御プレーンシグナリングを処理するように特別に構成される。C−GWはU−GWと対話して、ユーザプレーンデータ処理に対する制御および管理を実施する。
【０００４】
U−GWは分散ユーザプレーンゲートウェイである。C−GWの2つの形態に対応して、U−GWも、2つの形態：（1）既存の3GPP EPSネットワーク内のサービングゲートウェイ（Serving Gateway、S−GW）のユーザプレーン機能およびパケットデータネットワークゲートウェイ（Packet Data Network Gateway、P−GW）のユーザプレーン機能が統合された後に取得される単一のネットワーク要素、ならびに（2）既存のS−GWのユーザプレーン機能（User Plane S−GW）および既存のP−GWのユーザプレーン機能（User Plane P−GW）を別々に実装する2つの独立したネットワーク要素を有する場合がある。U−GWは、ルーティングお
よび転送、データパケットチェック、データパケット集計、ならびにサービス品質強制などの機能を含む、3GPP EPSネットワーク内のユーザプレーンデータを処理するように特別に構成される。U−GWは、C−GWの制御および管理下でユーザプレーンデータを処理する。U−GWを分散方式で配備することができるという特徴を考慮して、U−GWは、分散ゲートウェイ（Distributed Gateway、D−GW）と呼ばれる場合もある。
【０００５】
既存のEPSネットワークアーキテクチャでは、サービス継続性はP−GWのアンカー機能によって実装される。すなわち、ユーザプレーンサービスを実施する接続モードにあるUEの移動プロセスでは、UEのユーザプレーンデータは、常に現在のP−GWと外部データネットワークとの間で交換される。P−GWは移動プロセスにおいて変わらないので、ユーザプレーンのIPアドレスが変わらないことが保証され、さらにユーザプレーンサービスの継続性が保証される。
DGWアーキテクチャ内のU−GW（またはD−GW）は、ユーザのローカルアクセスを実施し、さらにユーザプレーンデータの往復時間（Round−Trip Time、RTT）を短縮し、ユーザ体験を改善するために、サービス要件に応じて分散方式で配備される場合がある。配備中、U−GWは、ユーザに近く、基地局コントローラにも近いメトロポリタンエリアネットワークに向かって下方に移動する場合がある。U−GWの下方移動に伴い、U−GWのサービス範囲は、EPSネットワーク内に集中方式で配備されたS−GW／P−GWのサービス範囲よりもはるかに小さい。したがって、UEの移動プロセスにおいてサービングU−GWが変わる確率が増大する。
【先行技術文献】
【特許文献】
【０００６】
【特許文献１】米国特許出願公開第２０１５／０１１７４０８号明細書
【発明の概要】
【０００７】
DGWアーキテクチャでは、UEの移動プロセスにおけるサービス継続性をどのように保証するかが重要課題であることを知ることができる。
【課題を解決するための手段】
【０００８】
本発明の実施形態は、サービス継続性保証方法、制御プレーンゲートウェイ、およびモビリティ管理ネットワーク要素を提供して、UEの移動プロセスにおけるサービス継続性を保証し、ユーザサービス体験を改善するために、転送U−GWとソースU−GWとの間のデータ転送トンネル、および転送U−GWとUEのターゲット基地局との間のデータ転送トンネルをUEのために確立する。
【０００９】
第1の態様によれば、サービス継続性保証方法が提案され、方法は、制御プレーンゲートウェイにより、ユーザ機器用のモビリティ管理ネットワーク要素によって送信されたユーザ機器の現在位置情報を受信するステップと、制御プレーンゲートウェイにより、ユーザ機器の現在位置情報に従ってユーザ機器用の少なくとも1つの転送ユーザプレーンゲートウェイを選択するステップと、制御プレーンゲートウェイにより、ユーザ機器のために、ユーザ機器に奉仕するソースユーザプレーンゲートウェイと転送ユーザプレーンゲートウェイとの間のデータ転送トンネル、および転送ユーザプレーンゲートウェイとユーザ機器のターゲット基地局との間のデータ転送トンネルを確立するステップであって、データ転送トンネルが、ユーザ機器の移動プロセスにおいて、ユーザ機器のアップリンクユーザプレーンデータおよび／またはダウンリンクユーザプレーンデータを送信するために使用される、ステップとを含む。
【００１０】
第1の態様を参照して、第1の可能な実装形態では、少なくとも1つの転送ユーザプレーンゲートウェイは第1のユーザプレーンゲートウェイであり、制御プレーンゲートウェイは、ユーザ機器が現在位置領域に移動した後に使用されるサービング制御プレーンゲートウェイであり、制御プレーンゲートウェイは、ユーザ機器が現在位置領域に移動する前に使用されたサービング制御プレーンゲートウェイと同じであり、モビリティ管理ネットワ
ーク要素は、ユーザ機器が現在位置領域に移動した後に使用されるサービングモビリティ管理ネットワーク要素であり、制御プレーンゲートウェイにより、ユーザ機器のために、ユーザ機器に奉仕するソースユーザプレーンゲートウェイと転送ユーザプレーンゲートウェイとの間のデータ転送トンネル、および転送ユーザプレーンゲートウェイとユーザ機器のターゲット基地局との間のデータ転送トンネルを確立するステップの具体的な実装形態は、
制御プレーンゲートウェイにより、モビリティ管理ネットワーク要素によって送信された第1の要求を受信するステップであって、第1の要求がユーザ機器のターゲット基地局のルーティング情報を搬送する、ステップと、
制御プレーンゲートウェイにより、第1のユーザプレーンゲートウェイに第2の要求を送信するステップであって、第2の要求が、第1のユーザプレーンゲートウェイとターゲット基地局との間のデータ転送トンネル、および第1のユーザプレーンゲートウェイとソースユーザプレーンゲートウェイとの間のデータ転送トンネルを確立するように、第1のユーザプレーンゲートウェイに要求するために使用され、第2の要求が、ターゲット基地局のルーティング情報およびソースユーザプレーンゲートウェイのルーティング情報を搬送する、ステップと、
制御プレーンゲートウェイにより、ソースユーザプレーンゲートウェイに第3の要求を送信するステップであって、第3の要求が、ソースユーザプレーンゲートウェイと第1のユーザプレーンゲートウェイとの間のデータ転送トンネルを確立するように、ソースユーザプレーンゲートウェイに要求するために使用され、第3の要求が、転送ユーザプレーンゲートウェイのルーティング情報を搬送する、ステップ
である。
【００１１】
第1の態様を参照して、第2の可能な実装形態では、少なくとも1つの転送ユーザプレーンゲートウェイは第2のユーザプレーンゲートウェイおよび第3のユーザプレーンゲートウェイを含み、制御プレーンゲートウェイは、ユーザ機器が現在位置領域に移動した後に使用されるサービング制御プレーンゲートウェイであり、制御プレーンゲートウェイは、ユーザ機器が現在位置領域に移動する前に使用されたサービング制御プレーンゲートウェイと同じであり、モビリティ管理ネットワーク要素は、ユーザ機器が現在位置領域に移動した後に使用されるサービングモビリティ管理ネットワーク要素であり、制御プレーンゲートウェイにより、ユーザ機器のために、ユーザ機器に奉仕するソースユーザプレーンゲートウェイと転送ユーザプレーンゲートウェイとの間のデータ転送トンネル、および転送ユーザプレーンゲートウェイとユーザ機器のターゲット基地局との間のデータ転送トンネルを確立するステップの具体的な実装形態は、
制御プレーンゲートウェイにより、モビリティ管理ネットワーク要素によって送信された第1の要求を受信するステップであって、第1の要求がユーザ機器のターゲット基地局のルーティング情報を搬送する、ステップと、
制御プレーンゲートウェイにより、第2のユーザプレーンゲートウェイに第2の要求を送信するステップであって、第2の要求が、第2のユーザプレーンゲートウェイとターゲット基地局との間のデータ転送トンネル、および第2のユーザプレーンゲートウェイと第3のユーザプレーンゲートウェイとの間のデータ転送トンネルを確立するように、第2のユーザプレーンゲートウェイに要求するために使用され、第2の要求が、ターゲット基地局のルーティング情報および第3のユーザプレーンゲートウェイのルーティング情報を搬送する、ステップと、
制御プレーンゲートウェイにより、第3のユーザプレーンゲートウェイに第3の要求を送信するステップであって、第3の要求が、第3のユーザプレーンゲートウェイと第2のユーザプレーンゲートウェイとの間のデータ転送トンネル、および第3のユーザプレーンゲートウェイとソースユーザプレーンゲートウェイとの間のデータ転送トンネルを確立するように、第3のユーザプレーンゲートウェイに要求するために使用され、第3の要求が、第2のユーザプレーンゲートウェイのルーティング情報およびソースユーザプレーンゲートウ
ェイのルーティング情報を搬送する、ステップと、
制御プレーンゲートウェイにより、ソースユーザプレーンゲートウェイに第4の要求を送信するステップであって、第4の要求が、ソースユーザプレーンゲートウェイと第3のユーザプレーンゲートウェイとの間のデータ転送トンネルを確立するように、ソースユーザプレーンゲートウェイに要求するために使用され、第4の要求が、第3のユーザプレーンゲートウェイのルーティング情報を搬送する、ステップ
である。
【００１２】
第1の態様を参照して、第3の可能な実装形態では、少なくとも1つの転送ユーザプレーンゲートウェイは第1のユーザプレーンゲートウェイであり、制御プレーンゲートウェイは、ユーザ機器が現在位置領域に移動した後に使用されるサービング制御プレーンゲートウェイであり、制御プレーンゲートウェイは、ユーザ機器が現在位置領域に移動する前に使用されたサービング制御プレーンゲートウェイとは異なり、モビリティ管理ネットワーク要素は、ユーザ機器が現在位置領域に移動した後に使用されるサービングモビリティ管理ネットワーク要素であり、
方法は、制御プレーンゲートウェイにより、モビリティ管理ネットワーク要素によって送信されたソースユーザプレーンゲートウェイのルーティング情報をさらに受信するステップをさらに含み、
制御プレーンゲートウェイにより、ユーザ機器のために、ユーザ機器に奉仕するソースユーザプレーンゲートウェイと転送ユーザプレーンゲートウェイとの間のデータ転送トンネル、および転送ユーザプレーンゲートウェイとユーザ機器のターゲット基地局との間のデータ転送トンネルを確立するステップの具体的な実装形態は、
制御プレーンゲートウェイにより、モビリティ管理ネットワーク要素によって送信された第1の要求を受信するステップであって、第1の要求がユーザ機器のターゲット基地局のルーティング情報を搬送する、ステップと、
制御プレーンゲートウェイにより、第1のユーザプレーンゲートウェイに第2の要求を送信するステップであって、第2の要求が、第1のユーザプレーンゲートウェイとターゲット基地局との間のデータ転送トンネル、および第1のユーザプレーンゲートウェイとソースユーザプレーンゲートウェイとの間のデータ転送トンネルを確立するように、第1のユーザプレーンゲートウェイに要求するために使用され、第2の要求が、ターゲット基地局のルーティング情報およびソースユーザプレーンゲートウェイのルーティング情報を搬送する、ステップ
である。
【００１３】
第1の態様を参照して、第4の可能な実装形態では、少なくとも1つの転送ユーザプレーンゲートウェイは第2のユーザプレーンゲートウェイおよび第3のユーザプレーンゲートウェイを含み、制御プレーンゲートウェイは、ユーザ機器が現在位置領域に移動した後に使用されるサービング制御プレーンゲートウェイであり、制御プレーンゲートウェイは、ユーザ機器が現在位置領域に移動する前に使用されたサービング制御プレーンゲートウェイとは異なり、モビリティ管理ネットワーク要素は、ユーザ機器が現在位置領域に移動した後に使用されるサービングモビリティ管理ネットワーク要素であり、
方法は、制御プレーンゲートウェイにより、モビリティ管理ネットワーク要素によって送信されたソースユーザプレーンゲートウェイのルーティング情報をさらに受信するステップをさらに含み、
制御プレーンゲートウェイにより、ユーザ機器のために、ユーザ機器に奉仕するソースユーザプレーンゲートウェイと転送ユーザプレーンゲートウェイとの間のデータ転送トンネル、および転送ユーザプレーンゲートウェイとユーザ機器のターゲット基地局との間のデータ転送トンネルを確立するステップの具体的な実装形態は、
制御プレーンゲートウェイにより、モビリティ管理ネットワーク要素によって送信された第1の要求を受信するステップであって、第1の要求がユーザ機器のターゲット基地局の
ルーティング情報を搬送する、ステップと、
制御プレーンゲートウェイにより、第2のユーザプレーンゲートウェイに第2の要求を送信するステップであって、第2の要求が、第2のユーザプレーンゲートウェイとターゲット基地局との間のデータ転送トンネル、および第2のユーザプレーンゲートウェイと第3のユーザプレーンゲートウェイとの間のデータ転送トンネルを確立するように、第2のユーザプレーンゲートウェイに要求するために使用され、第2の要求が、ターゲット基地局のルーティング情報および第3のユーザプレーンゲートウェイのルーティング情報を搬送する、ステップと、
制御プレーンゲートウェイにより、第3のユーザプレーンゲートウェイに第3の要求を送信するステップであって、第3の要求が、第3のユーザプレーンゲートウェイと第2のユーザプレーンゲートウェイとの間のデータ転送トンネル、および第3のユーザプレーンゲートウェイとソースユーザプレーンゲートウェイとの間のデータ転送トンネルを確立するように、第3のユーザプレーンゲートウェイに要求するために使用され、第3の要求が、第2のユーザプレーンゲートウェイのルーティング情報およびソースユーザプレーンゲートウェイのルーティング情報を搬送する、ステップ
である。
【００１４】
第1の態様または第1の態様の第1の可能な実装形態から第1の態様の第4の可能な実装形態のうちのいずれか1つを参照して、第5の可能な実装形態では、方法は、制御プレーンゲートウェイにより、ターゲットユーザプレーンゲートウェイにセッション作成要求を送信するステップをさらに含み、セッション作成要求は、ユーザ機器用のターゲットユーザプレーンゲートウェイ上に、ユーザプレーンデータ伝送用のベアラコンテキストを作成するために使用され、各々の作成されたベアラコンテキストはターゲットユーザプレーンゲートウェイのルーティング情報を含み、ターゲットユーザプレーンゲートウェイはユーザ機器の現在位置領域に対応するサービングユーザプレーンゲートウェイである。
【００１５】
第1の態様の第5の可能な実装形態を参照して、第6の可能な実装形態では、方法は、制御プレーンゲートウェイにより、モビリティ管理ネットワーク要素を介してターゲット基地局にターゲットユーザプレーンゲートウェイのルーティング情報を送信するステップをさらに含む。
【００１６】
第1の態様の第1の可能な実装形態または第1の態様の第3の可能な実装形態を参照して、第7の可能な実装形態では、方法は、制御プレーンゲートウェイにより、モビリティ管理ネットワーク要素を介してターゲット基地局に第1のユーザプレーンゲートウェイのルーティング情報を送信するステップをさらに含む。
【００１７】
第1の態様の第1の可能な実装形態または第1の態様の第3の可能な実装形態を参照して、第8の可能な実装形態では、第1のユーザプレーンゲートウェイはさらに、ユーザ機器の現在位置情報に従って、ユーザ機器用の制御プレーンゲートウェイによって選択されたサービングユーザプレーンゲートウェイである。
【００１８】
第1の態様の第2の可能な実装形態または第1の態様の第4の可能な実装形態を参照して、第9の可能な実装形態では、方法は、制御プレーンゲートウェイにより、モビリティ管理ネットワーク要素を介してターゲット基地局に第2のユーザプレーンゲートウェイのルーティング情報を送信するステップをさらに含む。
【００１９】
第2の態様によれば、サービス継続性保証方法が提案され、方法は、ターゲットモビリティ管理ネットワーク要素により、ユーザ機器に奉仕するソースモビリティ管理ネットワーク要素によって送信された転送再配置要求を受信するステップであって、転送再配置要求がユーザ機器の現在位置情報を搬送する、ステップと、ターゲットモビリティ管理ネッ
トワーク要素により、ユーザ機器の現在位置情報に従ってユーザ機器のターゲット制御プレーンゲートウェイを選択するステップと、ターゲットモビリティ管理ネットワーク要素により、ターゲット制御プレーンゲートウェイにユーザ機器の現在位置情報を送信するステップであって、その結果、ターゲット制御プレーンゲートウェイが、ユーザ機器の現在位置情報に従ってユーザ機器の転送ユーザプレーンゲートウェイを決定する、ステップと、ターゲットモビリティ管理ネットワーク要素により、ターゲット制御プレーンゲートウェイにデータ転送トンネル確立要求を送信するステップであって、データ転送トンネル確立要求が、ユーザ機器のために、転送ユーザプレーンゲートウェイとユーザ機器に奉仕するソースユーザプレーンゲートウェイとの間のデータ転送トンネル、および転送ユーザプレーンゲートウェイとユーザ機器に奉仕するターゲット基地局との間のデータ転送トンネルを確立するように、ターゲット制御プレーンゲートウェイに要求するために使用される、ステップとを含む。
【００２０】
第2の態様を参照して、第1の可能な実装形態では、ターゲット制御プレーンゲートウェイは、ユーザ機器が現在位置領域に移動する前に使用されたサービング制御プレーンゲートウェイとは異なり、方法は、ターゲットモビリティ管理ネットワーク要素により、ソースモビリティ管理ネットワーク要素に変更通知メッセージを送信するステップをさらに含み、変更通知メッセージは、ユーザ機器のサービング制御プレーンゲートウェイがターゲット制御プレーンゲートウェイに変わったことを示すために使用される。
【００２１】
第2の態様の第1の可能な実装形態を参照して、第2の可能な実装形態では、方法は、ターゲットモビリティ管理ネットワーク要素により、変更通知メッセージに従ってソースモビリティ管理ネットワーク要素によって送信された確認応答メッセージを受信するステップをさらに含み、確認応答メッセージはユーザ機器のソースユーザプレーンゲートウェイのルーティング情報を搬送する。
【００２２】
第3の態様によれば、サービス継続性保証方法が提案され、方法は、制御プレーンゲートウェイにより、モビリティ管理ネットワーク要素によって送信されたユーザ機器の現在位置情報を受信するステップと、制御プレーンゲートウェイにより、ユーザ機器の現在位置情報に従ってユーザ機器用のターゲットユーザプレーンゲートウェイを選択するステップと、制御プレーンゲートウェイにより、モビリティ管理ネットワーク要素に要求メッセージを送信するステップであって、要求メッセージが、第1のベアラコンテキストを解放し、第2のベアラコンテキストに対するセットアップ要求を送信することをユーザ機器に示すように、モビリティ管理ネットワーク要素に要求するために使用され、第1のベアラコンテキストがユーザ機器のソースユーザプレーンゲートウェイ上に確立されたユーザ機器のベアラコンテキストであり、第2のベアラコンテキストが第1のベアラコンテキストに従ってターゲットユーザプレーンゲートウェイ上にユーザ機器によって再確立されるベアラコンテキストである、ステップとを含む。
【００２３】
第3の態様を参照して、第1の可能な実装形態では、要求メッセージはベアラ削除要求メッセージであり、ベアラ削除要求メッセージは再アクティブ化要求指示を搬送し、再アクティブ化要求指示は、モビリティ管理ネットワーク要素を使用することにより、ベアラコンテキストが削除された後、ベアラコンテキストに対する再セットアップ要求を開始するようにユーザ機器に示すために使用される。
【００２４】
第4の態様によれば、制御プレーンゲートウェイが提案され、制御プレーンゲートウェイは、モビリティ管理ネットワーク要素によって送信されたユーザ機器の現在位置情報を受信するように構成された受信ユニットと、ユーザ機器の現在位置情報に従ってユーザ機器用の少なくとも1つの転送ユーザプレーンゲートウェイを選択するように構成された選択ユニットと、ユーザ機器のために、ユーザ機器に奉仕するソースユーザプレーンゲート
ウェイと転送ユーザプレーンゲートウェイとの間のデータ転送トンネル、および転送ユーザプレーンゲートウェイとユーザ機器のターゲット基地局との間のデータ転送トンネルを確立するように構成されたトンネル確立ユニットであって、データ転送トンネルが、ユーザ機器の移動プロセスにおいて、ユーザ機器のアップリンクユーザプレーンデータおよび／またはダウンリンクユーザプレーンデータを送信するために使用される、トンネル確立ユニットとを含む。
【００２５】
可能な設計では、少なくとも1つの転送ユーザプレーンゲートウェイは第1のユーザプレーンゲートウェイであり、制御プレーンゲートウェイは、ユーザ機器が現在位置領域に移動した後に使用されるサービング制御プレーンゲートウェイであり、制御プレーンゲートウェイは、ユーザ機器が現在位置領域に移動する前に使用されたサービング制御プレーンゲートウェイと同じであり、モビリティ管理ネットワーク要素は、ユーザ機器が現在位置領域に移動した後に使用されるサービングモビリティ管理ネットワーク要素であり、
受信ユニットは、モビリティ管理ネットワーク要素によって送信された第1の要求を受信するようにさらに構成され、第1の要求はユーザ機器のターゲット基地局のルーティング情報を搬送し、
制御プレーンゲートウェイは送信ユニットをさらに含み、トンネル確立ユニットは、具体的に、
送信ユニットを使用することにより、第1のユーザプレーンゲートウェイに第2の要求を送信し、送信ユニットを使用することにより、ソースユーザプレーンゲートウェイに第3の要求を送信するように構成され、第2の要求は、第1のユーザプレーンゲートウェイとターゲット基地局との間のデータ転送トンネル、および第1のユーザプレーンゲートウェイとソースユーザプレーンゲートウェイとの間のデータ転送トンネルを確立するように、第1のユーザプレーンゲートウェイに要求するために使用され、第2の要求は、ターゲット基地局のルーティング情報およびソースユーザプレーンゲートウェイのルーティング情報を搬送し、第3の要求は、ソースユーザプレーンゲートウェイと第1のユーザプレーンゲートウェイとの間のデータ転送トンネルを確立するように、ソースユーザプレーンゲートウェイに要求するために使用され、第3の要求は、転送ユーザプレーンゲートウェイのルーティング情報を搬送する。
【００２６】
可能な設計では、少なくとも1つの転送ユーザプレーンゲートウェイは第2のユーザプレーンゲートウェイおよび第3のユーザプレーンゲートウェイを含み、制御プレーンゲートウェイは、ユーザ機器が現在位置領域に移動した後に使用されるサービング制御プレーンゲートウェイであり、制御プレーンゲートウェイは、ユーザ機器が現在位置領域に移動する前に使用されたサービング制御プレーンゲートウェイと同じであり、モビリティ管理ネットワーク要素は、ユーザ機器が現在位置領域に移動した後に使用されるサービングモビリティ管理ネットワーク要素であり、
受信ユニットは、モビリティ管理ネットワーク要素によって送信された第1の要求を受信するようにさらに構成され、第1の要求はユーザ機器のターゲット基地局のルーティング情報を搬送し、
制御プレーンゲートウェイは送信ユニットをさらに含み、トンネル確立ユニットは、具体的に、
送信ユニットを使用することにより、第2のユーザプレーンゲートウェイに第2の要求を送信し、送信ユニットを使用することにより、第3のユーザプレーンゲートウェイに第3の要求を送信し、送信ユニットを使用することにより、ソースユーザプレーンゲートウェイに第4の要求を送信するように構成され、第2の要求は、第2のユーザプレーンゲートウェイとターゲット基地局との間のデータ転送トンネル、および第2のユーザプレーンゲートウェイと第3のユーザプレーンゲートウェイとの間のデータ転送トンネルを確立するように、第2のユーザプレーンゲートウェイに要求するために使用され、第2の要求は、ターゲット基地局のルーティング情報および第3のユーザプレーンゲートウェイのルーティング
情報を搬送し、第3の要求は、第3のユーザプレーンゲートウェイと第2のユーザプレーンゲートウェイとの間のデータ転送トンネル、および第3のユーザプレーンゲートウェイとソースユーザプレーンゲートウェイとの間のデータ転送トンネルを確立するように、第3のユーザプレーンゲートウェイに要求するために使用され、第3の要求は、第2のユーザプレーンゲートウェイのルーティング情報およびソースユーザプレーンゲートウェイのルーティング情報を搬送し、第4の要求は、ソースユーザプレーンゲートウェイと第3のユーザプレーンゲートウェイとの間のデータ転送トンネルを確立するように、ソースユーザプレーンゲートウェイに要求するために使用され、第4の要求は、第3のユーザプレーンゲートウェイのルーティング情報を搬送する。
【００２７】
可能な設計では、少なくとも1つの転送ユーザプレーンゲートウェイは第1のユーザプレーンゲートウェイであり、制御プレーンゲートウェイは、ユーザ機器が現在位置領域に移動した後に使用されるサービング制御プレーンゲートウェイであり、制御プレーンゲートウェイは、ユーザ機器が現在位置領域に移動する前に使用されたサービング制御プレーンゲートウェイとは異なり、モビリティ管理ネットワーク要素は、ユーザ機器が現在位置領域に移動した後に使用されるサービングモビリティ管理ネットワーク要素であり、
受信ユニットは、モビリティ管理ネットワーク要素によって送信されたソースユーザプレーンゲートウェイのルーティング情報を受信するようにさらに構成され、
受信ユニットは、モビリティ管理ネットワーク要素によって送信された第1の要求を受信するようにさらに構成され、第1の要求はユーザ機器のターゲット基地局のルーティング情報を搬送し、
制御プレーンゲートウェイは送信ユニットをさらに含み、トンネル確立ユニットは、具体的に、
送信ユニットを使用することにより、第1のユーザプレーンゲートウェイに第2の要求を送信するように構成され、第2の要求は、第1のユーザプレーンゲートウェイとターゲット基地局との間のデータ転送トンネル、および第1のユーザプレーンゲートウェイとソースユーザプレーンゲートウェイとの間のデータ転送トンネルを確立するように、第1のユーザプレーンゲートウェイに要求するために使用され、第2の要求は、ターゲット基地局のルーティング情報およびソースユーザプレーンゲートウェイのルーティング情報を搬送する。
【００２８】
可能な設計では、少なくとも1つの転送ユーザプレーンゲートウェイは第2のユーザプレーンゲートウェイおよび第3のユーザプレーンゲートウェイを含み、制御プレーンゲートウェイは、ユーザ機器が現在位置領域に移動した後に使用されるサービング制御プレーンゲートウェイであり、制御プレーンゲートウェイは、ユーザ機器が現在位置領域に移動する前に使用されたサービング制御プレーンゲートウェイとは異なり、モビリティ管理ネットワーク要素は、ユーザ機器が現在位置領域に移動した後に使用されるサービングモビリティ管理ネットワーク要素であり、
受信ユニットは、モビリティ管理ネットワーク要素によって送信されたソースユーザプレーンゲートウェイのルーティング情報を受信するようにさらに構成され、
受信ユニットは、モビリティ管理ネットワーク要素によって送信された第1の要求を受信するようにさらに構成され、第1の要求はユーザ機器のターゲット基地局のルーティング情報を搬送し、
制御プレーンゲートウェイは送信ユニットをさらに含み、トンネル確立ユニットは、具体的に、
送信ユニットを使用することにより、第2のユーザプレーンゲートウェイに第2の要求を送信し、送信ユニットを使用することにより、第3のユーザプレーンゲートウェイに第3の要求を送信するように構成され、第2の要求は、第2のユーザプレーンゲートウェイとターゲット基地局との間のデータ転送トンネル、および第2のユーザプレーンゲートウェイと第3のユーザプレーンゲートウェイとの間のデータ転送トンネルを確立するように、第2の
ユーザプレーンゲートウェイに要求するために使用され、第2の要求は、ターゲット基地局のルーティング情報および第3のユーザプレーンゲートウェイのルーティング情報を搬送し、第3の要求は、第3のユーザプレーンゲートウェイと第2のユーザプレーンゲートウェイとの間のデータ転送トンネル、および第3のユーザプレーンゲートウェイとソースユーザプレーンゲートウェイとの間のデータ転送トンネルを確立するように、第3のユーザプレーンゲートウェイに要求するために使用され、第3の要求は、第2のユーザプレーンゲートウェイのルーティング情報およびソースユーザプレーンゲートウェイのルーティング情報を搬送する。
【００２９】
可能な設計では、トンネル確立ユニットは、ターゲットユーザプレーンゲートウェイにセッション作成要求を送信するようにさらに構成され、セッション作成要求は、ユーザ機器用のターゲットユーザプレーンゲートウェイ上に、ユーザプレーンデータ伝送用のベアラコンテキストを作成するために使用され、各々の作成されたベアラコンテキストはターゲットユーザプレーンゲートウェイのルーティング情報を含み、ターゲットユーザプレーンゲートウェイはユーザ機器の現在位置領域に対応するサービングユーザプレーンゲートウェイである。
【００３０】
可能な設計では、トンネル確立ユニットは、モビリティ管理ネットワーク要素を介してターゲット基地局にターゲットユーザプレーンゲートウェイのルーティング情報を送信するようにさらに構成される。
【００３１】
可能な設計では、トンネル確立ユニットは、モビリティ管理ネットワーク要素を介してターゲット基地局に第1のユーザプレーンゲートウェイのルーティング情報を送信するようにさらに構成される。
【００３２】
可能な設計では、第1のユーザプレーンゲートウェイはさらに、ユーザ機器の現在位置情報に従ってユーザ機器用の制御プレーンゲートウェイによって選択されたサービングユーザプレーンゲートウェイである。
【００３３】
可能な設計では、トンネル確立ユニットは、モビリティ管理ネットワーク要素を介してターゲット基地局に第2のユーザプレーンゲートウェイのルーティング情報を送信するようにさらに構成される。
【００３４】
第5の態様によれば、モビリティ管理ネットワーク要素が提案され、モビリティ管理ネットワーク要素は、ユーザ機器に奉仕するソースモビリティ管理ネットワーク要素によって送信された転送再配置要求を受信するように構成された受信ユニットであって、転送再配置要求がユーザ機器の現在位置情報を搬送する、受信ユニットと、ユーザ機器の現在位置情報に従ってユーザ機器のターゲット制御プレーンゲートウェイを選択するように構成された選択ユニットと、ターゲット制御プレーンゲートウェイにユーザ機器の現在位置情報を送信するように構成された送信ユニットであって、その結果、ターゲット制御プレーンゲートウェイが、ユーザ機器の現在位置情報に従ってユーザ機器の転送ユーザプレーンゲートウェイを決定する、送信ユニットとを含み、送信ユニットは、ターゲット制御プレーンゲートウェイにデータ転送トンネル確立要求を送信するようにさらに構成され、データ転送トンネル確立要求は、ユーザ機器のために、転送ユーザプレーンゲートウェイとユーザ機器に奉仕するソースユーザプレーンゲートウェイとの間のデータ転送トンネル、および転送ユーザプレーンゲートウェイとユーザ機器に奉仕するターゲット基地局との間のデータ転送トンネルを確立するように、ターゲット制御プレーンゲートウェイに要求するために使用される。
【００３５】
可能な設計では、ターゲット制御プレーンゲートウェイは、ユーザ機器が現在位置領域
に移動する前に使用されたサービング制御プレーンゲートウェイとは異なり、送信ユニットは、ソースモビリティ管理ネットワーク要素に変更通知メッセージを送信するようにさらに構成され、変更通知メッセージは、ユーザ機器のサービング制御プレーンゲートウェイがターゲット制御プレーンゲートウェイに変わったことを示すために使用される。
【００３６】
可能な設計では、受信ユニットは、変更通知メッセージに従ってソースモビリティ管理ネットワーク要素によって送信された確認応答メッセージを受信するようにさらに構成され、確認応答メッセージはユーザ機器のソースユーザプレーンゲートウェイのルーティング情報を搬送する。
【００３７】
第6の態様によれば、制御プレーンゲートウェイが提案され、制御プレーンゲートウェイは、制御プレーンゲートウェイがモビリティ管理ネットワーク要素によって送信されたユーザ機器の現在位置情報を受信することと、制御プレーンゲートウェイがユーザ機器の現在位置情報に従ってユーザ機器用のターゲットユーザプレーンゲートウェイを選択することと、制御プレーンゲートウェイがモビリティ管理ネットワーク要素に要求メッセージを送信することとを含み、要求メッセージは、第1のベアラコンテキストを解放し、第2のベアラコンテキストに対するセットアップ要求を送信することをユーザ機器に示すように、モビリティ管理ネットワーク要素に要求するために使用され、第1のベアラコンテキストはユーザ機器のソースユーザプレーンゲートウェイ上に確立されたユーザ機器のベアラコンテキストであり、第2のベアラコンテキストは第1のベアラコンテキストに従ってターゲットユーザプレーンゲートウェイ上にユーザ機器によって再確立されるベアラコンテキストである。
【００３８】
可能な設計では、要求メッセージはベアラ削除要求メッセージであり、ベアラ削除要求メッセージは再アクティブ化要求指示を搬送し、再アクティブ化要求指示は、モビリティ管理ネットワーク要素を使用することにより、ベアラコンテキストが削除された後、ベアラコンテキストに対する再セットアップ要求を開始するようにユーザ機器に示すために使用される。
【００３９】
第7の態様によれば、メモリと、プロセッサと、受信機と、送信機とを含む制御プレーンゲートウェイが提案され、
メモリは、プログラムを記憶し、プロセッサにデータおよび命令を供給するように構成され、
プロセッサは、メモリに記憶されたプログラムを実行するように構成され、具体的には、以下の動作：
受信機を使用することにより、モビリティ管理ネットワーク要素によって送信されたユーザ機器の現在位置情報を受信することと、
ユーザ機器の現在位置情報に従ってユーザ機器用の少なくとも1つの転送ユーザプレーンゲートウェイを選択することと、
ユーザ機器のために、ユーザ機器に奉仕するソースユーザプレーンゲートウェイと転送ユーザプレーンゲートウェイとの間のデータ転送トンネル、および転送ユーザプレーンゲートウェイとユーザ機器に奉仕するターゲット基地局との間のデータ転送トンネルを確立することであって、データ転送トンネルが、ユーザ機器の移動プロセスにおいて、ユーザ機器のアップリンクユーザプレーンデータおよび／またはダウンリンクユーザプレーンデータを送信するために使用される、確立することと
を実施するように構成される。
【００４０】
可能な設計では、少なくとも1つの転送ユーザプレーンゲートウェイは第1のユーザプレーンゲートウェイであり、制御プレーンゲートウェイは、ユーザ機器が現在位置領域に移動した後に使用されるサービング制御プレーンゲートウェイであり、制御プレーンゲート
ウェイは、ユーザ機器が現在位置領域に移動する前に使用されたサービング制御プレーンゲートウェイと同じであり、モビリティ管理ネットワーク要素は、ユーザ機器が現在位置領域に移動した後に使用されるサービングモビリティ管理ネットワーク要素であり、
プロセッサは、受信機を使用することにより、モビリティ管理ネットワーク要素によって送信された第1の要求を受信するようにさらに構成され、第1の要求はユーザ機器のターゲット基地局のルーティング情報を搬送し、
送信機を使用することにより、ユーザ機器のために、ソースユーザプレーンゲートウェイと転送ユーザプレーンゲートウェイとの間のデータ転送トンネル、および／または転送ユーザプレーンゲートウェイとターゲット基地局との間のデータ転送トンネルを確立するプロセスにおいて、プロセッサは、具体的に、
送信機を使用することにより、第1のユーザプレーンゲートウェイに第2の要求を送信し、送信機を使用することにより、ソースユーザプレーンゲートウェイに第3の要求を送信するように構成され、第2の要求は、第1のユーザプレーンゲートウェイとターゲット基地局との間のデータ転送トンネル、および第1のユーザプレーンゲートウェイとソースユーザプレーンゲートウェイとの間のデータ転送トンネルを確立するように、第1のユーザプレーンゲートウェイに要求するために使用され、第2の要求は、ターゲット基地局のルーティング情報およびソースユーザプレーンゲートウェイのルーティング情報を搬送し、第3の要求は、ソースユーザプレーンゲートウェイと第1のユーザプレーンゲートウェイとの間のデータ転送トンネルを確立するように、ソースユーザプレーンゲートウェイに要求するために使用され、第3の要求は、第1のユーザプレーンゲートウェイのルーティング情報を搬送する。
【００４１】
可能な設計では、少なくとも1つの転送ユーザプレーンゲートウェイは第1のユーザプレーンゲートウェイおよび第2のユーザプレーンゲートウェイを含み、制御プレーンゲートウェイは、ユーザ機器が現在位置領域に移動した後に使用されるサービング制御プレーンゲートウェイであり、制御プレーンゲートウェイは、ユーザ機器が現在位置領域に移動する前に使用されたサービング制御プレーンゲートウェイと同じであり、モビリティ管理ネットワーク要素は、ユーザ機器が現在位置領域に移動した後に使用されるサービングモビリティ管理ネットワーク要素であり、
プロセッサは、受信機を使用することにより、モビリティ管理ネットワーク要素によって送信された第1の要求を受信するようにさらに構成され、第1の要求はターゲット基地局のルーティング情報を搬送し、
送信機を使用することにより、ユーザ機器のために、ソースユーザプレーンゲートウェイと転送ユーザプレーンゲートウェイとの間のデータ転送トンネル、および転送ユーザプレーンゲートウェイとターゲット基地局との間のデータ転送トンネルを確立するプロセスにおいて、プロセッサは、具体的に、
送信機を使用することにより、第2のユーザプレーンゲートウェイに第2の要求を送信し、送信機を使用することにより、第3のユーザプレーンゲートウェイに第3の要求を送信し、送信機を使用することにより、ソースユーザプレーンゲートウェイに第4の要求を送信するように構成され、第2の要求は、第2のユーザプレーンゲートウェイとターゲット基地局との間のデータ転送トンネル、および第2のユーザプレーンゲートウェイと第3のユーザプレーンゲートウェイとの間のデータ転送トンネルを確立するように、第2のユーザプレーンゲートウェイに要求するために使用され、第2の要求は、ターゲット基地局のルーティング情報および第3のユーザプレーンゲートウェイのルーティング情報を搬送し、第3の要求は、第3のユーザプレーンゲートウェイと第2のユーザプレーンゲートウェイとの間のデータ転送トンネル、および第3のユーザプレーンゲートウェイとソースユーザプレーンゲートウェイとの間のデータ転送トンネルを確立するように、第3のユーザプレーンゲートウェイに要求するために使用され、第3の要求は、第2のユーザプレーンゲートウェイのルーティング情報およびソースユーザプレーンゲートウェイのルーティング情報を搬送し、第4の要求は、ソースユーザプレーンゲートウェイと第3のユーザプレーンゲートウェイ
との間のデータ転送トンネルを確立するように、ソースユーザプレーンゲートウェイに要求するために使用され、第4の要求は、第3のユーザプレーンゲートウェイのルーティング情報を搬送する。
【００４２】
可能な設計では、少なくとも1つの転送ユーザプレーンゲートウェイは第1のユーザプレーンゲートウェイであり、制御プレーンゲートウェイは、ユーザ機器が現在位置領域に移動した後に使用されるサービング制御プレーンゲートウェイであり、制御プレーンゲートウェイは、ユーザ機器が現在位置領域に移動する前に使用されたサービング制御プレーンゲートウェイとは異なり、モビリティ管理ネットワーク要素は、ユーザ機器が現在位置領域に移動した後に使用されるサービングモビリティ管理ネットワーク要素であり、
プロセッサは、受信機を使用することにより、モビリティ管理ネットワーク要素によって送信されたソースユーザプレーンゲートウェイのルーティング情報を受信するようにさらに構成され、
プロセッサは、受信機を使用することにより、モビリティ管理ネットワーク要素によって送信された第1の要求を受信するようにさらに構成され、第1の要求はユーザ機器のターゲット基地局のルーティング情報を搬送し、
送信機を使用することにより、ユーザ機器のために、ソースユーザプレーンゲートウェイと転送ユーザプレーンゲートウェイとの間のデータ転送トンネル、および転送ユーザプレーンゲートウェイとターゲット基地局との間のデータ転送トンネルを確立するプロセスにおいて、プロセッサは、具体的に、
送信機を使用することにより、第1のユーザプレーンゲートウェイに第2の要求を送信するように構成され、第2の要求は、第1のユーザプレーンゲートウェイとターゲット基地局との間のデータ転送トンネル、および第1のユーザプレーンゲートウェイとソースユーザプレーンゲートウェイとの間のデータ転送トンネルを確立するように、第1のユーザプレーンゲートウェイに要求するために使用され、第2の要求は、ターゲット基地局のルーティング情報およびソースユーザプレーンゲートウェイのルーティング情報を搬送する。
【００４３】
可能な設計では、少なくとも1つの転送ユーザプレーンゲートウェイは第1のユーザプレーンゲートウェイおよび第2のユーザプレーンゲートウェイを含み、制御プレーンゲートウェイは、ユーザ機器が現在位置領域に移動した後に使用されるサービング制御プレーンゲートウェイであり、制御プレーンゲートウェイは、ユーザ機器が現在位置領域に移動する前に使用されたサービング制御プレーンゲートウェイとは異なり、モビリティ管理ネットワーク要素は、ユーザ機器が現在位置領域に移動した後に使用されるサービングモビリティ管理ネットワーク要素であり、
プロセッサは、受信機を使用することにより、モビリティ管理ネットワーク要素によって送信されたソースユーザプレーンゲートウェイのルーティング情報を受信するようにさらに構成され、
プロセッサは、受信機を使用することにより、モビリティ管理ネットワーク要素によって送信された第1の要求を受信するようにさらに構成され、第1の要求はターゲット基地局のルーティング情報を搬送し、
送信機を使用することにより、ユーザ機器のために、ソースユーザプレーンゲートウェイと転送ユーザプレーンゲートウェイとの間のデータ転送トンネル、および転送ユーザプレーンゲートウェイとターゲット基地局との間のデータ転送トンネルを確立するプロセスにおいて、プロセッサは、具体的に、
送信機を使用することにより、第2のユーザプレーンゲートウェイに第2の要求を送信し、送信機を使用することにより、第3のユーザプレーンゲートウェイに第3の要求を送信するように構成され、第2の要求は、第2のユーザプレーンゲートウェイとターゲット基地局との間のデータ転送トンネル、および第2のユーザプレーンゲートウェイと第3のユーザプレーンゲートウェイとの間のデータ転送トンネルを確立するように、第2のユーザプレーンゲートウェイに要求するために使用され、第2の要求は、ターゲット基地局のルーティ
ング情報および第3のユーザプレーンゲートウェイのルーティング情報を搬送し、第3の要求は、第3のユーザプレーンゲートウェイと第2のユーザプレーンゲートウェイとの間のデータ転送トンネル、および第3のユーザプレーンゲートウェイとソースユーザプレーンゲートウェイとの間のデータ転送トンネルを確立するように、第3のユーザプレーンゲートウェイに要求するために使用され、第3の要求は、第2のユーザプレーンゲートウェイのルーティング情報およびソースユーザプレーンゲートウェイのルーティング情報を搬送する。
【００４４】
可能な設計では、プロセッサは、送信機を使用することにより、ターゲットユーザプレーンゲートウェイにセッション作成要求を送信するようにさらに構成され、セッション作成要求は、ユーザ機器用のターゲットユーザプレーンゲートウェイ上に、ユーザプレーンデータ伝送用のベアラコンテキストを作成するために使用され、各々の作成されたベアラコンテキストはターゲットユーザプレーンゲートウェイのルーティング情報を含み、ターゲットユーザプレーンゲートウェイはユーザ機器の現在位置領域に対応するサービングユーザプレーンゲートウェイである。
【００４５】
可能な設計では、プロセッサは、モビリティ管理ネットワーク要素を介してターゲット基地局にターゲットユーザプレーンゲートウェイのルーティング情報を送信するようにさらに構成される。
【００４６】
可能な設計では、プロセッサは、モビリティ管理ネットワーク要素を介してターゲット基地局に第1のユーザプレーンゲートウェイのルーティング情報を送信するようにさらに構成される。
【００４７】
可能な設計では、第1のユーザプレーンゲートウェイは、ユーザ機器の現在位置情報に従ってユーザ機器用の制御プレーンゲートウェイによって選択されたサービングユーザプレーンゲートウェイである。
【００４８】
可能な設計では、プロセッサは、モビリティ管理ネットワーク要素を介してターゲット基地局に第2のユーザプレーンゲートウェイのルーティング情報を送信するようにさらに構成される。
第8の態様によれば、メモリと、プロセッサと、受信機と、送信機とを含むモビリティ管理ネットワーク要素が提案され、
メモリは、プログラムを記憶し、プロセッサにデータおよび命令を供給するように構成され、
プロセッサは、メモリに記憶されたプログラムを実行するように構成され、具体的には、以下の動作：
受信機を使用することにより、ユーザ機器に奉仕するソースモビリティ管理ネットワーク要素によって送信された転送再配置要求を受信することであって、転送再配置要求がユーザ機器の現在位置情報を搬送する、受信することと、
ユーザ機器の現在位置情報に従ってユーザ機器のターゲット制御プレーンゲートウェイを選択することと、
送信機を使用することにより、ターゲット制御プレーンゲートウェイにユーザ機器の現在位置情報を送信することであって、その結果、ターゲット制御プレーンゲートウェイが、ユーザ機器の現在位置情報に従ってユーザ機器の転送ユーザプレーンゲートウェイを決定する、送信することと、
送信機を使用することにより、ターゲット制御プレーンゲートウェイにデータ転送トンネル確立要求を送信することであって、データ転送トンネル確立要求が、ユーザ機器のために、転送ユーザプレーンゲートウェイとユーザ機器に奉仕するソースユーザプレーンゲートウェイとの間のデータ転送トンネル、および転送ユーザプレーンゲートウェイとユー
ザ機器に奉仕するターゲット基地局との間のデータ転送トンネルを確立するように、ターゲット制御プレーンゲートウェイに要求するために使用される、送信することと
を実施するように構成される。
【００４９】
可能な設計では、ターゲット制御プレーンゲートウェイは、ユーザ機器が現在位置領域に移動する前に使用されたサービング制御プレーンゲートウェイとは異なり、
プロセッサは、送信機を使用することにより、ソースモビリティ管理ネットワーク要素に変更通知メッセージを送信するようにさらに構成され、変更通知メッセージは、ユーザ機器のサービング制御プレーンゲートウェイがターゲット制御プレーンゲートウェイに変わったことを示すために使用される。
【００５０】
可能な設計では、プロセッサは、受信機を使用することにより、変更通知メッセージに従ってソースモビリティ管理ネットワーク要素によって送信された確認応答メッセージを受信するようにさらに構成され、確認応答メッセージはユーザ機器のソースユーザプレーンゲートウェイのルーティング情報を搬送する。
【００５１】
第9の態様によれば、メモリと、プロセッサと、受信機と、送信機とを含む制御プレーンゲートウェイが提案され、
メモリは、プログラムを記憶し、プロセッサにデータおよび命令を供給するように構成され、
プロセッサは、メモリに記憶されたプログラムを実行するように構成され、具体的には、以下の動作：
受信機を使用することにより、モビリティ管理ネットワーク要素によって送信されたユーザ機器の現在位置情報を受信することと、
ユーザ機器の現在位置情報に従ってユーザ機器用のターゲットユーザプレーンゲートウェイを選択することと、
送信機を使用することにより、モビリティ管理ネットワーク要素に要求メッセージを送信することであって、要求メッセージが、第1のベアラコンテキストを解放し、第2のベアラコンテキストに対するセットアップ要求を送信することをユーザ機器に示すように、モビリティ管理ネットワーク要素に要求するために使用され、第1のベアラコンテキストがユーザ機器のソースユーザプレーンゲートウェイ上に確立されたユーザ機器のベアラコンテキストであり、第2のベアラコンテキストが第1のベアラコンテキストに従ってターゲットユーザプレーンゲートウェイ上にユーザ機器によって再確立されるベアラコンテキストである、送信することと
を実施するように構成される。
【００５２】
可能な設計では、要求メッセージはベアラ削除要求メッセージであり、ベアラ削除要求メッセージは再アクティブ化要求指示を搬送し、再アクティブ化要求指示は、モビリティ管理ネットワーク要素を使用することにより、第1のベアラコンテキストが削除された後、第2のベアラコンテキストに対するセットアップ要求を開始するようにユーザ機器に示すために使用される。
【００５３】
本発明の実施形態におけるサービス継続性保証方法、制御プレーンゲートウェイ、およびモビリティ管理ネットワーク要素によれば、制御プレーンゲートウェイは、UEの移動プロセスにおけるサービス継続性を保証し、ユーザサービス体験を改善するために、UE用の転送U−GWを選択し、転送U−GWとソースU−GWとの間のデータ転送トンネル、および転送U−GWとUEのターゲット基地局との間のデータ転送トンネルをUEのために確立する。
【００５４】
本発明の実施形態における技術的解決策をより明確に記載するために、以下で、実施形態または従来技術を記載するために必要とされる添付図面を簡単に記載する。明らかに、
以下の説明における添付図面は本発明のいくつかの実施形態を示すにすぎず、当業者は、創造的な努力なしに、これらの添付図面から他の図面をさらに導出することができる。
【図面の簡単な説明】
【００５５】
【図１】本発明の一実施形態による、2つの分散ゲートウェイネットワークアーキテクチャの概略図である。
【図２】本発明の一実施形態による、サービス継続性保証方法のフローチャートである。
【図３】本発明の一実施形態による、サービス継続性を保証する対話フローチャートである。
【図４】本発明の一実施形態による、サービス継続性を保証する別の対話フローチャートである。
【図５】本発明の一実施形態による、サービス継続性を保証するさらに別の対話フローチャートである。
【図６】本発明の一実施形態による、サービス継続性を保証するさらに別の対話フローチャートである。
【図７】本発明の一実施形態による、サービス継続性を保証するさらに別の対話フローチャートである。
【図８】本発明の一実施形態による、サービス継続性を保証するさらに別の対話フローチャートである。
【図９】本発明の一実施形態による、サービス継続性保証方法の別のフローチャートである。
【図１０】本発明の一実施形態による、サービス継続性保証方法のさらに別のフローチャートである。
【図１１】本発明の一実施形態による、サービス継続性を保証するさらに別の対話フローチャートである。
【図１２】本発明の一実施形態による、制御プレーンゲートウェイの概略構造図である。
【図１３】本発明の一実施形態による、制御プレーンゲートウェイの別の概略構造図である。
【図１４】本発明の一実施形態による、モビリティ管理ネットワーク要素の概略構造図である。
【図１５】本発明の一実施形態による、制御プレーンゲートウェイの別の概略構造図である。
【図１６】本発明の一実施形態による、制御プレーンゲートウェイの別の概略構造図である。
【図１７】本発明の一実施形態による、モビリティ管理ネットワーク要素の別の概略構造図である。
【図１８】本発明の一実施形態による、制御プレーンゲートウェイのさらに別の概略構造図である。
【発明を実施するための形態】
【００５６】
以下で、本発明の実施形態における添付図面を参照して、本発明の実施形態における技術的解決策を明確かつ完全に記載する。明らかに、記載される実施形態は、本発明の実施形態のうちのいくつかであるが、すべてではない。創造的な努力なしに本発明の実施形態に基づいて、当業者によって取得されるすべての他の実施形態は、本発明の保護範囲内に入るべきである。
【００５７】
本発明の技術的解決策は、モバイル通信用グローバルシステム（GSM（登録商標）、Global System of Mobile communication）、符号分割多元接続（CDMA、Code Division Multiple Access）システム、広帯域符号分割多元接続（WCDMA（登録商標）、Wideband Code Division Multiple Access Wireless）、汎用パケット無線サービス（GPRS、General Pac
ket Radio Service）、ロングタームエボリューション（LTE、Long Term Evolution）、および5Gネットワークなどの、様々な通信システムに適用される場合がある。
【００５８】
本発明の実施形態では、ユーザ機器UE（User Equipment）は、モバイル端末（Mobile Terminal）と呼ばれる場合もあり、以下のタイプのうちのいずれか1つであり得る。ユーザ機器は、静的、モバイル、ポータブル、ポケットサイズ、ハンドヘルド、コンピュータ内蔵、または車載であり得る。ユーザ機器には、限定はしないが、局（Station）、移動局（Mobile Station）、加入者ユニット（Subscriber Unit）、パーソナルコンピュータ（Personal Computer）、ラップトップコンピュータ（Laptop Computer）、タブレットコンピュータ（Tablet Computer）、ネットブック（Netbook）、携帯電話（Cellular Phone）、ハンドヘルドデバイス（Handheld）、コードレスフォン（Cordless Phone）、携帯情報端末（PDA、Personal Digital Assistant）、データカード（Data Card）、USBプラグインデバイス、モバイルWiFiホットスポットデバイス（MiFi Devices）、スマートウォッチ／スマートグラスなどのウェアラブルデバイス（Wearable Devices）、ワイヤレスモデム（Modem）、ワイヤレスルータ、およびワイヤレスローカルループ（WLL、Wireless Local Loop）局が含まれる場合がある。ユーザ機器は、ワイヤレスネットワーク全体に分散され、ワイヤレスアクセスネットワークを使用することにより、1つまたは複数のコアネットワークと通信することができる。
【００５９】
基地局は、GSM（登録商標）もしくはCDMAにおけるトランシーバ基地局（BTS、Base Transceiver Station）であり得るか、WCDMA（登録商標）におけるノードB（NodeB）であり得るか、またはLTEにおける発展型ノードB（eNBもしくはe−NodeB、evolved Node B）であり得る。このことは本発明では限定されない。しかしながら、説明を容易にするために、以下の実施形態では、一例としてeNBを使用することによって説明が提供される。
【００６０】
制御プレーンゲートウェイ（Control plane gateway、C−GW）は、2つの形態：（1）既存の3GPP EPSネットワーク内のサービングゲートウェイ（Serving Gateway、S−GW）の制御プレーン機能およびパケットデータネットワークゲートウェイ（Packet Data Network Gateway、P−GW）の制御プレーン機能が統合された後に取得される単一のネットワーク要素、ならびに（2）既存のS−GWの制御プレーン機能（Control Plane S−GW）および既存のP−GWの制御プレーン機能（Control Plane P−GW）を別々に実装する2つの独立したネットワーク要素を有する場合がある。このことは本発明では限定されない。
【００６１】
C−GWの2つの形態に対応して、ユーザプレーンゲートウェイ（User plane gateway、U−GW）も、2つの形態：（1）既存の3GPP EPSネットワーク内のサービングゲートウェイ（Serving Gateway、S−GW）のユーザプレーン機能およびパケットデータネットワークゲートウェイ（Packet Data Network Gateway、P−GW）のユーザプレーン機能が統合された後に取得される単一のネットワーク要素、ならびに（2）既存のS−GWのユーザプレーン機能（User Plane S−GW）および既存のP−GWのユーザプレーン機能（User Plane P−GW）を別々に実装する2つの独立したネットワーク要素を有する場合がある。このことは本発明では限定されない。U−GWを分散方式で配備することができるという特徴を考慮して、U−GWは、分散ゲートウェイ（Distributed Gateway、D−GW）と呼ばれる場合もある。
【００６２】
同じサービスエリア内の複数のU−GWは、1つのU−GWリソースプールを形成することができる。1つのU−GWリソースプール内のU−GWは、互いに直接通信することができる。別のU−GWリソースプール内のU−GWとの通信を実装するために、各U−GWリソースプール内に1つのデフォルトU−GWが構成される場合がある。
【００６３】
図1は、本発明の一実施形態による、2つのDGWネットワークアーキテクチャの概略図である。DGWアーキテクチャ1は破線の上であり、DGWアーキテクチャ2は破線の下である。
【００６４】
DGWアーキテクチャ1では、既存のEPSネットワークアーキテクチャ内のS−GWおよびP−GWのすべての制御プレーン機能はC−GWに統合され、既存のEPSネットワークアーキテクチャ内のS−GWおよびP−GWのすべてのユーザプレーン機能はU−GWに統合される。C−GWとU−GWとの間の通信を実装するために、2つのネットワーク要素：C−GWとU−GWとの間に、S18インターフェースなどの新しいインターフェースが導入される。このネットワークアーキテクチャでは、別のネットワーク要素およびインターフェースは、既存のEPSネットワークアーキテクチャを再利用することができる。新しく追加されたS18インターフェースは、GTPなどのS−GWとP−GWとの間のインターフェースプロトコル、または別のインターフェースプロトコル、または新しく定義されたプロトコルを再利用することができる。このことは本発明のこの実施形態では限定されない。
【００６５】
DGWアーキテクチャ2では、既存のEPSネットワークアーキテクチャ内のS−GWおよびP−GWは、独立した制御プレーン機能ネットワーク要素および独立したユーザプレーン機能ネットワーク要素（S−GW−CおよびS−GW−U、ならびに、P−GW−CおよびP−GW−U）に別々に分割される。S−GW−CおよびP−GW−CはC−GWと総称される場合があり、S−GW−UおよびP−GW−UはU−GWと総称される場合がある。S−GWとP−GWとの間の既存のインターフェースも、DGWアーキテクチャ2におけるS5−CインターフェースおよびS5−Uインターフェースなどの、制御プレーンインターフェースおよびユーザプレーンインターフェースに分割される。S−GW−CとS−GW−Uとの間の通信を実装するために、2つのネットワーク要素：S−GW−CとS−GW−Uとの間に、S18インターフェースなどの新しいインターフェースが導入される。P−GW−CとP−GW−Uとの間の通信を実装するために、2つのネットワーク要素：P−GW−CとP−GW−Uとの間に、S19インターフェースなどの新しいインターフェースが導入される。このネットワークアーキテクチャでは、別のネットワーク要素およびインターフェースは、既存のEPSネットワークアーキテクチャを再利用することができる。新しく追加されたS18インターフェースおよびS19インターフェースは、GTPなどのS−GWとP−GWとの間のインターフェースプロトコル、または別のインターフェースプロトコル、または新しく定義されたプロトコルを再利用することができる。このことは本発明のこの実施形態では限定されない。
【００６６】
本発明の実施形態における方法および装置は、図1のDGWアーキテクチャ1またはDGWアーキテクチャ2に示された通信システムに適用される場合がある。説明を容易にするために、本発明の実施形態における例として、DGWアーキテクチャ1に示された通信システムが使用される。DGWアーキテクチャ2に示された通信システムの場合、本発明のこの実施形態では、C−GWはDGWアーキテクチャ2におけるS−GW−CおよびP−GW−Cの統合されたネットワーク要素と等価であり、U−GWはDGWアーキテクチャ2におけるS−GW−UおよびP−GW−Uの統合されたネットワーク要素と等価である。
【００６７】
図2は、本発明の一実施形態による、サービス継続性保証方法のフローチャートである。図2の方法は制御プレーンゲートウェイによって実施される。方法は以下のステップを含む。
【００６８】
201．C−GWがモビリティ管理ネットワーク要素によって送信されたUEの現在位置情報を受信する。
【００６９】
本発明のこの実施形態は、以下の適用シナリオのうちのいずれか1つに適用可能である：
（1）ユーザプレーンデータ伝送中に、接続モードのUEが移動し、移動後の位置領域がソース基地局のサービス範囲を超え、UEがソース基地局のサービス範囲から移動したことを検知した後、ソース基地局が接続モードのユーザプレーンデータサービス切替え手順を
開始するように決定する。ソース基地局は、UEが現在位置領域に移動する前に使用されたサービング基地局である。
【００７０】
（2）アップリンクユーザプレーンデータが送信される必要があるとき、アイドルモードのUEが、現在登録されている追跡領域（Tracking Area、TA）などの現在登録されている位置領域から移動し、UEが、追跡領域更新（Tracking Area Update、TAU）手順などの位置更新手順を開始する。
【００７１】
（3）アップリンクユーザプレーンデータが送信される必要があるとき、アイドルモードのUEが、現在のサービング基地局のサービスエリアから移動するが、現在登録されている追跡領域（Tracking Area、TA）などの現在登録されている位置領域からは移動せず、UEが、サービス要求（Service Request）手順を開始する。
【００７２】
適用シナリオ（1）では、ソース基地局によって送信されたユーザプレーンデータ切替え要求を受信した後、モビリティ管理ネットワーク要素は、UEのサービングC−GWにサービス切替え通知を送信することができる。モビリティ管理ネットワーク要素はMMEまたはMMEのモビリティ管理機能を有する別のネットワーク要素であり得ることを理解されたい。特定の用途では、モビリティ管理ネットワーク要素は、セッション作成要求（Create Session Request）メッセージ、ベアラ修正要求（Modify Bearer Request）メッセージ、もしくはアクセスベアラ修正要求（Modify Access Bearers Request）メッセージなどの既存のメッセージを使用することにより、サービス切替え通知を送信することができるか、またはモビリティ管理ネットワーク要素は、新しく作成されたメッセージを使用することにより、サービス切替え通知を送信することができる。サービス切替え通知を送信するために使用される具体的なメッセージは、本発明では限定されない。
【００７３】
適用シナリオ（2）では、UEによって送信された位置更新要求を受信した後、またはUE用の無線アクセスベアラコンテキストの作成に成功した後、モビリティ管理ネットワーク要素は、UEのサービングC−GWに要求メッセージを送信することができる。モビリティ管理ネットワーク要素はMMEまたはMMEのモビリティ管理機能を有する別のネットワーク要素であり得ることを理解されたい。特定の用途では、モビリティ管理ネットワーク要素は、セッション作成要求（Create Session Request）メッセージ、ベアラ修正要求（Modify Bearer Request）メッセージ、もしくはアクセスベアラ修正要求（Modify Access Bearers Request）メッセージなどの既存のメッセージを使用することにより、要求メッセージを送信することができるか、またはモビリティ管理ネットワーク要素は、新しく作成されたメッセージを使用することにより、要求メッセージを送信することができる。要求メッセージを送信するために使用される具体的なメッセージは、本発明では限定されない。
【００７４】
適用シナリオ（3）では、UEによって送信されたサービス要求を受信した後、またはUE用の無線アクセスベアラコンテキストの作成に成功した後、モビリティ管理ネットワーク要素は、UEのサービングC−GWに要求メッセージを送信することができる。モビリティ管理ネットワーク要素はMMEまたはMMEのモビリティ管理機能を有する別のネットワーク要素であり得ることを理解されたい。特定の用途では、モビリティ管理ネットワーク要素は、セッション作成要求（Create Session Request）メッセージ、ベアラ修正要求（Modify Bearer Request）メッセージ、もしくはアクセスベアラ修正要求（Modify Access Bearers Request）メッセージなどの既存のメッセージを使用することにより、要求メッセージを送信することができるか、またはモビリティ管理ネットワーク要素は、新しく作成されたメッセージを使用することにより、要求メッセージを送信することができる。要求メッセージを送信するために使用される具体的なメッセージは、本発明では限定されない。
【００７５】
UEの現在位置情報には、UEの現在位置領域に対応する追跡領域識別情報（Tracking Are
a Identity、TAI）、UEの現在位置領域に対応するサービング基地局情報などが含まれる。UEが現在位置領域に移動するときに使用される対応するTAIは、UEのターゲットTAIである。UEが現在位置領域に移動した後に使用される対応するサービング基地局情報は、UEのターゲット基地局情報である。ターゲット基地局情報は、ターゲット基地局識別情報（Identity、ID）、ターゲットセル識別子（Cell Identity、CI）などであり得る。UEの現在位置領域は、UEのターゲット位置領域、すなわち、UEがソースサービング基地局のサービス範囲から移動した後のUEの位置領域とも呼ばれることを理解されたい。同様に、UEの現在位置情報はUEのターゲット位置情報とも呼ばれる。
【００７６】
202．C−GWがUEの現在位置情報に従ってUE用の少なくとも1つの転送U−GWを選択する。
【００７７】
本発明のこの実施形態では、UEの現在位置領域はUEの現在のサービングU−GWのサービス範囲を超え、C−GWは、UEの現在位置領域に従ってUE用の適切な転送U−GWを選択する必要がある。
【００７８】
203．C−GWが、UEのために、UEに奉仕するソースU−GWと転送U−GWとの間のデータ転送トンネル、および転送U−GWとUEに奉仕するターゲット基地局との間のデータ転送トンネルを確立する。
【００７９】
データ転送トンネルは、UEの移動プロセスにおいて、UEのアップリンクユーザプレーンデータおよび／またはダウンリンクユーザプレーンデータを送信するために使用される。
【００８０】
UEの移動プロセスは、前述の3つの適用シナリオにおいて行われる手順、具体的には、適用シナリオ（1）におけるサービス切替え手順、適用シナリオ（2）における位置更新手順、および適用シナリオ（3）におけるサービス要求手順を含むことを理解されたい。
【００８１】
UEのターゲット基地局は、UEが現在位置領域に移動した後、UEにアクセスサービスを提供する基地局であることを理解されたい。
【００８２】
データ転送トンネルは、UEに奉仕するソースU−GWと転送U−GWとの間のユーザプレーンベアラコンテキスト、および転送U−GWとUEのターゲット基地局との間のユーザプレーンベアラコンテキストを作成することによって実装されることを理解されたい。ユーザプレーンベアラコンテキストは、ユーザプレーンデータを転送するために必要なルーティング情報を含む。具体的には、ソースU−GW上に作成されるユーザプレーンベアラコンテキストは、転送U−GWのルーティング情報およびUEに奉仕するソース基地局のルーティング情報を含み、転送U−GW上に作成されるユーザプレーンベアラコンテキストは、ソースU−GWのルーティング情報およびターゲット基地局のルーティング情報を含み、ターゲット基地局上に作成されるユーザプレーンベアラコンテキストは、転送U−GWのルーティング情報を含む。さらに、ルーティング情報は、アドレス（通常、インターネットプロトコル（Internet Protocol、IP）アドレス）、およびトンネル終点情報（通常、GPRSトンネリングプロトコル（GPRS Tunnelling Protocol、GTP）が使用される場合、トンネル終点情報はGTPトンネル終点識別子（Tunnel Endpoint Identifier、TEID）である）を含む場合がある。
【００８３】
転送U−GWは、ステップ202で述べられた少なくとも1つの転送U−GWであることを理解されたい。UEに奉仕するソースU−GWと転送U−GWとの間、および転送U−GWとUEのターゲット基地局との間に、UEのためにC−GWによって確立されるデータ転送トンネルは、ソースC−GWからターゲット基地局までの2つのネットワーク要素間にデータ転送トンネルを確立するために、ソースU−GW、少なくとも1つの転送U−GW、およびターゲット基地局の間に、C−GWによって確立される通信経路である。
【００８４】
たとえば、少なくとも1つの転送U−GWがただ1つのU−GW：U−GW1を含むとき、確立されるデータ転送トンネル経路は、ソースU−GW→U−GW1→ターゲット基地局である。少なくとも1つの転送U−GWが2つのU−GW：U−GW1およびU−GW2を含み、U−GW1がソースU−GWと通信することができ、U−GW2がターゲット基地局と通信することができるとき、確立されるデータ転送トンネル経路は、ソースU−GW→U−GW1→U−GW2→ターゲット基地局である。少なくとも1つの転送U−GWが、ソースU−GWと通信することができるU−GW1、およびターゲット基地局と通信することができるU−GW2を含む3つ以上のU−GWを含むとき、確立されるデータ転送トンネル経路は、ソースU−GW→U−GW1→…→U−GW2→ターゲット基地局である。U−GW1→…→U−GW2によって示されたデータ転送トンネルは、少なくとも1つの転送U−GWの間のデータ転送トンネルである。
【００８５】
本発明のこの実施形態では、C−GWは、UEの移動プロセスにおけるサービス継続性を保証し、ユーザサービス体験を改善するために、移動後の現在位置情報に従ってUE用の適切な転送U−GWを決定し、転送U−GWとソースU−GWとの間のデータ転送トンネル、および転送U−GWとUEのターゲット基地局との間のデータ転送トンネルを確立する。
【００８６】
場合によっては、一実施形態では、少なくとも1つの転送U−GWはただ1つのU−GW：第1のU−GWを含み、C−GWは、UEが現在位置領域に移動した後に使用されるサービングC−GWであり、C−GWは、UEが現在位置領域に移動する前に使用されたサービングC−GWと同じであり、モビリティ管理ネットワーク要素は、UEが現在位置領域に移動した後に使用されるサービングモビリティ管理ネットワーク要素である。この場合、ステップ203は、具体的に、以下のように実装される：
C−GWにより、モビリティ管理ネットワーク要素によって送信された第1の要求を受信するステップであって、第1の要求がUEのターゲット基地局のルーティング情報を搬送する、ステップ、
C−GWにより、第1のU−GWに第2の要求を送信するステップであって、第2の要求が、第1のU−GWとターゲット基地局との間のデータ転送トンネル、および第1のU−GWとソースU−GWとの間のデータ転送トンネルを確立するように、第1のU−GWに要求するために使用され、第2の要求が、ターゲット基地局のルーティング情報およびソースU−GWのルーティング情報を搬送する、ステップ、ならびに
C−GWにより、ソースU−GWに第3の要求を送信するステップであって、第3の要求が、ソースU−GWと第1のU−GWとの間のデータ転送トンネルを確立するように、ソースU−GWに要求するために使用され、第3の要求が、第1のU−GWのルーティング情報を搬送する、ステップ。
【００８７】
この実施形態では、C−GWは、UEが現在位置領域に移動する前に使用されたサービングC−GWと同じであり、すなわち、サービングC−GWはUEの移動プロセスにおいて変わらないことを理解されたい。この実施形態は、サービングモビリティ管理ネットワーク要素がUEの移動プロセスにおいて変わるシナリオ、またはサービングモビリティ管理ネットワーク要素がUEの移動プロセスにおいて変わらないシナリオに適用可能であり、すなわち、モビリティ管理ネットワーク要素は、UEが現在位置領域に移動する前に使用されたサービングモビリティ管理ネットワーク要素と同じかまたは異なる場合があることを理解されたい。
【００８８】
当然、C−GWは、第2の要求に従って第1のU−GWによって送信された第2の応答、および第3の要求に従ってソースU−GWによって送信された第3の応答をさらに受信することを理解されたい。第2の応答は、第1のU−GWが、第1のU−GWとターゲット基地局との間のデータ転送トンネル、および第1のU−GWとソースU−GWとの間のデータ転送トンネルの確立を許可したことを確認応答するために使用される。場合によっては、第2の応答は、IPアドレスおよびTEID情報などの第1のU−GWのルーティング情報を搬送することができ、第3の
応答は、ソースU−GWが、ソースU−GWと第1のU−GWとの間のデータ転送トンネルの確立を許可したことを確認応答するために使用される。第2の応答および第3の応答を受信した後、C−GWは、モビリティ管理ネットワーク要素に第1の要求の第1の応答を送信することができる。
【００８９】
この実施形態における第1の要求、第2の要求、または第3の要求は、間接データ転送トンネル作成要求（Create Indirect Data Forwarding Tunnel Request）などの既存のメッセージ、または新しく定義されたメッセージを使用することによって送信される場合があることに留意されたい。このことは本発明では限定されない。さらに、この実施形態における第1の応答、第2の応答、または第3の応答は、間接データ転送トンネル作成応答（Create Indirect Data Forwarding Tunnel Response）などの既存のメッセージ、または新しく定義されたメッセージを使用することによって送信される場合がある。このことは本発明では限定されない。
【００９０】
加えて、トンネルの物理的な実装形態はベアラコンテキストであり、ベアラコンテキストはトンネルのピア終端のルーティング情報を含むことを理解されたい。制御プレーンゲートウェイは、2つのユーザプレーンゲートウェイに要求を別々に送信し、ベアラコンテキストを別々に作成する必要があり、ベアラコンテキストはピア終端のルーティング情報を含むこのようにして、2つのユーザプレーンゲートウェイの間にトンネルが確立される。
【００９１】
場合によっては、別の実施形態では、少なくとも1つの転送U−GWは第2のU−GWおよび第3のU−GWを含み、C−GWは、UEが現在位置領域に移動した後に使用されるサービングC−GWであり、C−GWは、UEが現在位置領域に移動する前に使用されたサービングC−GWと同じであり、モビリティ管理ネットワーク要素は、UEが現在位置領域に移動した後に使用されるサービングモビリティ管理ネットワーク要素であり、モビリティ管理ネットワーク要素は、UEが現在位置領域に移動する前に使用されたサービングモビリティ管理ネットワーク要素と同じかまたは異なる。この場合、ステップ203は、具体的に、以下のように実装される：
C−GWにより、モビリティ管理ネットワーク要素によって送信された第1の要求を受信するステップであって、第1の要求がUEのターゲット基地局のルーティング情報を搬送する、ステップ、
C−GWにより、第2のU−GWに第2の要求を送信するステップであって、第2の要求が、第2のU−GWとターゲット基地局との間のデータ転送トンネル、および第2のU−GWと第3のU−GWとの間のデータ転送トンネルを確立するように、第2のU−GWに要求するために使用され、第2の要求が、ターゲット基地局のルーティング情報および第3のU−GWのルーティング情報を搬送する、ステップ、
C−GWにより、第3のU−GWに第3の要求を送信するステップであって、第3の要求が、第3のU−GWと第2のU−GWとの間のデータ転送トンネル、および第3のU−GWとソースU−GWとの間のデータ転送トンネルを確立するように、第3のU−GWに要求するために使用され、第3の要求が、第2のU−GWのルーティング情報およびソースU−GWのルーティング情報を搬送する、ステップ、ならびに
C−GWにより、ソースU−GWに第4の要求を送信するステップであって、第4の要求が、ソースU−GWと第3のU−GWとの間のデータ転送トンネルを確立するように、ソースU−GWに要求するために使用され、第4の要求が、第3のU−GWのルーティング情報を搬送する、ステップ。
【００９２】
この実施形態では、C−GWは、UEが現在位置領域に移動する前に使用されたサービングC−GWと同じであり、すなわち、サービングC−GWはUEの移動プロセスにおいて変わらないことを理解されたい。この実施形態は、サービングモビリティ管理ネットワーク要素がUE
の移動プロセスにおいて変わるシナリオ、またはサービングモビリティ管理ネットワーク要素がUEの移動プロセスにおいて変わらないシナリオに適用可能であり、すなわち、モビリティ管理ネットワーク要素は、UEが現在位置領域に移動する前に使用されたサービングモビリティ管理ネットワーク要素と同じかまたは異なる場合があることを理解されたい。
【００９３】
同様に、C−GWは、第2の要求に従って第2のU−GWによって送信された第2の応答、第3の要求に従って第3のU−GWによって送信された第3の応答、および第4の要求に従ってソースU−GWによって送信された第4の応答をさらに受信する。第2の応答は、第2のU−GWが、第2のU−GWとターゲット基地局との間のデータ転送トンネル、および第2のU−GWと第3のU−GWとの間のデータ転送トンネルの確立を許可したことを確認応答するために使用される。場合によっては、第2の応答は、IPアドレスおよびTEID情報などの、第2のU−GWのルーティング情報を搬送することができる。第3の応答は、第3のU−GWが、第3のU−GWと第2のU−GWとの間のデータ転送トンネル、および第3のU−GWとソースU−GWとの間のデータ転送トンネルの確立を許可したことを確認応答するために使用される。場合によっては、第3の応答は、IPアドレスおよびTEID情報などの、第3のU−GWのルーティング情報を搬送することができる。第4の応答は、ソースU−GWが、ソースU−GWと第3のU−GWとの間のデータ転送トンネルの確立を許可したことを確認応答するために使用される。第2の応答、第3の応答、および第4の応答を受信した後、C−GWは、モビリティ管理ネットワーク要素に第1の要求の第1の応答を送信することができる。
【００９４】
この実施形態における第1の要求、第2の要求、第3の要求、または第4の要求は、間接データ転送トンネル作成要求（Create Indirect Data Forwarding Tunnel Request）などの既存のメッセージ、または新しく定義されたメッセージを使用することによって送信される場合があることに留意されたい。このことは本発明では限定されない。さらに、この実施形態における第1の応答、第2の応答、第3の応答、または第4の応答は、間接データ転送トンネル作成応答（Create Indirect Data Forwarding Tunnel Response）などの既存のメッセージ、または新しく定義されたメッセージを使用することによって送信される場合がある。このことは本発明では限定されない。
【００９５】
C−GWによって決定された少なくとも1つの転送U−GWは、3つ以上の転送U−GWであり得る。C−GWは、各転送U−GWにデータ転送トンネル確立要求を送信して、ソース転送U−GW、少なくとも1つの転送U−GW、およびターゲット基地局の間にデータ転送トンネルを確立する。たとえば、少なくとも1つの転送U−GWは、U−GW1、U−GW2、およびU−GW3を含む。U−GW1はソースU−GWと通信することができ、U−GW3はターゲットU−GWと通信することができ、確立される転送トンネル経路は、ソースU−GW→U−GW1→U−GW2→U−GW3→ターゲットU−GWである。
【００９６】
場合によっては、さらに別の実施形態では、C−GWは、モビリティ管理ネットワーク要素によって送信されたUEのソースU−GWのルーティング情報をさらに受信する。少なくとも1つの転送U−GWはただ1つのU−GW：第1のU−GWを含み、C−GWは、UEが現在位置領域に移動した後に使用されるサービングC−GWであり、C−GWは、UEが現在位置領域に移動する前に使用されたサービングC−GWとは異なり、モビリティ管理ネットワーク要素は、UEが現在位置領域に移動した後に使用されるサービングモビリティ管理ネットワーク要素であり、モビリティ管理ネットワーク要素は、UEが現在位置領域に移動する前に使用されたサービングモビリティ管理ネットワーク要素と同じかまたは異なる。この場合、ステップ203は、具体的に、以下のように実装される：
C−GWにより、モビリティ管理ネットワーク要素によって送信された第1の要求を受信するステップであって、第1の要求がUEのターゲット基地局のルーティング情報を搬送する、ステップ、ならびに
C−GWにより、第1のU−GWに第2の要求を送信するステップであって、第2の要求が、第1
のU−GWとターゲット基地局との間のデータ転送トンネル、および第1のU−GWとソースU−GWとの間のデータ転送トンネルを確立するように、第1のU−GWに要求するために使用され、第2の要求が、ターゲット基地局のルーティング情報およびソースU−GWのルーティング情報を搬送する、ステップ。
【００９７】
この実施形態では、C−GWは、UEが現在位置領域に移動する前に使用されたサービングC−GWとは異なり、すなわち、サービングC−GWはUEの移動プロセスにおいて変わることを理解されたい。この実施形態は、サービングモビリティ管理ネットワーク要素がUEの移動プロセスにおいて変わるシナリオ、またはサービングモビリティ管理ネットワーク要素がUEの移動プロセスにおいて変わらないシナリオに適用可能であり、すなわち、モビリティ管理ネットワーク要素は、UEが現在位置領域に移動する前に使用されたサービングモビリティ管理ネットワーク要素と同じかまたは異なる場合があることを理解されたい。
【００９８】
同様に、C−GWは、第2の要求に従って第1のU−GWによって送信された第2の応答をさらに受信する。第2の応答は、第1のU−GWが、第1のU−GWとターゲット基地局との間のデータ転送トンネル、および第1のU−GWとソースU−GWとの間のデータ転送トンネルの確立を許可したことを確認応答するために使用される。場合によっては、第2の応答は、IPアドレスおよびTEID情報などの、第1のU−GWのルーティング情報を搬送することができる。第2の応答を受信した後、C−GWは、モビリティ管理ネットワーク要素に第1の要求の第1の応答を送信することができる。
【００９９】
当然、本発明のこの実施形態では、この実施形態におけるUEのサービングC−GWはUEの移動プロセスにおいて変わるので、この実施形態におけるステップ203は、具体的に、ターゲットC−GW、すなわち、UEが現在位置領域に移動した後に使用されるサービングC−GWによって実施されることを理解されたい。さらに、ターゲットC−GWは、ソースU−GWにデータ転送トンネル確立要求を送信し、ソースU−GWに第1のU−GWのルーティング情報を送信するように、モビリティ管理ネットワーク要素を介してソースC−GWにさらに示すべきである。ソースC−GWは、UEが現在位置領域に移動する前に使用されたサービングC−GWであり、ソースU−GWは、UEが現在位置領域に移動する前に使用されたサービングU−GWである。
【０１００】
この実施形態における第1の要求または第2の要求は、間接データ転送トンネル作成要求（Create Indirect Data Forwarding Tunnel Request）などの既存のメッセージ、または新しく定義されたメッセージを使用することによって送信される場合があることに留意されたい。このことは本発明では限定されない。さらに、この実施形態における第1の応答または第2の応答は、間接データ転送トンネル作成応答（Create Indirect Data Forwarding Tunnel Response）などの既存のメッセージ、または新しく定義されたメッセージを使用することによって送信される場合がある。このことは本発明では限定されない。
【０１０１】
場合によっては、さらに別の実施形態では、C−GWは、モビリティ管理ネットワーク要素によって送信されたUEのソースU−GWのルーティング情報をさらに受信する。少なくとも1つの転送U−GWは第2のU−GWおよび第3のU−GWを含み、C−GWは、UEが現在位置領域に移動した後に使用されるサービングC−GWであり、C−GWは、UEが現在位置領域に移動する前に使用されたサービングC−GWとは異なり、モビリティ管理ネットワーク要素は、UEが現在位置領域に移動した後に使用されるサービングモビリティ管理ネットワーク要素であり、モビリティ管理ネットワーク要素は、UEが現在位置領域に移動する前に使用されたサービングモビリティ管理ネットワーク要素と同じかまたは異なる。この場合、ステップ203は、具体的に、以下のように実装される：
C−GWにより、モビリティ管理ネットワーク要素によって送信された第1の要求を受信するステップであって、第1の要求がUEのターゲット基地局のルーティング情報を搬送する
、ステップ、
C−GWにより、第2のU−GWに第2の要求を送信するステップであって、第2の要求が、第2のU−GWとターゲット基地局との間のデータ転送トンネル、および第2のU−GWと第3のU−GWとの間のデータ転送トンネルを確立するように、第2のU−GWに要求するために使用され、第2の要求が、ターゲット基地局のルーティング情報および第3のU−GWのルーティング情報を搬送する、ステップ、ならびに
C−GWにより、第3のU−GWに第3の要求を送信するステップであって、第3の要求が、第3のU−GWと第2のU−GWとの間のデータ転送トンネル、および第3のU−GWとソースU−GWとの間のデータ転送トンネルを確立するように、第3のU−GWに要求するために使用され、第3の要求が、第2のU−GWのルーティング情報およびソースU−GWのルーティング情報を搬送する、ステップ。
【０１０２】
この実施形態では、C−GWは、UEが現在位置領域に移動する前に使用されたサービングC−GWとは異なり、すなわち、サービングC−GWはUEの移動プロセスにおいて変わることを理解されたい。この実施形態は、サービングモビリティ管理ネットワーク要素がUEの移動プロセスにおいて変わるシナリオ、またはサービングモビリティ管理ネットワーク要素がUEの移動プロセスにおいて変わらないシナリオに適用可能であり、すなわち、モビリティ管理ネットワーク要素は、UEが現在位置領域に移動する前に使用されたサービングモビリティ管理ネットワーク要素と同じかまたは異なる場合があることを理解されたい。
【０１０３】
同様に、C−GWは、第2の要求に従って第2のU−GWによって送信された第2の応答、および第3の要求に従って第3のU−GWによって送信された第3の応答をさらに受信する。第2の応答は、第2のU−GWが、第2のU−GWとターゲット基地局との間のデータ転送トンネル、および第2のU−GWと第3のU−GWとの間のデータ転送トンネルの確立を許可したことを確認応答するために使用される。場合によっては、第2の応答は、IPアドレスおよびTEID情報などの、第2のU−GWのルーティング情報を搬送することができる。第3の応答は、第3のU−GWが、第3のU−GWと第2のU−GWとの間のデータ転送トンネル、および第3のU−GWとソースU−GWとの間のデータ転送トンネルの確立を許可したことを確認応答するために使用される。場合によっては、第3の応答は、IPアドレスおよびTEID情報などの、第3のU−GWのルーティング情報を搬送することができる。第2の応答および第3の応答を受信した後、C−GWは、モビリティ管理ネットワーク要素に第1の要求の第1の応答を送信することができる。
【０１０４】
当然、本発明のこの実施形態では、この実施形態におけるUEのサービングC−GWはUEの移動プロセスにおいて変わるので、この実施形態におけるステップ203は、具体的に、ターゲットC−GW、すなわち、UEが現在位置領域に移動した後に使用されるサービングC−GWによって実施されることを理解されたい。さらに、ターゲットC−GWは、ソースU−GWにデータ転送トンネル確立要求を送信し、ソースU−GWに第3のU−GWのルーティング情報を送信するように、モビリティ管理ネットワーク要素を介してソースC−GWにさらに示すべきである。ソースC−GWは、UEが現在位置領域に移動する前に使用されたサービングC−GWであり、ソースU−GWは、UEが現在位置領域に移動する前に使用されたサービングU−GWである。
【０１０５】
この実施形態における第1の要求、第2の要求、または第3の要求は、間接データ転送トンネル作成要求（Create Indirect Data Forwarding Tunnel Request）などの既存のメッセージ、または新しく定義されたメッセージを使用することによって送信される場合があることに留意されたい。このことは本発明では限定されない。さらに、この実施形態における第1の応答、第2の応答、または第3の応答は、間接データ転送トンネル作成応答（Create Indirect Data Forwarding Tunnel Response）などの既存のメッセージ、または新しく定義されたメッセージを使用することによって送信される場合がある。このことは本発明では限定されない。
【０１０６】
場合によっては、図2の前述の4つの具体的な実施形態では、少なくとも1つの転送U−GWが第1のU−GWであるとき、方法は、C−GWにより、モビリティ管理ネットワーク要素を介してターゲット基地局に第1のU−GWのルーティング情報を送信するステップをさらに含む。
【０１０７】
代替として、図2の前述の4つの具体的な実施形態では、少なくとも1つの転送U−GWが第2のU−GWおよび第3のU−GWであるとき、方法は、C−GWにより、モビリティ管理ネットワーク要素を介してターゲット基地局に第2のU−GWのルーティング情報を送信するステップをさらに含む。
【０１０８】
場合によっては、図2の前述の4つの具体的な実施形態では、方法は、C−GWにより、ターゲットU−GWにセッション作成要求を送信するステップをさらに含む場合があり、セッション作成要求は、UE用のターゲットU−GW上に、ユーザプレーンデータ伝送用のベアラコンテキストを作成するために使用され、各々の作成されたベアラコンテキストは、ターゲットU−GWの（IPアドレスおよびTEID情報などの）ルーティング情報を含み、ターゲットU−GWはUEの現在位置領域に対応するサービングU−GWである。ターゲットU−GWは、一般に、現在位置領域内のUEに最適なデータ伝送経路を提供するサービングU−GWであることを理解されたい。さらに、C−GWは、モビリティ管理ネットワーク要素を介してターゲット基地局にターゲットU−GWのルーティング情報を送信する。
【０１０９】
場合によっては、図2の前述の4つの具体的な実施形態では、少なくとも1つの転送U−GWが第1のU−GWであるとき、第1のU−GWはさらに、UEの現在位置情報に従ってUE用のC−GWによって選択されたサービングU−GWであり得る。すなわち、第1のU−GWはターゲットU−GWである。この場合、ターゲットD−GWはソースD−GWと直接通信することができ、すなわち、ターゲットU−GWも転送U−GWの役割を果たす。ターゲットU−GWがソースD−GWと直接通信することができないとき、C−GWによって選択された転送U−GWはターゲットU−GWとは異なることを理解されたい。
【０１１０】
以下で、具体的な実施形態を参照して本発明の実施形態における方法をさらに記載する。説明を容易にするために、以下の実施形態ではモビリティ管理ネットワーク要素としてMMEが使用される。当然、特定の用途では、モビリティ管理ネットワーク要素は、代替的に、モビリティ管理ネットワーク要素機能を有する別のデバイスであり得る。このことは本発明のこの実施形態では限定されない。
【０１１１】
図3は、本発明の一実施形態による、サービス継続性を保証する対話フローチャートである。図3では、ソース基地局は、UEが現在位置領域に移動する前に使用されたサービング基地局である。ターゲット基地局は、UEが現在位置領域に移動した後に使用されるサービング基地局である。UEのサービングMMEおよびサービングC−GWは、UEの移動の前後で変わらないままである。ソースU−GWは、UEが現在位置領域に移動する前に使用されたサービングU−GWである。ターゲットU−GWは、UEが現在位置領域に移動した後に使用されるU−GWである。転送U−GWは、UEが現在位置領域に移動した後に使用され、データサービス切替えに使用されるU−GWである。サービス切替えの前に、アップリンク／ダウンリンクユーザプレーンデータ伝送経路は、UE⇔ソース基地局⇔ソースU−GWであり、すなわち、図3の破線L1aおよび破線L2aによって示された伝送経路である。
【０１１２】
本発明のこの実施形態における具体的なサービス切替え手順は以下の通りである。
【０１１３】
S301．ソース基地局が接続モードのUEのユーザプレーンデータ切替え手順を開始する。
【０１１４】
UEがソース基地局のサービス範囲から移動し、UEがユーザプレーンデータサービスを実施していることをUEのソース基地局が検知すると、ソース基地局は、接続モードのユーザプレーンデータサービス切替え手順を開始するように決定することができる。
【０１１５】
S302．ソース基地局がMMEにサービス切替え要求メッセージを送信する。
【０１１６】
本発明のこの実施形態における別のステップのサービス切替え要求メッセージから区別されるために、ソース基地局によってMMEに送信されるサービス切替え要求メッセージは、サービス切替え要求メッセージ1と呼ばれる。
【０１１７】
ソース基地局は、現在のサービングMME（すなわち、図3のMME）にサービス切替え要求メッセージ1を送信し、メッセージにUEの現在位置情報を追加する。UEの現在位置情報には、UEの現在位置領域に対応する追跡領域識別情報（Tracking Area Identity、TAI）、UEの現在位置領域に対応するサービング基地局情報などが含まれる。UEが現在位置領域に移動するときに使用される対応するTAIは、UEのターゲットTAIである。UEが現在位置領域に移動した後に使用される対応するサービング基地局情報は、UEのターゲット基地局情報である。ターゲット基地局情報は、ターゲット基地局識別情報（Identity、ID）、ターゲットセル識別子（Cell Identity、CI）などであり得る。UEの現在位置領域は、UEのターゲット位置領域、すなわち、UEがソースサービング基地局のサービス範囲から移動した後のUEの位置領域とも呼ばれる。同様に、UEの現在位置情報はUEのターゲット位置情報とも呼ばれる。
【０１１８】
S303．MMEがC−GWにサービス切替え通知メッセージを送信する。
【０１１９】
サービス切替え要求メッセージ1を受信した後、UEのサービングMMEは、UEが現在基地局（ソース基地局）のサービス範囲から移動したことを知り、次いで、現在のサービングC−GWにサービス切替え通知メッセージを送信する。サービス切替え通知メッセージはUEの現在位置情報を搬送する。サービス切替え通知メッセージは、UEが新しいターゲット位置領域にハンドオーバされる必要があることをC−GWに通知するために使用される。MMEは、セッション作成要求（Create Session Request）メッセージ、ベアラ修正要求（Modify Bearer Request）メッセージ、またはアクセスベアラ修正要求（Modify Access Bearers Request）メッセージなどの既存のメッセージを再利用し、メッセージにUEの現在位置情報を追加することができる。代替として、MMEは、新しいメッセージを定義して、サービス切替え通知メッセージを送信することができる。このことは本発明のこの実施形態では限定されない。
【０１２０】
S304．C−GWがターゲットU−GWおよび転送U−GWを決定する。
【０１２１】
MMEによって送信されたサービス切替え通知メッセージを受信した後、C−GWは、UEの現在位置情報に従って、UEの現在のサービングU−GW（ソースU−GW）が再割振りされる必要があるかどうか、すなわち、UEがソースU−GWのサービス範囲から移動したかどうかを判定することができる。C−GWは、C−GWのサービス範囲内の各U−GWのサービス領域情報をリアルタイムで記憶するので、C−GWは、（ターゲットTAIまたはターゲット基地局IDなどの）UEの現在位置情報に従って、UEがソースU−GWのサービス範囲から移動したかどうかを判定することができることに留意されたい。
【０１２２】
UEがソースU−GWのサービス範囲から移動していない場合、UEのデータサービス切替えはソースU−GWにおいて実施される場合がある。具体的な実装形態については、U−GWまたはP−GWによってデータサービスを切り替えるための従来技術の方法を参照されたい。詳細は本発明のこの実施形態では記載されない。
【０１２３】
UEのサービングU−GWが再割振りされる必要があるとC−GWが判定した場合、C−GWは、UEの現在位置情報に従って、適切なターゲットU−GWを選択して、ターゲットU−GWがUE用の現在位置領域内の最適なデータ伝送経路を提供することができることを保証し、ユーザプレーンデータの伝送RTTをできるだけ削減する。
【０１２４】
さらに、C−GWは、ターゲットU−GWがソースU−GWと直接通信することができるかどうかをチェックする必要がある。ターゲットU−GWがソースU−GWと直接通信することができる場合、ターゲットU−GWは転送U−GWであり、すなわち、すべての後続ステップにおいて転送U−GWに対して実施される送信は、ターゲットU−GWに対して実施される送信である。ターゲットU−GWがソースU−GWと直接通信することができない場合、UEのターゲット位置情報に従って、ソースU−GWと直接通信することができるU−GWが転送U−GWとして選択される。図4から図6においてターゲットU−GWおよび転送U−GWを決定する方式は、この方式と同様である。
【０１２５】
特別なシナリオにおいてサービス継続性を保証するために、2つ以上の転送U−GWが存在する場合があることに留意されたい。通常、UEが隣接U−GWプールに移動した場合、C−GWは、ターゲットU−GWと通信する（ターゲット転送U−GWと呼ばれる場合がある）転送U−GWとして、隣接U−GWプール内のデフォルトU−GWを選択する。デフォルトU−GWがソースU−GWとも直接通信することができない場合、さらに、C−GWは、ソースU−GWと通信する（ソース転送U−GWと呼ばれる場合がある）転送U−GWとして、ソースU−GWが位置するU−GWプール内のデフォルトU−GWを選択することができ、2つの転送U−GWは、UEの移動プロセスにおいてサービス継続性を保証するために使用される。
【０１２６】
S305．C−GWがMMEに切替え通知確認応答メッセージを返信する。
【０１２７】
C−GWは、MMEに切替え通知確認応答メッセージを返信し、メッセージに、C−GWによって選択された転送U−GWのアドレスおよびトンネル終点情報を追加する。
【０１２８】
たとえば、転送U−GWのアドレスは、転送U−GWのインターネットプロトコル（Internet Protocol、IP）アドレスであり得る。転送U−GWのトンネル終点情報は、MMEとC−GWとの間のプロトコルに応じて変わる場合がある。たとえば、GTPがMMEとC−GWとの間で使用されるとき、転送U−GWのトンネル終点情報は、GTPトンネル終点識別子（Tunnel Endpoint Identifier、TEID）であり得る。
【０１２９】
加えて、ステップS304において、複数の転送U−GW、たとえば、ソース転送U−GWおよびターゲット転送U−GWが決定された場合、C−GWは、切替え通知確認応答メッセージに、UEのターゲット位置領域内に位置するターゲット転送U−GWのアドレスおよびトンネル終点情報を追加する。切替え通知確認応答メッセージがMMEに返信されるとき、セッション作成応答（Create Session Response）メッセージ、ベアラ修正応答（Modify Bearer Response）メッセージ、もしくはアクセスベアラ修正応答（Modify Access Bearers Response）メッセージなどの既存のメッセージが再利用される場合があるか、または新しいメッセージが定義される場合があることに留意されたい。このことは本発明のこの実施形態では限定されない。
【０１３０】
S306．MMEがターゲット基地局にサービス切替え要求メッセージを送信する。
【０１３１】
本発明のこの実施形態における別のステップのサービス切替え要求メッセージから区別されるために、MMEによってターゲット基地局に送信されるサービス切替え要求メッセージは、サービス切替え要求メッセージ2と呼ばれる。
【０１３２】
MMEは、ターゲット基地局にサービス切替え要求メッセージ2を送信し、ターゲット基地局に、C−GWによって送信された転送U−GWのアドレスおよびトンネル終点情報を転送し、その結果、次にアップリンクデータ伝送経路が転送U−GWにハンドオーバされる。転送U−GWのアドレスおよびトンネル終点情報は、サービス切替え要求メッセージ2を使用することによって送信される場合があるか、または単独で送信される場合がある。
【０１３３】
S307．ターゲット基地局がMMEに切替え要求確認応答メッセージを返信する。
【０１３４】
本発明のこの実施形態における別のステップの切替え要求確認応答メッセージから区別されるために、かつ切替え要求確認応答メッセージに対応するサービス切替え要求メッセージの数字識別子と対応する数字識別子を照合するために、ターゲット基地局によってMMEに送信される切替え要求確認応答メッセージは、切替え要求確認応答メッセージ2と呼ばれる。
【０１３５】
MMEによって送信されたサービス切替え要求メッセージ2を受信した後、ターゲット基地局は、MMEに切替え要求確認応答メッセージ2を返信し、MMEにターゲット基地局の（IPアドレスなどの）アドレスおよび（GTP TEIDなどの）トンネル終点情報を送信することができる。同様に、ターゲット基地局のアドレスおよびトンネル終点情報は、切替え要求確認応答メッセージ2を使用することによって送信される場合があるか、または単独で送信される場合がある。
【０１３６】
S308．MMEがC−GWにデータ転送トンネル確立要求を送信する。
【０１３７】
本発明のこの実施形態における別のステップのデータ転送トンネル確立要求から区別されるために、MMEによってC−GWに送信されるデータ転送トンネル確立要求は、データ転送トンネル確立要求1と呼ばれる。
【０１３８】
MMEは、C−GWにデータ転送トンネル確立要求1を送信し、C−GWにターゲット基地局のアドレスおよびトンネル終点情報を送信し、その結果、次にダウンリンクデータ伝送経路がターゲット基地局にハンドオーバされる。
【０１３９】
データ転送トンネル確立要求は、間接データ転送トンネル作成要求（Create Indirect Data Forwarding Tunnel Request）もしくはベアラ修正要求（Modify Bearer Request）メッセージなどの既存のメッセージ、または新しく定義されたメッセージを再利用することによって送信される場合があることに留意されたい。このことは本発明では限定されない。説明は本発明のすべての実施形態に適用可能である。
【０１４０】
S309．C−GWが転送U−GWにデータ転送トンネル確立要求を送信する。
【０１４１】
本発明のこの実施形態における別のステップのデータ転送トンネル確立要求から区別されるために、かつデータ転送トンネル確立要求に対応するデータ転送トンネル確立要求の数字識別子と対応する数字識別子を照合するために、C−GWによって転送U−GWに送信されるデータ転送トンネル確立要求は、データ転送トンネル確立要求2と呼ばれる。
【０１４２】
C−GWは、転送U−GWにデータ転送トンネル確立要求2を送信し、転送U−GWに、ターゲット基地局のアドレスおよびトンネル終点情報、ならびにソースU−GWのアドレスおよびトンネル終点情報を送信する。
【０１４３】
加えて、ステップS304において、複数の転送U−GW、たとえば、ソース転送U−GW（すな
わち、上述された第3のU−GW）およびターゲット転送U−GW（すなわち、上述された第2のU−GW）が必要とされる場合、C−GWは、各転送U−GWにデータ転送トンネル確立要求を送信するべきであり、要求はピアネットワーク要素のアドレスおよびトンネル終点情報を搬送する。たとえば、ソース転送U−GWに送信されるデータ転送トンネル確立要求は、ソースU−GWおよびターゲット転送U−GWのアドレスおよびトンネル終点情報を搬送し、ターゲット転送U−GWに送信されるデータ転送トンネル確立要求は、ソース転送U−GWのアドレスおよびトンネル終点情報、ならびにターゲット基地局のアドレスおよびトンネル終点情報を搬送する。
【０１４４】
S310．転送U−GWがC−GWにデータ転送トンネル確立応答を返信する。
【０１４５】
本発明のこの実施形態における別のステップのデータ転送トンネル確立応答から区別されるために、かつデータ転送トンネル確立応答に対応するデータ転送トンネル確立要求の数字識別子と対応する数字識別子を照合するために、転送U−GWによってC−GWに送信されるデータ転送トンネル確立応答は、データ転送トンネル確立応答2と呼ばれる。
【０１４６】
転送U−GWは、C−GWにデータ転送トンネル確立応答2を返信して、C−GWによって送信されたデータ転送トンネル確立要求2に応答し、ターゲット基地局と転送U−GWとの間のデータ転送トンネルの確立、およびソースU−GWと転送U−GWとの間のデータ転送トンネルの確立が許可されることを決定する。場合によっては、データ転送トンネル確立応答2は、転送U−GWのアドレスおよびトンネル終点情報を搬送することができる。
【０１４７】
ステップS304において複数の転送U−GWが必要とされる場合、C−GWは、各転送U−GWにデータ転送トンネル確立要求を送信するべきであり、それに対応して、各転送U−GWは、データ転送トンネル確立応答を返信して、データ転送トンネルの確立が許可されることを示すべきである。
【０１４８】
本発明におけるデータ転送トンネル確立要求に対する応答はすべて、データ転送トンネルの確立が許可されることを示すことを理解されたい。データ転送トンネルの確立が許可されないことを示す応答が存在する場合、本発明のこの実施形態における方法は、もはや実施されない。これは以下に適用可能である。
【０１４９】
データ転送トンネル確立応答は、間接データ転送トンネル作成応答（Create Indirect Data Forwarding Tunnel Response）もしくはベアラ修正応答（Modify Bearer Response）メッセージなどの既存のメッセージ、または新しく定義されたメッセージを再利用することによって送信される場合があることに留意されたい。このことは本発明では限定されない。説明は本発明のすべての実施形態に適用可能である。
【０１５０】
S311．C−GWがソースU−GWにデータ転送トンネル確立要求を送信する。
【０１５１】
本発明のこの実施形態における別のステップのデータ転送トンネル確立要求から区別されるために、C−GWによってソースU−GWに送信されるデータ転送トンネル確立要求は、データ転送トンネル確立要求3と呼ばれる。
【０１５２】
C−GWは、ソースU−GWにデータ転送トンネル確立要求3を送信し、ソースU−GWに転送U−GWのアドレスおよびトンネル終点情報を送信する。
【０１５３】
ステップS304において複数の転送U−GWが決定された場合、C−GWは、ソースU−GWに、UEの現在位置領域内に位置するソース転送U−GWのアドレスおよびトンネル終点情報を送信する。
【０１５４】
S312．ソースU−GWがC−GWにデータ転送トンネル確立応答を返信する。
【０１５５】
本発明のこの実施形態における別のステップのデータ転送トンネル確立応答から区別されるために、かつデータ転送トンネル確立応答に対応するデータ転送トンネル確立要求の数字識別子と対応する数字識別子を照合するために、ソースU−GWによってC−GWに送信されるデータ転送トンネル確立応答は、データ転送トンネル確立応答3と呼ばれる。
【０１５６】
ソースU−GWは、C−GWにデータ転送トンネル確立応答3を返信して、C−GWによって送信されたデータ転送トンネル確立要求3に応答し、転送U−GWとソースU−GWとの間のデータ転送トンネルの確立が許可されることを決定する。
【０１５７】
S313．ソースU−GWと転送U−GWとの間のデータ転送トンネルを確立する。
【０１５８】
ピアU−GWのアドレスおよびトンネル終点情報が取得された後、ソースU−GWと転送U−GWとの間のデータ転送トンネルが確立される。
【０１５９】
当然、ステップS304において、複数の転送U−GW、たとえば、ソース転送U−GWおよびターゲット転送U−GWが決定された場合、ソースU−GWとソース転送U−GWとの間のデータ転送トンネル、およびソース転送U−GWとターゲット転送U−GWとの間のデータ転送トンネルが、それに対応して確立される。
【０１６０】
S314．C−GWがMMEにデータ転送トンネル確立応答を返信する。
【０１６１】
本発明のこの実施形態における別のステップのデータ転送トンネル確立応答から区別されるために、かつデータ転送トンネル確立応答に対応するデータ転送トンネル確立要求の数字識別子と対応する数字識別子を照合するために、C−GWによってMMEに送信されるデータ転送トンネル確立応答は、データ転送トンネル確立応答1と呼ばれる。
【０１６２】
ソースU−GWとソース転送U−GWとの間にデータ転送トンネルが確立された後、C−GWは、MMEにデータ転送トンネル確立応答1を返信して、データ転送トンネルが確立され、サービス切替えを実施することができることをMMEに通知する。
【０１６３】
S315．MMEがソース基地局に切替えコマンドを送信する。
【０１６４】
MMEはソース基地局に切替えコマンドを送信し、コマンドは転送U−GWのアドレスおよびトンネル終点情報を搬送する。複数の転送U−GW、たとえば、ソース転送U−GWおよびターゲット転送U−GWが必要とされる場合、コマンドは、UEのソース位置領域内に位置するソース転送U−GWのアドレスおよびトンネル終点情報を搬送する。
【０１６５】
S316．ソース基地局がデータ切替え手順を実施する。
【０１６６】
ソース基地局は、既存のデータ切替え手順の実施を続行し、ターゲットセルにUEをハンドオーバし、ターゲットセルにアクセスするようにUEに示し、ターゲット位置へのUEの完全なハンドオーバを実施する次のステップにおいて、既存の切替え手順を再利用することができる。
【０１６７】
切替えプロセスにおいて、および切替えが完了した後、アップリンク／ダウンリンクユーザプレーンデータ伝送経路は、UE⇔ターゲット基地局⇔転送U−GW⇔ソースU−GW、すなわち、図3の破線L3a、破線L4a、破線L5a、および破線L6aによって示された伝送経路に変
わる。切替え前、切替え中、および切替え後、アップリンク／ダウンリンクユーザプレーンデータ伝送経路は、ソースU−GWを通過することに留意されたい。しかしながら、ソースU−GWと転送U−GWの両方がUEに近い位置に向かって下方に移動したことを考慮すると、ソースU−GWも転送U−GWに非常に近く、したがって、ユーザプレーンデータのRTTは著しく増加しない。2つ以上のU−GWが転送U−GWとして使用されることをC−GWが決定すると、転送U−GWのデータ転送トンネル経路は、すべての転送U−GWを通過する。たとえば、転送U−GWがターゲット転送U−GWおよびソース転送U−GWを含む場合、伝送経路は、UE⇔ターゲット基地局⇔ターゲット転送U−GW⇔ソース転送U−GW⇔ソースU−GWに変わる。
【０１６８】
本発明のこの実施形態において確立されるデータ転送トンネルは、UEに奉仕するソースU−GWと転送U−GWとの間のユーザプレーンベアラコンテキスト、および転送U−GWとUEのターゲット基地局との間のユーザプレーンベアラコンテキストを作成することによって実装されることを理解されたい。ユーザプレーンベアラコンテキストは、ソースU−GWのルーティング情報、転送U−GWのルーティング情報、およびターゲット基地局のルーティング情報を含む、ユーザプレーンデータを転送するために必要なルーティング情報（たとえば、アドレスおよびトンネル終点情報）を含む。これは、本発明の別の実施形態にも適用可能である。
【０１６９】
本発明のこの実施形態では、C−GWは、UEの現在位置情報に従って転送U−GWを決定する。UEの移動プロセスにおけるサービス継続性を保証し、ユーザサービス体験を保証するために、ソースU−GWと転送U−GWとの間にデータ転送トンネルが確立される。
【０１７０】
図4は、本発明の一実施形態による、サービス継続性を保証する別の対話フローチャートである。図4では、ソース基地局は、UEが現在位置領域に移動する前に使用されたサービング基地局である。ターゲット基地局は、UEが現在位置領域に移動した後に使用されるサービング基地局である。UEのサービングMMEおよびサービングC−GWは、UEの移動の前後で変わらないままである。ソースU−GWは、UEが現在位置領域に移動する前に使用されたサービングU−GWである。ターゲットU−GWは、UEが現在位置領域に移動した後に使用されるU−GWである。転送U−GWは、UEが現在位置領域に移動した後に使用され、データサービス切替えに使用されるU−GWである。サービス切替えの前に、アップリンク／ダウンリンクユーザプレーンデータ伝送経路は、UE⇔ソース基地局⇔ソースU−GW、すなわち、図4の破線L1bおよび破線L2bによって示された伝送経路である。
【０１７１】
S401．ソース基地局が接続モードのUEのユーザプレーンデータ切替え手順を開始する。
【０１７２】
S402．ソース基地局がMMEにサービス切替え要求メッセージを送信する。
【０１７３】
S403．MMEがC−GWにサービス切替え通知メッセージを送信する。
【０１７４】
S404．C−GWがターゲットU−GWおよび転送U−GWを決定する。
【０１７５】
ステップS401〜S404の具体的な実装形態については、図3のステップS301〜S304を参照されたい。
【０１７６】
S405．C−GWがターゲットU−GWにセッション作成要求を送信する。
【０１７７】
適切なターゲットU−GWを選択した後、C−GWは、UE用のターゲットU−GW上に、ユーザプレーンデータ伝送用のベアラコンテキストを作成するために、ターゲットU−GWに対するセッション作成要求を開始することができる。
【０１７８】
S406．ターゲットU−GWがC−GWにセッション作成応答を送信する。
【０１７９】
ターゲットU−GWは、セッション作成要求に従ってUEのために、UEのユーザプレーンデータ伝送用のベアラコンテキストを作成する。各々の作成されたベアラコンテキストは、ターゲットU−GWの（IPアドレスなどの）アドレスおよび（GTP TEIDなどの）トンネル終点情報を含む。
【０１８０】
ベアラコンテキストの作成が完了した後、ターゲットU−GWはC−GWにセッション作成応答を送信することができる。
【０１８１】
S407．C−GWがMMEに切替え通知確認応答メッセージを返信する。
【０１８２】
C−GWは、MMEに切替え通知確認応答メッセージを返信し、メッセージに、C−GWによって選択されたターゲットU−GWのアドレスおよびトンネル終点情報を追加する。
【０１８３】
S408．MMEがターゲット基地局にサービス切替え要求メッセージを送信する。
【０１８４】
MMEはターゲット基地局にサービス切替え要求メッセージを送信し、メッセージは、C−GWによって送信されたターゲットU−GWのアドレスおよびトンネル終点情報を搬送する。
【０１８５】
S409．ターゲット基地局がMMEに切替え要求確認応答メッセージを返信する。
【０１８６】
MMEによって送信されたサービス切替え要求メッセージを受信した後、ターゲット基地局は、MMEに切替え要求確認応答メッセージを返信し、MMEにターゲット基地局の（IPアドレスなどの）アドレスおよび（GTP TEIDなどの）トンネル終点情報を送信することができる。同様に、ターゲット基地局のアドレスおよびトンネル終点情報は、切替え要求確認応答メッセージを使用することによって送信される場合があるか、または単独で送信される場合がある。
【０１８７】
S410．MMEがC−GWにデータ転送トンネル確立要求を送信する。
【０１８８】
S411．C−GWが転送U−GWにデータ転送トンネル確立要求を送信する。
【０１８９】
S412．転送U−GWがC−GWにデータ転送トンネル確立応答を返信する。
【０１９０】
S413．C−GWがソースU−GWにデータ転送トンネル確立要求を送信する。
【０１９１】
S414．ソースU−GWがC−GWにデータ転送トンネル確立応答を返信する。
【０１９２】
S415．ソースU−GWと転送U−GWとの間のデータ転送トンネルを確立する。
【０１９３】
S416．C−GWがMMEにデータ転送トンネル確立応答を返信する。
【０１９４】
S417．MMEがソース基地局に切替えコマンドを送信する。
【０１９５】
ステップS410〜S417の具体的な実装形態については、図3のステップS308〜S315を参照されたい。
【０１９６】
S418．ソース基地局がデータ切替え手順を実施する。
【０１９７】
ソース基地局は、既存のデータ切替え手順の実施を続行し、ターゲットセルにUEをハンドオーバし、ターゲットセルにアクセスするようにUEに示し、ターゲット位置へのUEの完全なハンドオーバを実施する次のステップにおいて、既存の切替え手順を再利用することができる。
【０１９８】
切替えプロセスにおいて、および切替えが完了した後、ダウンリンクユーザプレーンデータ伝送経路は、ソース基地局→ソースU−GW→転送U−GW→ターゲット基地局→UE、すなわち、図4の破線L3b、破線L4b、破線L5b、および破線L6bによって示された伝送経路である。切替えプロセスにおいて、および切替えが完了した後、アップリンクユーザプレーンデータ伝送経路は、UE→ターゲット基地局→ターゲットU−GW、すなわち、図4の破線L7bおよび破線L8bによって示された伝送経路である。
【０１９９】
本発明のこの実施形態では、C−GWは、UEの現在位置情報に従って、サービングU−GWを変えるべきかどうかを判定し、選択されたターゲットU−GWがソースU−GWと直接通信することができるかどうかに応じて、転送U−GWを選択する。UEの移動プロセスにおけるサービス継続性を保証し、ユーザサービス体験を保証するために、ソースU−GWと転送U−GWとの間にデータ転送トンネルが確立される。加えて、C−GWは、ターゲットU−GWのベアラコンテキストセットアップ要求を直ちに開始し、MMEを介してターゲットU−GWのルーティング情報をターゲット基地局に通知し、その結果、アップリンクデータは、転送U−GWおよびソースU−GWを通過せずに、ターゲット基地局からターゲットU−GWに直接送信することができ、アップリンクデータ伝送のルーティング最適化が実装される。
【０２００】
図3および図4に示された実施形態における対話手順は、UEの移動の前後にUEのサービングMMEおよびサービングC−GWが変わらないままのシナリオに適用可能であることを理解されたい。UEの移動の前後にUEのサービングMMEが変わるが、サービングC−GWが変わらない場合、本発明の実施形態における解決策に基づいて、ソースMMEとターゲットMMEとの間でシグナリング相互作用が増大するだけである。シグナリング相互作用プロセスは既存の技術に属し、詳細は本発明では記載されない。
【０２０１】
図5は、本発明の一実施形態による、サービス継続性を保証するさらに別の対話フローチャートである。図5では、ソース基地局は、UEが現在位置領域に移動する前に使用されたサービング基地局である。ターゲット基地局は、UEが現在位置領域に移動した後に使用されるサービング基地局である。ソースMMEは、UEが現在位置領域に移動する前に使用されたサービングMMEである。ターゲットMMEは、UEが現在位置領域に移動した後に使用されるサービングMMEである。ソースC−GWは、UEが現在位置領域に移動する前に使用されたサービングC−GWである。ターゲットC−GWは、UEが現在位置領域に移動した後に使用されるサービングC−GWである。ソースU−GWは、UEが現在位置領域に移動する前に使用されたサービングU−GWである。ターゲットU−GWは、UEが現在位置領域に移動した後に使用されるU−GWである。転送U−GWは、UEが現在位置領域に移動した後に使用され、データサービス切替えに使用されるU−GWである。サービス切替えの前に、アップリンク／ダウンリンクユーザプレーンデータ伝送経路は、UE⇔ソース基地局⇔ソースU−GW、すなわち、図5の破線L1cおよび破線L2cによって示された伝送経路である。
【０２０２】
本発明のこの実施形態における具体的なサービス切替え手順は以下の通りである。
【０２０３】
S501．ソース基地局が接続モードのUEのユーザプレーンデータ切替え手順を開始する。
【０２０４】
UEがソース基地局のサービス範囲から移動し、UEがユーザプレーンデータサービスを実施していることをUEのソース基地局が検知すると、ソース基地局は、接続モードのユーザプレーンデータサービス切替え手順を開始するように決定することができる。
【０２０５】
S502．ソース基地局がソースMMEにサービス切替え要求メッセージを送信する。
【０２０６】
本発明のこの実施形態における別のステップのサービス切替え要求メッセージから区別されるために、ソース基地局によってソースMMEに送信されるサービス切替え要求メッセージは、サービス切替え要求メッセージ1と呼ばれる。
【０２０７】
ソース基地局は、現在のサービングMME（すなわち、図5のソースMME）にサービス切替え要求メッセージ1を送信し、メッセージにUEの現在位置情報を追加する。UEの現在位置情報には、UEの現在位置領域に対応するTAI、UEの現在位置領域に対応するサービング基地局情報などが含まれる。UEが現在位置領域に移動するときに使用される対応するTAIは、UEのターゲットTAIである。UEが現在位置領域に移動した後に使用される対応するサービング基地局情報は、UEのターゲット基地局情報である。ターゲット基地局情報は、ターゲット基地局識別情報（Identity、ID）、ターゲットセル識別子（Cell Identity、CI）などであり得る。UEの現在位置領域は、UEのターゲット位置領域、すなわち、UEがソースサービング基地局のサービス範囲から移動した後のUEの位置領域とも呼ばれることを理解されたい。同様に、UEの現在位置情報はUEのターゲット位置情報とも呼ばれる。
【０２０８】
S503．ソースMMEがターゲットMMEに転送再配置要求メッセージを送信する。
【０２０９】
ソースMMEは、UEの現在位置情報に従って、UEがソースMMEのサービス範囲から移動したかどうかを判定する。UEがソースMMEのサービス範囲から移動した場合、ソースMMEは、UEの現在位置情報に従って、適切なターゲットMMEを選択し、ターゲットMMEに転送再配置要求メッセージを送信し、メッセージはUEの現在位置情報を搬送する。ターゲットMMEは、UEが現在位置領域に移動した後にUEに奉仕するMMEである。
【０２１０】
S504．ターゲットMMEがターゲットC−GWを決定する。
【０２１１】
ターゲットMMEは、UEの現在位置情報に従って、UEの現在のサービングC−GWが再割振りされる必要があるかどうか、すなわち、UEがソースC−GWのサービス範囲から移動したかどうかを判定する。サービングC−GWが再割振りされる必要がある場合、ターゲットMMEは、UEの現在位置情報に従って、適切なターゲットC−GWを選択する。
【０２１２】
S505．ターゲットMMEがソースMMEにサービングC−GW変更通知メッセージを送信する。
【０２１３】
ターゲットMMEは、UEのサービングC−GWが変わる必要があることをソースMMEに通知するために、ソースMMEにサービングC−GW変更通知メッセージを送信する。サービングC−GW変更通知メッセージがソースMMEに送信されるとき、既存のメッセージ、たとえば、変更通知要求（Change Notification Request）メッセージが再利用される場合があり、新しい指示情報がメッセージに追加されるか、または新しいメッセージが定義される場合がある。このことは本発明のこの実施形態では限定されない。
【０２１４】
S506．ソースMMEがソースC−GWにサービス切替え通知メッセージを送信する。
【０２１５】
本発明のこの実施形態における別のステップのサービス切替え通知メッセージから区別されるために、ソースMMEによってソースC−GWに送信されるサービス切替え通知メッセージは、サービス切替え通知メッセージ1と呼ばれる。
【０２１６】
サービス切替え要求メッセージ1を受信した後、UEのサービングMME（ソースMME）は、UEが現在の基地局（ソース基地局）のサービス範囲から移動したことを知り、次いで、現
在のサービングC−GW（ソースC−GW）にサービス切替え通知メッセージ1を送信する。メッセージはサービングC−GW変更指示情報を搬送する。ソースMMEは、セッション作成要求（Create Session Request）メッセージ、ベアラ修正要求（Modify Bearer Request）メッセージ、またはアクセスベアラ修正要求（Modify Access Bearers Request）メッセージなどの既存のメッセージを再利用して、サービス切替え通知メッセージ1を送信し、メッセージにUEの現在位置情報を追加することができる。代替として、ソースMMEは、新しいメッセージを定義して、サービス切替え通知メッセージ1を送信することができる。このことは本発明のこの実施形態では限定されない。
【０２１７】
S507．ソースC−GWがソースMMEにサービス切替え通知確認応答を送信する。
【０２１８】
本発明のこの実施形態における別のステップの切替え要求確認応答メッセージから区別されるために、かつ切替え通知確認応答メッセージに対応するサービス切替え要求メッセージの数字識別子と対応する数字識別子を照合するために、ソースC−GWによってソースMMEに送信される切替え要求確認応答メッセージは、切替え通知確認応答メッセージ1と呼ばれる。
【０２１９】
ソースMMEによって送信されたサービス切替え通知メッセージ1を受信した後、ソースC−GWは、ソースMMEに切替え通知確認応答メッセージ1を返信することができ、メッセージはソースU−GWの（IPアドレスなどの）アドレスおよび（GTP TEIDなどの）トンネル終点情報を搬送する。
【０２２０】
S508．ソースMMEがターゲットMMEにC−GW変更通知確認応答を返信する。
【０２２１】
ソースMMEはターゲットMMEにC−GW変更通知確認応答を返信し、確認応答はソースU−GWの（IPアドレスなどの）アドレスおよび（GTP TEIDなどの）トンネル終点情報を搬送する。
【０２２２】
S509．ターゲットMMEがターゲットC−GWにサービス切替え通知メッセージを送信する。
【０２２３】
本発明のこの実施形態における別のステップのサービス切替え通知メッセージから区別されるために、ターゲットMMEによってターゲットC−GWに送信されるサービス切替え通知メッセージは、サービス切替え通知メッセージ2と呼ばれる。
【０２２４】
ターゲットMMEはターゲットC−GWにサービス切替え通知メッセージ2を送信する。サービス切替え通知メッセージ2は、ターゲットTAI、ターゲット基地局情報（基地局ID）などを含む、UEの現在位置情報を搬送する。サービス切替え通知メッセージは、UEが新しいターゲット位置領域（すなわち、UEの現在の位置領域）にハンドオーバされる必要があることをC−GWに通知するために使用される。ターゲットMMEは、セッション作成要求（Create Session Request）メッセージ、ベアラ修正要求（Modify Bearer Request）メッセージ、またはアクセスベアラ修正要求（Modify Access Bearers Request）メッセージなどの既存のメッセージを再利用して、サービス切替え通知メッセージ2を送信し、メッセージにUEのターゲット位置情報を追加することができる。代替として、ターゲットMMEは、新しいメッセージを定義して、サービス切替え通知メッセージ2を送信することができる。このことは本発明のこの実施形態では限定されない。
【０２２５】
S510．ターゲットC−GWがターゲットU−GWおよび転送U−GWを決定する。
【０２２６】
切替え要求を知った後、ターゲットC−GWは、UEの現在位置情報に従って、適切なターゲットU−GWを選択して、ターゲットU−GWがUE用のターゲット位置内の最適なデータ伝送
経路を提供することができることを保証し、ユーザプレーンデータの伝送RTTをできるだけ削減する。
【０２２７】
加えて、ターゲットC−GWは、ターゲットU−GWがソースU−GWと直接通信することができるかどうかをチェックする必要がある。ターゲットU−GWがソースU−GWと直接通信することができる場合、ターゲットU−GWは転送U−GWであり、すなわち、すべての後続ステップにおいて転送U−GWに対して実施される送信は、ターゲットU−GWに対して実施される送信である。ターゲットU−GWがソースU−GWと直接通信することができない場合、ターゲットC−GWは、UEの現在位置情報に従って、ソースU−GWと直接通信することができるU−GWを転送U−GWとして選択する。
【０２２８】
特別なシナリオにおいてサービス継続性を保証するために、2つ以上の転送U−GWが存在する場合があることに留意されたい。通常、UEが隣接U−GWプールに移動した場合、ターゲットC−GWは、ターゲット転送U−GWとして、隣接U−GWプール内のデフォルトU−GWを選択する。デフォルトU−GWがソースU−GWとも直接通信することができない場合、さらに、ターゲットC−GWは、ソース転送U−GWとして、ソースU−GWが位置するU−GWプール内のデフォルトU−GWを選択することができ、2つの転送U−GWは、UEの移動プロセスにおいてサービス継続性を保証するために使用される。
【０２２９】
S511．ターゲットC−GWがターゲットMMEに切替え通知確認応答メッセージを送信する。
【０２３０】
本発明のこの実施形態における別のステップの切替え要求確認応答メッセージから区別されるために、かつ切替え通知確認応答メッセージに対応するサービス切替え要求メッセージの数字識別子と対応する数字識別子を照合するために、ターゲットC−GWによってターゲットMMEに送信される切替え要求確認応答メッセージは、切替え通知確認応答メッセージ2と呼ばれる。
【０２３１】
転送U−GWを決定した後、ターゲットC−GWは、ターゲットMMEのサービス切替え通知メッセージ2に従って、ターゲットMMEに切替え通知確認応答メッセージ2を返信し、メッセージに、ターゲットC−GWによって選択された転送U−GWの（IPアドレスなどの）アドレスおよび（GTP TEIDなどの）トンネル終点情報を追加することができる。
【０２３２】
複数の転送U−GW、たとえば、ソース転送U−GWおよびターゲット転送U−GWが存在する場合、ターゲットC−GWは、切替え通知確認応答メッセージに、UEの現在位置領域内に位置するターゲット転送U−GWのアドレスおよびトンネル終点情報を追加することができる。ターゲットMMEに切替え通知確認応答メッセージを送信するとき、ターゲットC−GWは、セッション作成応答（Create Session Response）メッセージ、ベアラ修正応答（Modify Bearer Response）メッセージ、もしくはアクセスベアラ修正応答（Modify Access Bearers Response）メッセージなどの既存のメッセージが再利用することができるか、または、新しいメッセージを定義して、切替え通知確認応答メッセージ2を送信することができる。このことは本発明のこの実施形態では限定されない。
【０２３３】
S512．ターゲットMMEがターゲット基地局にサービス切替え要求メッセージを送信する。
【０２３４】
本発明のこの実施形態における別のステップのサービス切替え要求メッセージから区別されるために、ターゲットMMEによってターゲット基地局に送信されるサービス切替え要求メッセージは、サービス切替え要求メッセージ2と呼ばれる。
【０２３５】
ターゲットMMEは、ターゲット基地局にサービス切替え要求メッセージ2を送信し、ター
ゲット基地局に転送U−GWのアドレスおよびトンネル終点情報を送信し、その結果、次にアップリンクデータ伝送経路が転送U−GWにハンドオーバされる。
【０２３６】
S513．ターゲット基地局がターゲットMMEに切替え要求確認応答メッセージを送信する。
【０２３７】
本発明のこの実施形態における別のステップの切替え要求確認応答メッセージから区別されるために、かつ切替え要求確認応答メッセージに対応するサービス切替え要求メッセージの数字識別子と対応する数字識別子を照合するために、ターゲット基地局によってターゲットMMEに送信される切替え要求確認応答メッセージは、切替え要求確認応答メッセージ2と呼ばれる。
【０２３８】
ターゲット基地局は切替え要求確認応答メッセージ2を返信し、ターゲットMMEにターゲット基地局の（IPアドレスなどの）アドレスおよび（GTP TEIDなどの）トンネル終点情報を送信する。
【０２３９】
S514．ターゲットMMEがターゲットC−GWにデータ転送トンネル確立要求を送信する。
【０２４０】
本発明のこの実施形態における別のステップのデータ転送トンネル確立要求から区別されるために、ターゲットMMEによってターゲットC−GWに送信されるデータ転送トンネル確立要求は、データ転送トンネル確立要求1と呼ばれる。
【０２４１】
ターゲットMMEは、ターゲットC−GWにデータ転送トンネル確立要求1を送信し、C−GWにターゲット基地局のアドレスおよびトンネル終点情報を送信し、その結果、次にダウンリンクデータ伝送経路がターゲット基地局にハンドオーバされる。
【０２４２】
S515．ターゲットC−GWが転送U−GWにデータ転送トンネル確立要求を送信する。
【０２４３】
本発明のこの実施形態における別のステップのデータ転送トンネル確立要求から区別されるために、ターゲットC−GWによって転送U−GWに送信されるデータ転送トンネル確立要求は、データ転送トンネル確立要求2と呼ばれる。
【０２４４】
ターゲットC−GWは、転送U−GWにデータ転送トンネル確立要求2を送信し、転送U−GWに、ターゲット基地局のアドレスおよびトンネル終点情報、ならびにソースU−GWのアドレスおよびトンネル終点情報を送信する。
【０２４５】
複数の転送U−GWが必要とされる場合、ターゲットC−GWは、各転送U−GWにデータ転送トンネル確立要求を送信するべきであり、要求はピアネットワーク要素のアドレスおよびトンネル終点情報を搬送する。
【０２４６】
S516．転送U−GWがターゲットC−GWにデータ転送トンネル確立応答を返信する。
【０２４７】
本発明のこの実施形態における別のステップのデータ転送トンネル確立応答から区別されるために、かつデータ転送トンネル確立応答に対応するデータ転送トンネル確立要求に対応するために、転送U−GWによってターゲットC−GWに送信されるデータ転送トンネル確立応答は、データ転送トンネル確立応答2と呼ばれる。
【０２４８】
転送U−GWは、ターゲットC−GWにデータ転送トンネル確立応答2を返信して、ターゲットC−GWによって送信されたデータ転送トンネル確立要求2に応答し、ターゲット基地局と転送U−GWとの間のデータ転送トンネルの確立、およびソースU−GWと転送U−GWとの間の
データ転送トンネルの確立が許可されることを決定する。場合によっては、データ転送トンネル確立応答2は、転送U−GWのアドレスおよびトンネル終点情報を搬送することができる。
【０２４９】
ステップS510において複数の転送D−GWが必要とされる場合、C−GWは、各転送D−GWにデータ転送トンネル確立要求を送信するべきであり、それに対応して、各転送D−GWは、データ転送トンネル確立応答を返信して、データ転送トンネルの確立が許可されることを示すべきである。
【０２５０】
S517．ターゲットC−GWがターゲットMMEにデータ転送トンネル確立応答を返信する。
【０２５１】
本発明のこの実施形態における別のステップのデータ転送トンネル確立応答から区別されるために、かつデータ転送トンネル確立応答に対応するデータ転送トンネル確立要求の数字識別子と対応する数字識別子を照合するために、ターゲットC−GWによってターゲットMMEに送信されるデータ転送トンネル確立応答は、データ転送トンネル確立応答1と呼ばれる。
【０２５２】
データ転送トンネル確立応答2を受信した後、ターゲットC−GWは、ターゲットMMEにデータ転送トンネル確立応答1を返信し、ターゲット基地局と転送U−GWとの間のデータ転送トンネルの確立が許可されることを決定する。
【０２５３】
S518．ターゲットMMEがソースMMEに転送再配置応答を送信する。
【０２５４】
ターゲット基地局と転送U−GWとの間のデータ転送トンネルを確立することができると決定した後、ターゲットMMEはソースMMEに転送再配置応答を送信することができ、応答は転送U−GWのアドレスおよびトンネル終点情報を搬送する。
【０２５５】
S519．ソースMMEがソースC−GWにデータ転送トンネル確立要求を送信する。
【０２５６】
本発明のこの実施形態における別のステップのデータ転送トンネル確立要求から区別されるために、ソースMMEによってソースC−GWに送信されるデータ転送トンネル確立要求は、データ転送トンネル確立要求3と呼ばれる。
【０２５７】
ソースMMEは、ソースC−GWにデータ転送トンネル確立要求3を送信し、ソースC−GWに転送U−GWのアドレスおよびトンネル終点情報を送信する。
【０２５８】
S520．ソースC−GWがソースU−GWにデータ転送トンネル確立要求を送信する。
【０２５９】
本発明のこの実施形態における別のステップのデータ転送トンネル確立要求から区別されるために、ソースC−GWによってソースU−GWに送信されるデータ転送トンネル確立要求は、データ転送トンネル確立要求4と呼ばれる。
【０２６０】
ソースC−GWは、ソースU−GWにデータ転送トンネル確立要求4を送信し、ソースU−GWに転送U−GWのアドレスおよびトンネル終点情報を送信する。
【０２６１】
S521．ソースU−GWがソースC−GWにデータ転送トンネル確立応答を送信する。
【０２６２】
本発明のこの実施形態における別のステップのデータ転送トンネル確立応答から区別されるために、かつデータ転送トンネル確立応答に対応するデータ転送トンネル確立要求の数字識別子と対応する数字識別子を照合するために、ソースU−GWによってソースC−GWに
送信されるデータ転送トンネル確立応答は、データ転送トンネル確立応答4と呼ばれる。
【０２６３】
ソースC−GWによって送信されたデータ転送トンネル確立要求4を受信した後、ソースU−GWは、データ転送トンネル確立応答4を返信し、転送U−GWとソースU−GWとの間のデータ転送トンネルの確立が許可されることを決定することができる。
【０２６４】
S522．ソースU−GWと転送U−GWとの間のデータ転送トンネルを確立する。
【０２６５】
ピアU−GWのアドレスおよびトンネル終点情報が取得された後、ソースU−GWと転送U−GWとの間のデータ転送トンネルが確立される。
【０２６６】
当然、ステップS510において、複数の転送U−GW、たとえば、ソース転送U−GWおよびターゲット転送U−GWが決定された場合、ソースU−GWとソース転送U−GWとの間のデータ転送トンネル、およびソース転送U−GWとターゲット転送U−GWとの間のデータ転送トンネルが、それに対応して確立される。
【０２６７】
S523．ソースC−GWがソースMMEにデータ転送トンネル確立応答を送信する。
【０２６８】
本発明のこの実施形態における別のステップのデータ転送トンネル確立応答から区別されるために、かつデータ転送トンネル確立応答に対応するデータ転送トンネル確立要求の数字識別子と対応する数字識別子を照合するために、ソースC−GWによってソースMMEに送信されるデータ転送トンネル確立応答は、データ転送トンネル確立応答3と呼ばれる。
【０２６９】
データ転送トンネル確立応答4を受信した後、ソースC−GWは、ソースMMEにデータ転送トンネル確立応答3を返信し、転送U−GWとソースU−GWとの間のデータ転送トンネルの確立が許可されることを決定することができる。
【０２７０】
S524．ソースMMEがソース基地局に切替えコマンドを送信する。
【０２７１】
ソースMMEはソース基地局に切替えコマンドを送信し、コマンドは転送U−GWのアドレスおよびトンネル終点情報を搬送する。
【０２７２】
複数の転送U−GWが必要とされる場合、UEのソース位置領域内に位置するソース転送U−GWのアドレスおよびトンネル終点情報が切替えコマンド内で搬送される。
【０２７３】
S525．ソース基地局が、既存のデータ切替え手順の実施を続行し、ターゲットセルにUEをハンドオーバし、ターゲットセルにアクセスするようにUEに示し、次に、ターゲット位置へのUEの完全なハンドオーバを実施するために、既存の切替え手順を再利用する。
【０２７４】
切替えプロセスにおいて、および切替えが完了した後、アップリンク／ダウンリンクユーザプレーンデータ伝送経路は、UE⇔ターゲット基地局⇔転送U−GW⇔ソースU−GW、すなわち、図5の破線L3c、破線L4c、破線L5c、および破線L6cによって示された伝送経路に変わる。切替え前、切替え中、および切替え後、アップリンク／ダウンリンクユーザプレーンデータ伝送経路は、ソースU−GWを通過することに留意されたい。しかしながら、ソースU−GWと転送U−GWの両方がUEに近い位置に向かって下方に移動したことを考慮すると、ソースU−GWも転送U−GWに非常に近く、したがって、ユーザプレーンデータのRTTは著しく増加しない。
【０２７５】
本発明のこの実施形態では、ターゲットC−GWは、UEの現在位置情報に従って転送U−GWを決定し、UEの移動プロセスにおけるサービス継続性を保証し、ユーザサービス体験を保
証するために、ソースU−GWと転送U−GWとの間のデータ転送トンネルを確立する。
【０２７６】
図6は、本発明の一実施形態による、サービス継続性を保証するさらに別の対話フローチャートである。図6では、ソース基地局は、UEが現在位置領域に移動する前に使用されたサービング基地局である。ターゲット基地局は、UEが現在位置領域に移動した後に使用されるサービング基地局である。ソースMMEは、UEが現在位置領域に移動する前に使用されたサービングMMEである。ターゲットMMEは、UEが現在位置領域に移動した後に使用されるサービングMMEである。ソースC−GWは、UEが現在位置領域に移動する前に使用されたサービングC−GWである。ターゲットC−GWは、UEが現在位置領域に移動した後に使用されるサービングC−GWである。ソースU−GWは、UEが現在位置領域に移動する前に使用されたサービングU−GWである。ターゲットU−GWは、UEが現在位置領域に移動した後に使用されるU−GWである。転送U−GWは、UEが現在位置領域に移動した後に使用され、データサービス切替えに使用されるU−GWである。サービス切替えの前に、アップリンク／ダウンリンクユーザプレーンデータ伝送経路は、UE⇔ソース基地局⇔ソースU−GW、すなわち、図6の破線L1dおよび破線L2dによって示された伝送経路である。
【０２７７】
本発明のこの実施形態における具体的なサービス切替え手順は以下の通りである。
【０２７８】
S601．ソース基地局が接続モードのUEのユーザプレーンデータ切替え手順を開始する。
【０２７９】
S602．ソース基地局がサービス切替え要求メッセージを送信する。
【０２８０】
S603．ソースMMEが転送再配置要求メッセージを送信する。
【０２８１】
S604．ターゲットMMEがターゲットC−GWを決定する。
【０２８２】
S605．ターゲットMMEがソースMMEにサービングC−GW変更通知メッセージを送信する。
【０２８３】
S606．ソースMMEがソースC−GWにサービス切替え通知メッセージを送信する。
【０２８４】
S607．ソースC−GWがソースMMEにサービス切替え通知確認応答を送信する。
【０２８５】
S608．ソースMMEがターゲットMMEにC−GW変更通知確認応答を返信する。
【０２８６】
S609．ターゲットMMEがターゲットC−GWにサービス切替え通知メッセージを送信する。
【０２８７】
S610．ターゲットC−GWがターゲットU−GWおよび転送U−GWを決定する。
【０２８８】
ステップS601〜S610の具体的な実装形態については、図5のステップS501〜S510を参照されたい。
【０２８９】
S611．ターゲットC−GWがターゲットU−GWにセッション作成要求を送信する。
【０２９０】
適切なターゲットU−GWを選択した後、ターゲットC−GWは、UE用のターゲットU−GW上に、ユーザプレーンデータ伝送用のベアラコンテキストを作成するために、ターゲットU−GWに対するセッション作成要求を開始することができる。
【０２９１】
S612．ターゲットU−GWがターゲットC−GWにセッション作成応答を送信する。
【０２９２】
ターゲットU−GWは、セッション作成要求に従ってUEのために、UEのユーザプレーンデ
ータ伝送用のベアラコンテキストを作成する。各々の作成されたベアラコンテキストは、ターゲットU−GWの（IPアドレスなどの）アドレスおよび（GTP TEIDなどの）トンネル終点情報を含む。
【０２９３】
ベアラコンテキストの作成が完了した後、ターゲットU−GWはターゲットC−GWにセッション作成応答を送信することができる。
【０２９４】
S613．ターゲットC−GWがターゲットMMEに切替え通知確認応答メッセージを送信する。
【０２９５】
本発明のこの実施形態における別のステップの切替え要求確認応答メッセージから区別されるために、かつ切替え通知確認応答メッセージに対応するサービス切替え要求メッセージの数字識別子と対応する数字識別子を照合するために、ターゲットC−GWによってターゲットMMEに送信される切替え要求確認応答メッセージは、切替え通知確認応答メッセージ2と呼ばれる。
【０２９６】
転送U−GWを決定した後、ターゲットC−GWは、ターゲットMMEのサービス切替え通知メッセージ2に従って、ターゲットMMEに切替え通知確認応答メッセージ2を返信し、メッセージに、ターゲットC−GWによって選択されたターゲットU−GWの（IPアドレスなどの）アドレスおよび（GTP TEIDなどの）トンネル終点情報を追加することができる。
【０２９７】
S614．ターゲットMMEがターゲット基地局にサービス切替え要求メッセージを送信する。
【０２９８】
本発明のこの実施形態における別のステップのサービス切替え要求メッセージから区別されるために、ターゲットMMEによってターゲット基地局に送信されるサービス切替え要求メッセージは、サービス切替え要求メッセージ2と呼ばれる。
【０２９９】
ターゲットMMEはターゲット基地局にサービス切替え要求メッセージ2を送信し、メッセージは、ターゲットC−GWによって送信されたターゲットU−GWのアドレスおよびトンネル終点情報を搬送する。
【０３００】
S615．ターゲット基地局がターゲットMMEに切替え要求確認応答メッセージを送信する。
【０３０１】
本発明のこの実施形態における別のステップの切替え要求確認応答メッセージから区別されるために、かつ切替え要求確認応答メッセージに対応するサービス切替え要求メッセージの数字識別子と対応する数字識別子を照合するために、ターゲット基地局によってターゲットMMEに送信される切替え要求確認応答メッセージは、切替え要求確認応答メッセージ2と呼ばれる。
【０３０２】
ターゲット基地局は切替え要求確認応答メッセージ2を返信し、ターゲットMMEにターゲット基地局の（IPアドレスなどの）アドレスおよび（GTP TEIDなどの）トンネル終点情報を送信する。
【０３０３】
S616．ターゲットMMEがターゲットC−GWにデータ転送トンネル確立要求を送信する。
【０３０４】
S617．ターゲットC−GWが転送U−GWにデータ転送トンネル確立要求を送信する。
【０３０５】
S618．転送U−GWがターゲットC−GWにデータ転送トンネル確立応答を返信する。
【０３０６】
S619．ターゲットC−GWがターゲットMMEにデータ転送トンネル確立応答を返信する。
【０３０７】
S620．ターゲットMMEがソースMMEに転送再配置応答を送信する。
【０３０８】
S621．ソースMMEがソースC−GWにデータ転送トンネル確立要求を送信する。
【０３０９】
S622．ソースC−GWがソースU−GWにデータ転送トンネル確立要求を送信する。
【０３１０】
S623．ソースU−GWがソースC−GWにデータ転送トンネル確立応答を送信する。
【０３１１】
S624．ソースU−GWと転送U−GWとの間のデータ転送トンネルを確立する。
【０３１２】
S625．ソースC−GWがソースMMEにデータ転送トンネル確立応答を送信する。
【０３１３】
S626．ソースMMEがソース基地局に切替えコマンドを送信する。
【０３１４】
ステップS616〜S626の具体的な実装形態については、図5のステップS514〜S524を参照されたい。
【０３１５】
S627．ソース基地局が、既存のデータ切替え手順の実施を続行し、ターゲットセルにUEをハンドオーバし、ターゲットセルにアクセスするようにUEに示し、次に、ターゲット位置へのUEの完全なハンドオーバを実施するために、既存の切替え手順を再利用する。
【０３１６】
切替えプロセスにおいて、および切替えが完了した後、ダウンリンクユーザプレーンデータ伝送経路は、ソース基地局→ソースU−GW→転送U−GW→ターゲット基地局→UE、すなわち、図6の破線L3d、破線L4d、破線L5d、および破線L6dによって示された伝送経路である。切替えプロセスにおいて、および切替えが完了した後、アップリンクユーザプレーンデータ伝送経路は、UE→ターゲット基地局→ターゲットU−GW、すなわち、図6の破線L7dおよび破線L8dによって示された伝送経路である。
【０３１７】
本発明の解決策のこの実施形態では、ターゲットC−GWは、UEの現在位置情報に従って、サービングU−GWを変えるべきかどうかを判定し、選択されたターゲットU−GWがソースU−GWと直接通信することができるかどうかに応じて、転送U−GWを選択する。UEの移動プロセスにおけるサービス継続性を保証し、ユーザサービス体験を保証するために、ソースU−GWと転送U−GWとの間にデータ転送トンネルが確立される。加えて、C−GWは、ターゲットU−GWのベアラコンテキストセットアップ要求を直ちに開始し、MMEを介してターゲットU−GWのルーティング情報をターゲット基地局に通知し、その結果、アップリンクデータは、転送U−GWおよびソースU−GWを通過せずに、ターゲット基地局からターゲットU−GWに直接送信することができ、アップリンクデータ伝送のルーティング最適化が実装される。
【０３１８】
図5および図6に示された実施形態における対話手順は、UEの移動の前後にUEのサービングMMEとサービングC−GWの両方が変わるシナリオに適用可能であることを理解されたい。UEの移動の前後にUEのサービングC−GWが変わるが、サービングMMEが変わらない場合、本発明の実施形態における解決策に基づいて、ソースMMEとターゲットMMEとの間でシグナリング相互作用が減少するだけである。詳細は本発明では記載されない。
【０３１９】
図7は、本発明の一実施形態による、サービス継続性を保証するさらに別の対話フローチャートである。図7では、ターゲット基地局は、UEが現在位置領域内でアイドルモードから接続モードに切り替わるときに使用されるサービング基地局である。ソースU−GWは
、UEが現在位置領域に移動する前に使用されたサービングU−GWである。ターゲットU−GWは、UEが現在位置領域内でアイドルモードから接続モードに切り替わるときに使用されるサービングU−GWである。転送U−GWは、UEが現在位置領域に移動した後に使用され、データサービス切替えに使用されるU−GWである。MMEは、UEが現在位置領域内でアイドルモードから接続モードに切り替わるときに使用されるサービングMMEである。C−GWは、UEが現在位置領域内でアイドルモードから接続モードに切り替わるときに使用されるサービングC−GWである。
【０３２０】
本発明のこの実施形態における具体的な手順は以下の通りである。
【０３２１】
S701．アイドルモードのUEがアップリンクユーザプレーンデータを送信する必要がある。
【０３２２】
S702．UEがMMEにシグナリング要求を送信する。
【０３２３】
アイドルモードのUEが（現在登録されている追跡領域（Tracking Area，TA）などの）現在登録されている位置領域から移動した場合、UEは、MMEにシグナリング要求を送信して、位置更新手順を開始することができる。たとえば、位置更新手順が追跡領域更新（Tracking Area Update、TAU）手順である場合、シグナリング要求は位置更新要求メッセージである。
【０３２４】
アイドルモードのUEが、現在のサービング基地局のサービスエリアから移動するが、（現在登録されているTAなどの）現在登録されている位置領域からは移動しない場合、UEは、MMEにシグナリング要求を送信して、サービス要求（Service Request）手順を開始することができ、シグナリング要求はサービス要求メッセージである。
【０３２５】
具体的には、UEは、ターゲット基地局を使用することにより、サービングMMEにシグナリング要求メッセージを送信することができ、ターゲット基地局はMMEにUEの現在位置情報を送信する。
【０３２６】
UEの現在位置情報には、UEの現在位置領域に対応する追跡領域識別情報（Tracking Area Identity、TAI）、UEの現在位置領域に対応するサービング基地局情報などが含まれる。UEが現在位置領域に移動するときに使用される対応するTAIは、UEのターゲットTAIである。UEが現在位置領域に移動するときに使用される対応するサービング基地局情報は、UEのターゲット基地局情報である。ターゲット基地局情報は、ターゲット基地局識別情報（Identity、ID）、ターゲットセル識別子（Cell Identity、CI）などであり得る。UEの現在位置領域は、UEのターゲット位置領域、すなわち、UEがソースサービング基地局のサービス範囲から移動した後にUEが位置する位置領域とも呼ばれる。同様に、UEの現在位置情報はUEのターゲット位置情報とも呼ばれる。
【０３２７】
S703．MMEがC−GWに要求メッセージを送信し、要求メッセージにUEの現在位置情報を追加する。
【０３２８】
位置更新要求メッセージまたはサービス要求メッセージを受信した後、UEのサービングMMEは、UEの現在位置情報に従って、UEが現在基地局（ソース基地局）のサービス範囲から移動したことを知り、UEのサービングMMEは現在のサービングC−GWに要求メッセージを送信する。要求メッセージは、新しいターゲット位置領域にUEを移動させるようにC−GWに示すために使用される。MMEは、セッション作成要求（Create Session Request）メッセージ、ベアラ修正要求（Modify Bearer Request）メッセージ、またはアクセスベアラ修正要求（Modify Access Bearers Request）メッセージなどの既存のメッセージを再利
用することができるか、または新しいメッセージを定義することができる。このことは本発明のこの実施形態では限定されない。
【０３２９】
S704．C−GWがターゲットU−GWおよび転送U−GWを決定する。
【０３３０】
MMEによって送信された要求メッセージを受信した後、C−GWは、UEの現在位置情報に従って、ターゲットU−GWおよび転送U−GWを決定することができる。具体的な実装形態については、図3に示された実施形態におけるステップS304を参照されたい。詳細は本明細書では再び記載されない。
【０３３１】
S705．C−GWがMMEに要求確認応答メッセージを返信する。
【０３３２】
C−GWはMMEに要求確認応答メッセージを返信する。具体的な実装形態については、図3に示された実施形態におけるステップS305を参照されたい。詳細は本明細書では再び記載されない。
【０３３３】
S706．MMEがターゲット基地局に初期コンテキストセットアップ要求メッセージを送信する。
【０３３４】
MMEは、ターゲット基地局に初期コンテキストセットアップ要求（Initial Context Setup Request）メッセージを送信し、ターゲット基地局に、C−GWによって送信された転送U−GWのアドレスおよびトンネル終点情報を転送し、その結果、次にアップリンクデータ伝送経路が転送U−GWにハンドオーバされる。
【０３３５】
S707．ターゲット基地局がMMEに初期コンテキストセットアップ応答メッセージを返信する。
【０３３６】
ターゲット基地局は、MMEに初期コンテキストセットアップ応答（Initial Context Setup Response）メッセージを返信し、MMEにターゲット基地局の（IPアドレスなどの）アドレスおよび（GTP TEIDなどの）トンネル終点情報を送信する。
【０３３７】
S708．MMEがC−GWにベアラ修正要求メッセージを送信する。
【０３３８】
MMEは、C−GWにベアラ修正要求メッセージを送信し、C−GWにターゲット基地局のアドレスおよびトンネル終点情報を送信し、その結果、次にダウンリンクデータ伝送経路がターゲット基地局にハンドオーバされる。場合によっては、このステップでは、MMEは、C−GWに、ターゲット基地局のアドレスおよびトンネル終点情報を搬送するアクセスベアラ修正要求メッセージを送信することができる。
【０３３９】
S709．C−GWが転送U−GWにデータ転送トンネル確立要求を送信する。
【０３４０】
S710．転送U−GWがC−GWにデータ転送トンネル確立応答を返信する。
【０３４１】
S711．C−GWがソースU−GWにデータ転送トンネル確立要求を送信する。
【０３４２】
S712．ソースU−GWがC−GWにデータ転送トンネル確立応答を返信する。
【０３４３】
S713．ソースU−GWと転送U−GWとの間のデータ転送トンネルを確立する。
【０３４４】
ステップS709〜S713の具体的な実装形態については、図3に示された実施形態における
ステップS309〜S313を参照されたい。詳細は本明細書では再び記載されない。
【０３４５】
S714．C−GWがMMEにベアラ修正応答を返信する。
【０３４６】
場合によっては、ステップS708に対応して、C−GWはMMEにアクセスベアラ修正応答を返信することができる。
【０３４７】
位置更新手順またはサービス要求手順において、アップリンク／ダウンリンクユーザプレーンデータ伝送経路は、UE⇔ターゲット基地局⇔転送U−GW⇔ソースU−GW、すなわち、図7の破線L1e、破線L2e、および破線L3eによって示された伝送経路に変わる。アップリンク／ダウンリンクユーザプレーンデータ伝送経路は、ソースU−GWを通過することに留意されたい。しかしながら、ソースU−GWと転送U−GWの両方がUEに近い位置に向かって下方に移動したことを考慮すると、ソースU−GWも転送U−GWに非常に近く、したがって、ユーザプレーンデータのRTTは著しく増加しない。2つ以上のU−GWが転送U−GWとして使用されることをC−GWが決定すると、転送U−GWのデータ転送トンネル経路は、すべての転送U−GWを通過する。たとえば、転送U−GWがターゲット転送U−GWおよびソース転送U−GWを含む場合、伝送経路は、UE⇔ターゲット基地局⇔ターゲット転送U−GW⇔ソース転送U−GW⇔ソースU−GWに変わる。
【０３４８】
本発明のこの実施形態では、C−GWは、UEの現在位置情報に従って転送U−GWを決定する。UEの移動プロセスにおけるサービス継続性を保証し、ユーザサービス体験を保証するために、ソースU−GWと転送U−GWとの間にデータ転送トンネルが確立される。
【０３４９】
図8は、本発明の一実施形態による、サービス継続性を保証するさらに別の対話フローチャートである。図8では、ターゲット基地局は、UEが現在位置領域内でアイドルモードから接続モードに切り替わるときに使用されるサービング基地局である。ソースU−GWは、UEが現在位置領域に移動する前に使用されたサービングU−GWである。ターゲットU−GWは、UEが現在位置領域内でアイドルモードから接続モードに切り替わるときに使用されるサービングU−GWである。転送U−GWは、UEが現在位置領域に移動した後に使用され、データサービス切替えに使用されるU−GWである。MMEは、UEが現在位置領域内でアイドルモードから接続モードに切り替わるときに使用されるサービングMMEである。C−GWは、UEが現在位置領域内でアイドルモードから接続モードに切り替わるときに使用されるサービングC−GWである。
【０３５０】
本発明のこの実施形態における具体的な手順は以下の通りである。
【０３５１】
S801．アイドルモードのUEがアップリンクユーザプレーンデータを送信する必要がある。
【０３５２】
S802．UEがMMEにシグナリング要求を送信する。
【０３５３】
ステップS802の具体的な実装形態については、図7のステップS702を参照されたい。詳細は本明細書では再び記載されない。
【０３５４】
S803．MMEがターゲット基地局に初期コンテキストセットアップ要求メッセージを送信する。
【０３５５】
MMEは、ターゲット基地局に初期コンテキストセットアップ要求（Initial Context Setup Request）メッセージを送信する。このステップは、既存の位置更新手順またはサービス要求手順における既存のステップである。したがって、本明細書では、MMEはターゲッ
ト基地局にソースU−GWのアドレスおよびトンネル終点情報を送信する。
【０３５６】
S804．ターゲット基地局がMMEに初期コンテキストセットアップ応答メッセージを返信する。
【０３５７】
ターゲット基地局は、MMEに初期コンテキストセットアップ応答（Initial Context Setup Response）メッセージを返信し、MMEにターゲット基地局の（IPアドレスなどの）アドレスおよび（GTP TEIDなどの）トンネル終点情報を送信する。
【０３５８】
S805．MMEがC−GWにベアラ修正要求メッセージを送信する。
【０３５９】
MMEは、C−GWにベアラ修正要求メッセージを送信し、C−GWに、UEの現在位置情報、ならびにターゲット基地局のアドレスおよびトンネル終点情報を送信する。場合によっては、このステップでは、MMEは、C−GWに、UEの現在位置情報、ならびにターゲット基地局のアドレスおよびトンネル終点情報を搬送するアクセスベアラ修正要求メッセージを送信することができる。
【０３６０】
S806．C−GWがターゲットU−GWおよび転送U−GWを決定する。
【０３６１】
MMEによって送信されたベアラ修正要求メッセージを受信した後、C−GWは、UEの現在位置情報に従って、ターゲットU−GWおよび転送U−GWを決定することができる。具体的な実装形態については、図3に示された実施形態におけるステップS304を参照されたい。詳細は本明細書では再び記載されない。
【０３６２】
S807．C−GWが転送U−GWにデータ転送トンネル確立要求を送信する。
【０３６３】
S808．転送U−GWがC−GWにデータ転送トンネル確立応答を返信する。
【０３６４】
S809．C−GWがソースU−GWにデータ転送トンネル確立要求を送信する。
【０３６５】
S810．ソースU−GWがC−GWにデータ転送トンネル確立応答を返信する。
【０３６６】
S811．ソースU−GWと転送U−GWとの間のデータ転送トンネルを確立する。
【０３６７】
ステップS807〜S811の具体的な実装形態については、図3に示された実施形態におけるステップS309〜S313を参照されたい。詳細は本明細書では再び記載されない。
【０３６８】
S812．C−GWがMMEにベアラ修正応答を返信する。
【０３６９】
C−GWは、MMEにベアラ修正応答メッセージを返信し、MMEに決定された転送U−GWのアドレスおよびトンネル終点情報を送信する。場合によっては、ステップS805に対応して、C−GWは、MMEに、アクセスベアラ修正応答メッセージを返信することができ、メッセージは転送U−GWのアドレスおよびトンネル終点情報を搬送する。
【０３７０】
S813．MMEがターゲット基地局にUEコンテキスト修正要求を送信する。
【０３７１】
MMEは、ターゲット基地局にUEコンテキスト修正要求（UE Context Modification Request）メッセージを送信し、メッセージに転送U−GWのアドレスおよびトンネル終点情報を追加し、その結果、次にアップリンクユーザプレーンデータ伝送経路が転送U−GWにハンドオーバされる。このステップは既存の位置更新手順またはサービス要求手順に新しく追
加されたステップであることに留意されたい。
【０３７２】
S814．ターゲット基地局がMMEにUEコンテキスト修正応答メッセージを返信する。
【０３７３】
ターゲット基地局は、MMEにUEコンテキスト修正応答（UE Context Modification Response）メッセージを返信する。
【０３７４】
位置更新手順またはサービス要求手順において、アップリンク／ダウンリンクユーザプレーンデータ伝送経路は、UE⇔ターゲット基地局⇔転送U−GW⇔ソースU−GW、すなわち、図8の破線L1f、破線L2f、および破線L3fによって示された伝送経路に変わる。アップリンク／ダウンリンクユーザプレーンデータ伝送経路は、ソースU−GWを通過することに留意されたい。しかしながら、ソースU−GWと転送U−GWの両方がUEに近い位置に向かって下方に移動したことを考慮すると、ソースU−GWも転送U−GWに非常に近く、したがって、ユーザプレーンデータのRTTは著しく増加しない。2つ以上のU−GWが転送U−GWとして使用されることをC−GWが決定すると、転送U−GWのデータ転送トンネル経路は、すべての転送U−GWを通過する。たとえば、転送U−GWがターゲット転送U−GWおよびソース転送U−GWを含む場合、伝送経路は、UE⇔ターゲット基地局⇔ターゲット転送U−GW⇔ソース転送U−GW⇔ソースU−GWに変わる。
【０３７５】
本発明のこの実施形態では、C−GWは、UEの現在位置情報に従って転送U−GWを決定する。UEの移動プロセスにおけるサービス継続性を保証し、ユーザサービス体験を保証するために、ソースU−GWと転送U−GWとの間にデータ転送トンネルが確立される。
【０３７６】
図9は、本発明の一実施形態による、サービス継続性保証方法の別のフローチャートである。図9の方法は、ターゲットモビリティ管理ネットワーク要素によって実施される。方法は以下のステップを含む。
【０３７７】
901．ターゲットモビリティ管理ネットワーク要素がUEに奉仕するソースモビリティ管理ネットワーク要素によって送信された転送再配置要求を受信する。
【０３７８】
転送再配置要求はUEの現在位置情報を搬送する。
【０３７９】
ステップ901の具体的な実装形態については、図5のステップS503または図6のステップS603を参照されたい。
【０３８０】
本発明のこの実施形態における適用シナリオでは、UEがサービス通信を実施するとき、移動後の位置領域は、（MMEなどの）ソースモビリティ管理ネットワーク要素のサービス範囲を超える。ソースモビリティ管理ネットワーク要素は、UEが現在位置領域に移動する前に使用されたサービングモビリティ管理ネットワーク要素である。
【０３８１】
902．ターゲットモビリティ管理ネットワーク要素がUEの現在位置情報に従ってUEのターゲットC−GWを選択する。
【０３８２】
ステップ902の具体的な実装形態については、図5のステップS504または図6のステップS604を参照されたい。
【０３８３】
903．ターゲットモビリティ管理ネットワーク要素がターゲットC−GWにUEの現在位置情報を送信し、その結果、ターゲットC−GWはUEの現在位置情報に従ってUEの転送U−GWを決定する。
【０３８４】
ステップ902の具体的な実装形態については、図5のステップS509または図6のステップS609を参照されたい。
【０３８５】
S904．ターゲットモビリティ管理ネットワーク要素がターゲットC−GWにデータ転送トンネル確立要求を送信する。
【０３８６】
データ転送トンネル確立要求は、ユーザ機器のために、転送U−GWとユーザ機器に奉仕するソースU−GWとの間のデータ転送トンネル、および転送U−GWとユーザ機器に奉仕するターゲット基地局との間のデータ転送トンネルを確立するように、ターゲット制御プレーンゲートウェイに要求するために使用される。
【０３８７】
ステップ904の具体的な実装形態については、図5のステップS514または図6のステップS616を参照されたい。
【０３８８】
本発明のこの実施形態では、UEがソースモビリティ管理ネットワーク要素のサービス範囲から移動した後、ターゲットモビリティ管理ネットワーク要素は、UEの移動プロセスにおけるサービス継続性を保証し、ユーザサービス体験を改善するために、UEの現在位置情報に従ってUEのターゲットC−GWを決定し、さらに、ターゲットC−GWを使用することにより、UEのために、ソースU−GWとUEのターゲット基地局との間のデータ転送トンネルを確立する。
【０３８９】
場合によっては、一実施形態では、ターゲットC−GWは、UEが現在位置領域に移動する前に使用されたサービングC−GWとは異なる（すなわち、サービングC−GWはUEの移動プロセスにおいて変わる）。この場合、ステップ902の後、かつステップ903の前に、方法は、ターゲットモビリティ管理ネットワーク要素により、ソースモビリティ管理ネットワーク要素に変更通知メッセージを送信するステップをさらに含む場合があり、変更通知メッセージは、UEのサービングC−GWがターゲットC−GWに変わることを示すために使用される。具体的な実装形態については、図5のステップS505または図6のステップS605を参照されたい。
【０３９０】
さらに、ステップ903の前に、方法は、ターゲットモビリティ管理ネットワーク要素により、変更通知メッセージに従ってソースモビリティ管理ネットワーク要素によって送信された確認応答メッセージを受信するステップをさらに含む場合があり、確認応答メッセージは、UEのソースU−GWのルーティング情報を搬送する。具体的な実装形態については、図5のステップS508または図6のステップ608を参照されたい。
【０３９１】
本発明のこの実施形態では、モビリティ管理ネットワーク要素の具体的な実装形態については、図5のまたは図6に示された、ターゲットMMEによって実施される方法を参照されたい。詳細は本発明のこの実施形態では再び記載されない。
【０３９２】
図10は、本発明の一実施形態による、サービス継続性保証方法のさらに別のフローチャートである。図10の方法はC−GWによって実施される。方法は以下のステップを含む。
【０３９３】
1001．C−GWがモビリティ管理ネットワーク要素によって送信されたUEの現在位置情報を受信する。
【０３９４】
本発明のこの実施形態は、以下の適用シナリオのうちのいずれか1つに適用可能である：
ユーザプレーンデータ伝送中に、接続モードのUEが移動し、移動後の位置領域がソース基地局のサービス範囲を超え、UEがソース基地局のサービス範囲から移動したことを検知
した後、ソース基地局が接続モードユーザプレーンデータサービス切替え手順を開始することを決定する。ソース基地局は、UEが現在位置領域に移動する前に使用されたサービング基地局である。
【０３９５】
アップリンクユーザプレーンデータが送信される必要があるとき、アイドルモードのUEが、現在登録されている追跡領域（Tracking Area、TA）などの現在登録されている位置領域から移動し、UEが、追跡領域更新（Tracking Area Update、TAU）手順などの位置更新手順を開始する。
【０３９６】
アップリンクユーザプレーンデータが送信される必要があるとき、アイドルモードのUEが、現在のサービング基地局のサービスエリアから移動するが、現在登録されている追跡領域（Tracking Area、TA）などの現在登録されている位置領域からは移動せず、UEが、サービス要求（Service Request）手順を開始する。
【０３９７】
適用シナリオ（1）では、ソース基地局によって送信されたユーザプレーンデータ切替え要求を受信した後、モビリティ管理ネットワーク要素は、UEのサービングC−GWにサービス切替え通知を送信することができる。モビリティ管理ネットワーク要素はMMEまたはMMEのモビリティ管理機能を有する別のネットワーク要素であり得ることを理解されたい。特定の用途では、モビリティ管理ネットワーク要素は、セッション作成要求（Create Session Request）メッセージ、ベアラ修正要求（Modify Bearer Request）メッセージ、もしくはアクセスベアラ修正要求（Modify Access Bearers Request）メッセージなどの既存のメッセージを使用することにより、サービス切替え通知を送信することができるか、またはモビリティ管理ネットワーク要素は、新しく作成されたメッセージを使用することにより、サービス切替え通知を送信することができる。サービス切替え通知を送信するために使用される具体的なメッセージは、本発明では限定されない。
【０３９８】
適用シナリオ（2）では、UEによって送信された位置更新要求を受信した後、またはUE用の無線アクセスベアラコンテキストの作成に成功した後、モビリティ管理ネットワーク要素は、UEのサービングC−GWに要求メッセージを送信することができる。モビリティ管理ネットワーク要素はMMEまたはMMEのモビリティ管理機能を有する別のネットワーク要素であり得ることを理解されたい。特定の用途では、モビリティ管理ネットワーク要素は、セッション作成要求（Create Session Request）メッセージ、ベアラ修正要求（Modify Bearer Request）メッセージ、もしくはアクセスベアラ修正要求（Modify Access Bearers Request）メッセージなどの既存のメッセージを使用することにより、要求メッセージを送信することができるか、またはモビリティ管理ネットワーク要素は、新しく作成されたメッセージを使用することにより、要求メッセージを送信することができる。要求メッセージを送信するために使用される具体的なメッセージは、本発明では限定されない。
【０３９９】
適用シナリオ（3）では、UEによって送信されたサービス要求を受信した後、またはUE用の無線アクセスベアラコンテキストの作成に成功した後、モビリティ管理ネットワーク要素は、UEのサービングC−GWに要求メッセージを送信することができる。モビリティ管理ネットワーク要素はMMEまたはMMEのモビリティ管理機能を有する別のネットワーク要素であり得ることを理解されたい。特定の用途では、モビリティ管理ネットワーク要素は、セッション作成要求（Create Session Request）メッセージ、ベアラ修正要求（Modify Bearer Request）メッセージ、もしくはアクセスベアラ修正要求（Modify Access Bearers Request）メッセージなどの既存のメッセージを使用することにより、要求メッセージを送信することができるか、またはモビリティ管理ネットワーク要素は、新しく作成されたメッセージを使用することにより、要求メッセージを送信することができる。要求メッセージを送信するために使用される具体的なメッセージは、本発明では限定されない。
【０４００】
C−GWはUEに奉仕するC−GWであることに留意されたい。
【０４０１】
モビリティ管理ネットワーク要素はUEに奉仕するモビリティ管理ネットワーク要素であることに留意されたい。特定の用途では、モビリティ管理ネットワーク要素は、MMEまたはMMEのモビリティ管理機能を有する別のネットワーク要素であり得る。
【０４０２】
1002．C−GWがUEの現在位置情報に従ってUE用のターゲットU−GWを選択する。
【０４０３】
1003．C−GWがモビリティ管理ネットワーク要素に要求メッセージを送信する。
【０４０４】
要求メッセージは、第1のベアラコンテキストを解放し、第2のベアラコンテキストに対するセットアップ要求を送信することをUEに命令するように、モビリティ管理ネットワーク要素に要求するために使用され、第1のベアラコンテキストは、UEのソースU−GW上に確立されたUEのベアラコンテキストであり、第2のベアラコンテキストは、第1のベアラコンテキストに従ってターゲットU−GW上にUEによって再確立されるベアラコンテキストである。
【０４０５】
場合によっては、一実施形態では、要求メッセージはベアラ削除要求メッセージであり、ベアラ削除要求メッセージは再アクティブ化要求指示を搬送し、再アクティブ化要求指示は、モビリティ管理ネットワーク要素を使用することにより、第1のベアラコンテキストが削除された後、第2のベアラコンテキストに対するセットアップ要求を開始するようにUEに示すために使用される。
【０４０６】
MMEとUEの両方は、ソースU−GW上にUEによって作成された第1のベアラコンテキストを記録することを理解されたい。ベアラ削除要求メッセージを受信した後、MMEはMME上の第1のベアラコンテキストを削除し、UE上の第1のベアラコンテキストを削除するようにUEに示す。ベアラ削除要求メッセージが再アクティブ化要求指示を搬送するとき、MMEは、UEに再アクティブ化要求指示をさらに送信して、第1のベアラコンテキストが削除された後、第1のベアラコンテキストの内容に従ってベアラコンテキストに対するセットアップ要求を再送信し、第2のベアラコンテキストを作成することを要求するように、UEに示す。第2のベアラコンテキストは、第1のベアラコンテキストに従ってターゲットU−GW上に作成されるベアラコンテキストである。通常、第2のベアラコンテキストは、第1のベアラコンテキストと同じアクセスポイント名称（Access Point Name、APN）を含む。
【０４０７】
本発明のこの実施形態では、UEがアイドルモードから接続モードに変わり、ユーザプレーンデータを送信する前に、C−GWは、UEの現在位置情報に従ってUEのサービングU−GWを決定し、ベアラコンテキストアクティブ化解除手順をトリガし、ベアラコンテキストアクティブ化解除手順中に再アクティブ化要求指示を追加して、ターゲットU−GW上にベアラリソースを再作成し、後続のユーザプレーンデータ伝送のサービス継続性を保証し、ユーザサービス体験を保証するために、ベアラコンテキスト再作成手順を開始するようにUEに示す。
【０４０８】
以下で、具体的な実施形態を参照して本発明の実施形態における方法をさらに記載する。
【０４０９】
図11は、本発明の一実施形態による、サービス継続性を保証するさらに別の対話フローチャートである。図11では、ターゲット基地局は、UEが現在位置領域内でアイドルモードから接続モードに切り替わるときに使用されるサービング基地局である。ターゲットU−GWは、UEが現在位置領域内でアイドルモードから接続モードに切り替わるときに使用されるサービングU−GWである。MMEは、UEが現在位置領域内でアイドルモードから接続モード
に切り替わるときに使用されるサービングMMEである。C−GWは、UEが現在位置領域内でアイドルモードから接続モードに切り替わるときに使用されるサービングC−GWである。
【０４１０】
本発明のこの実施形態における具体的な手順は以下の通りである。
【０４１１】
S1101．UEがMMEにシグナリング要求を送信する。
【０４１２】
アイドルモードのUEはアップリンクのシグナリングまたはデータを送信する必要があるので、アイドルモードのUEは、MMEにシグナリングを送信して、接続モードへの切替えを要求する。UEは、サービス要求（Service Request）手順または追跡領域更新（Tracking Area Update、TAU）手順を開始して、アイドルモードから接続モードへの切替えを実施する。
【０４１３】
アイドルモードから接続モードに切り替えるプロセスでは、ターゲット基地局、すなわち、UEの現在のサービング基地局は、現在のサービングMMEにUEの現在位置情報を報告し、UEの現在位置情報は、現在の追跡領域識別情報（Tracking Area Identity、TAI）および／または現在のセル識別子（Cell Identity、CI）であり得る。
【０４１４】
S1102．MMEがC−GWに位置更新通知メッセージを送信する。
【０４１５】
アイドルモードから接続モードへの切替えのためにUEによって送信されたシグナリング要求、たとえば、サービス要求（Service Request）メッセージまたはTAU要求メッセージを受信した後、MMEは、基地局によって報告されたUEの現在位置情報に従って、UEの位置が変わったかどうかを判定する。
【０４１６】
UEの位置が変わらない場合、従来技術の方法が実施される。詳細は本発明のこの実施形態では記載されない。UEの位置が変わった場合、MMEは、UEのC−GWに位置更新通知メッセージを送信する。本明細書では、MMEは、以下の2つのシナリオにおいて、UEの位置が変わったかどうかを判定することができる。
【０４１７】
（a）サービングMMEが変わらない場合、MMEは、UEの以前記憶された位置情報を、ターゲット基地局によって報告された現在位置情報と比較して、UEの位置の変化を判定することができる。
【０４１８】
（b）MMEが変わる、すなわち、ステップにおいて新しいMMEがシグナリング要求を受信する場合、新しいMMEは、UEの位置が変わったと考えることができる。
【０４１９】
MMEはサービングC−GWに位置更新通知メッセージを送信し、通知メッセージは、現在TAI、現在セル識別子などを含む、UEの現在位置情報を搬送する。位置更新通知メッセージは、UEの現在位置領域が変わったことをC−GWに通知するために使用される。したがって、MMEは、セッション作成要求（Create Session Request）メッセージ、ベアラ修正要求（Modify Bearer Request）メッセージ、またはアクセスベアラ修正要求（Modify Access Bearers Request）メッセージなどの既存のメッセージを再利用して、UEの現在位置情報を搬送することができるか、または新しいメッセージを定義して、UEの現在位置情報を搬送することができる。このことは本発明では限定されない。
【０４２０】
加えて、MMEは、UEの現在位置情報に従って、UEのサービングC−GWが再割振りされる必要があるかどうか、すなわち、UEが現在のサービングC−GWのサービスエリアから移動したかどうかを判定することができる。サービングC−GWが再割振りされる必要がある場合、MMEは、UEの現在位置情報に従ってサービングC−GWとして新しいC−GWを選択し、新し
いC−GWに位置更新通知メッセージを送信する。加えて、MMEは、UE用のベアラコンテキストを再作成するように新しいC−GWに要求することができる。
【０４２１】
S1103．C−GWがU−GWを決定する。
【０４２２】
C−GWは、UEの現在位置情報に従って、UEの現在のサービングU−GWが再割振りされる必要があるかどうかを判定する。UEの現在のサービングU−GWが再割振りされる必要がある場合、C−GWは、UEの現在位置情報に従って、適切なターゲットU−GWを選択し、ステップS1104を実施する。S1102においてC−GWが再割振りされた場合、一般に、サービングU−GWも再割振りされる必要がある。
【０４２３】
S1104．C−GWがMMEにベアラ削除要求を送信する。
【０４２４】
MMEにベアラ削除要求を送信した後、C−GWは、UEに対するベアラアクティブ化解除手順を開始して、ソースU−GW上にUEによって作成されたすべてのベアラコンテキストリソースを解放する。加えて、ベアラ削除要求メッセージは、ターゲットD−GW上にユーザプレーンベアラリソースを再作成するために、ソースD−GWのすべてのベアラコンテキストリソースが削除された後にパケットデータネットワーク（Packet Data Network、PDN）接続確立要求を直ちに開始するようにUEに要求するために、再アクティブ化要求（Reactivation requested）指示を搬送する。
【０４２５】
S1105．MMEがUEにデタッチ要求またはベアラコンテキストアクティブ化解除要求を送信する。
【０４２６】
C−GWのベアラ削除要求を受信した後、MMEは、UEの現在のパケットデータネットワーク（Packet Data Network、PDN）接続情報に従って、様々なアクションを実施する：
（a）UEが現在ただ1つのPDN接続を有する場合、MMEは、UEに対するデタッチ手順を開始し、デタッチ要求（Detach Request）にリタッチ（re−attach required）指示を追加する。
（b）UEが現在複数のPDN接続を有する場合、MMEは、UEに対するPDN接続アクティブ化解除手順を開始し、ベアラコンテキストアクティブ化解除要求（Deactivate Bearer Context Request）に再アクティブ化要求（Reactivation requested）指示を追加する。
【０４２７】
S1106．UEがPDN接続確立要求を開始する。
【０４２８】
UEは、PDN接続確立要求を開始して、C−GWがステップS1104において削除するように要求したベアラコンテキストを復元する。PDN接続確立要求は、C−GWがステップS1104において削除するように要求したベアラコンテキストと同じAPNを搬送する。この手順では、C−GWは、選択されたターゲットD−GWを使用して、UEのベアラコンテキストを作成する。
【０４２９】
UEがステップS1105においてMMEによって送信されたデタッチ要求を受信した場合、アタッチ手順が開始され、アタッチ手順にPDN接続確立手順が追加される。具体的な実装形態については、従来技術を参照されたい。
【０４３０】
UEがステップS1105においてベアラコンテキストアクティブ化解除要求を受信して、PDN接続をアクティブ化解除した場合、別個のPDN接続確立手順が開始される。具体的な実装形態については、従来技術を参照されたい。
【０４３１】
PDN接続確立手順において、アップリンク／ダウンリンクユーザプレーンデータ伝送経路は、UE⇔ターゲット基地局⇔ターゲットU−GW、すなわち、図11の破線L1gおよび破線L2
gによって示された伝送経路に変わる。
【０４３２】
本発明のこの実施形態では、UEがアイドルモードから接続モードに変わり、ユーザプレーンデータを送信する前に、C−GWは、UEの現在位置情報に従って、サービングU−GWが変わる必要があるかどうかを判定し、PDN接続アクティブ化解除手順をトリガし、PDN接続アクティブ化解除手順中に再アクティブ化要求指示を追加して、ターゲットU−GW上にベアラリソースを再作成し、後続のユーザプレーンデータ伝送のサービス継続性を保証し、ユーザサービス体験を保証するために、PDN接続再確立手順を直ちに開始するようにUEに要求する。
【０４３３】
図12は、本発明の一実施形態による、制御プレーンゲートウェイ1200の概略構造図である。図12に示されたように、制御プレーンゲートウェイ1200は、受信ユニット1201と、選択ユニット1202と、トンネル確立ユニット1203とを含む場合がある。
【０４３４】
受信ユニット1201は、モビリティ管理ネットワーク要素によって送信されたUEの現在位置情報を受信するように構成される。
【０４３５】
選択ユニット1202は、UEの現在位置情報に従ってUE用の少なくとも1つの転送U−GWを選択するように構成される。
【０４３６】
本発明のこの実施形態では、UEの現在位置領域はUEの現在のサービングU−GWのサービス範囲を超え、C−GWは、UEの現在位置領域に従ってUE用の適切な転送U−GWを選択する必要がある。
【０４３７】
トンネル確立ユニット1203は、UEのために、UEに奉仕するソースU−GWと転送U−GWとの間のデータ転送トンネル、および転送U−GWとUEのターゲット基地局との間のデータ転送トンネルを確立するように構成される。データ転送トンネルは、UEの移動プロセスにおいて、UEのアップリンクユーザプレーンデータおよび／またはダウンリンクユーザプレーンデータを送信するために使用される。
【０４３８】
本発明のこの実施形態の適用可能なシナリオについては、図2に示された実施形態における適用シナリオを参照されたい。
【０４３９】
適用シナリオ（1）では、ソース基地局によって送信されたユーザプレーンデータ切替え要求を受信した後、モビリティ管理ネットワーク要素は、UEのサービングC−GWにサービス切替え通知を送信することができる。モビリティ管理ネットワーク要素はMMEまたはMMEのモビリティ管理機能を有する別のネットワーク要素であり得ることを理解されたい。特定の用途では、モビリティ管理ネットワーク要素は、セッション作成要求（Create Session Request）メッセージ、ベアラ修正要求（Modify Bearer Request）メッセージ、もしくはアクセスベアラ修正要求（Modify Access Bearers Request）メッセージなどの既存のメッセージを使用することにより、サービス切替え通知を送信することができるか、またはモビリティ管理ネットワーク要素は、新しく作成されたメッセージを使用することにより、サービス切替え通知を送信することができる。サービス切替え通知を送信するために使用される具体的なメッセージは、本発明では限定されない。
【０４４０】
適用シナリオ（2）では、UEによって送信された位置更新要求を受信した後、またはUE用の無線アクセスベアラコンテキストの作成に成功した後、モビリティ管理ネットワーク要素は、UEのサービングC−GWに要求メッセージを送信することができる。モビリティ管理ネットワーク要素はMMEまたはMMEのモビリティ管理機能を有する別のネットワーク要素であり得ることを理解されたい。特定の用途では、モビリティ管理ネットワーク要素は、
セッション作成要求（Create Session Request）メッセージ、ベアラ修正要求（Modify Bearer Request）メッセージ、もしくはアクセスベアラ修正要求（Modify Access Bearers Request）メッセージなどの既存のメッセージを使用することにより、要求メッセージを送信することができるか、またはモビリティ管理ネットワーク要素は、新しく作成されたメッセージを使用することにより、要求メッセージを送信することができる。要求メッセージを送信するために使用される具体的なメッセージは、本発明では限定されない。
【０４４１】
適用シナリオ（3）では、UEによって送信されたサービス要求を受信した後、またはUE用の無線アクセスベアラコンテキストの作成に成功した後、モビリティ管理ネットワーク要素は、UEのサービングC−GWに要求メッセージを送信することができる。モビリティ管理ネットワーク要素はMMEまたはMMEのモビリティ管理機能を有する別のネットワーク要素であり得ることを理解されたい。特定の用途では、モビリティ管理ネットワーク要素は、セッション作成要求（Create Session Request）メッセージ、ベアラ修正要求（Modify Bearer Request）メッセージ、もしくはアクセスベアラ修正要求（Modify Access Bearers Request）メッセージなどの既存のメッセージを使用することにより、要求メッセージを送信することができるか、またはモビリティ管理ネットワーク要素は、新しく作成されたメッセージを使用することにより、要求メッセージを送信することができる。要求メッセージを送信するために使用される具体的なメッセージは、本発明では限定されない。
【０４４２】
UEの現在位置情報には、UEの現在位置領域に対応する追跡領域情報（Tracking Area Identity、TAI）、UEの現在位置領域に対応するサービング基地局情報などが含まれる。UEが現在位置領域に移動するときに使用される対応するTAIは、UEのターゲットTAIである。UEが現在位置領域に移動するときに使用される対応するサービング基地局情報は、UEのターゲット基地局情報である。ターゲット基地局情報は、ターゲット基地局識別情報（Identity、ID）、ターゲットセル識別子（Cell Identity、CI）などであり得る。UEの現在位置領域は、UEのターゲット位置領域、すなわち、UEがソースサービング基地局のサービス範囲から移動した後のUEの位置領域とも呼ばれることを理解されたい。同様に、UEの現在位置情報はUEのターゲット位置情報とも呼ばれる。
【０４４３】
UEの移動プロセスは、前述の3つの適用シナリオにおいて行われる手順、具体的には、適用シナリオ（1）におけるサービス切替え手順、適用シナリオ（2）における位置更新手順、および適用シナリオ（3）におけるサービス要求手順を含むことを理解されたい。
【０４４４】
UEのターゲット基地局は、UEが現在位置領域に移動した後、UEにアクセスサービスを提供する基地局であることを理解されたい。
【０４４５】
データ転送トンネルは、UEに奉仕するソースU−GWと転送U−GWとの間のユーザプレーンベアラコンテキスト、および転送U−GWとUEのターゲット基地局との間のユーザプレーンベアラコンテキストを作成することによって実装されることを理解されたい。ユーザプレーンベアラコンテキストは、ユーザプレーンデータを転送するために必要なルーティング情報を含む。具体的には、ソースU−GW上に作成されるユーザプレーンベアラコンテキストは、転送U−GWのルーティング情報およびUEに奉仕するソース基地局のルーティング情報を含み、転送U−GW上に作成されるユーザプレーンベアラコンテキストは、ソースU−GWのルーティング情報およびターゲット基地局のルーティング情報を含み、ターゲット基地局上に作成されるユーザプレーンベアラコンテキストは、転送U−GWのルーティング情報を含む。さらに、ルーティング情報は、アドレス（通常、インターネットプロトコル（Internet Protocol、IP）アドレス）、およびトンネル終点情報（通常、GPRSトンネリングプロトコル（GPRS Tunnelling Protocol、GTP）が使用される場合、トンネル終点情報はGTPトンネル終点識別子（Tunnel Endpoint Identifier、TEID）である）を含む場合がある。
【０４４６】
転送U−GWは、選択ユニット1202によって選択された少なくとも1つの転送U−GWであることを理解されたい。トンネル確立ユニット1203が、UEのために、UEに奉仕するソースU−GWと転送U−GWとの間のデータ転送トンネル、および転送U−GWとUEのターゲット基地局との間のデータ転送トンネルを確立することは、トンネル確立ユニット1203が、ソースC−GWからターゲット基地局までの2つのネットワーク要素間にデータ転送トンネルを確立するために、ソースU−GW、少なくとも1つの転送U−GW、およびターゲット基地局の間に通信経路を確立することである。
【０４４７】
本発明のこの実施形態では、制御プレーンゲートウェイ1200は、UEの移動プロセスにおけるサービス継続性を保証し、ユーザサービス体験を改善するために、移動後の現在位置情報に従ってUE用の適切な転送U−GWを決定し、転送U−GWとソースU−GWとの間のデータ転送トンネル、および転送U−GWとUEのターゲット基地局との間のデータ転送トンネルを確立する。
【０４４８】
加えて、図13に示されたように、制御プレーンゲートウェイは送信ユニット1204をさらに含む場合がある。
【０４４９】
場合によっては、一実施形態では、少なくとも1つの転送U−GWは第1のU−GWであり、制御プレーンゲートウェイは、UEが現在位置領域に移動した後に使用されるサービング制御プレーンゲートウェイであり、制御プレーンゲートウェイは、UEが現在位置領域に移動する前に使用されたサービング制御プレーンゲートウェイと同じであり、モビリティ管理ネットワーク要素は、UEが現在位置領域に移動した後に使用されるサービングモビリティ管理ネットワーク要素である。
【０４５０】
受信ユニット1201は、モビリティ管理ネットワーク要素によって送信された第1の要求を受信するようにさらに構成される。第1の要求はUEのターゲット基地局のルーティング情報を搬送する。
【０４５１】
トンネル確立ユニット1203は、具体的に、送信ユニット1204を使用することにより、第1のU−GWに第2の要求を送信し、送信ユニット1204を使用することにより、ソースU−GWに第3の要求を送信するように構成される。第2の要求は、第1のU−GWとターゲット基地局との間のデータ転送トンネル、および第1のU−GWとソースU−GWとの間のデータ転送トンネルを確立するように、第1のU−GWに要求するために使用される。第2の要求は、ターゲット基地局のルーティング情報およびソースU−GWのルーティング情報を搬送する。第3の要求は、ソースU−GWと第1のU−GWとの間のデータ転送トンネルを確立するように、ソースU−GWに要求するために使用され、第3の要求は、第1のU−GWのルーティング情報を搬送する。
【０４５２】
この実施形態では、制御プレーンゲートウェイ1200は、UEが現在位置領域に移動する前に使用されたサービングC−GWと同じであり、すなわち、サービングC−GWはUEの移動プロセスにおいて変わらないことを理解されたい。この実施形態は、サービングモビリティ管理ネットワーク要素がUEの移動プロセスにおいて変わるシナリオ、またはサービングモビリティ管理ネットワーク要素がUEの移動プロセスにおいて変わらないシナリオに適用可能であり、すなわち、モビリティ管理ネットワーク要素は、UEが現在位置領域に移動する前に使用されたサービングモビリティ管理ネットワーク要素と同じかまたは異なる場合があることを理解されたい。
【０４５３】
当然、制御プレーンゲートウェイ1200は、第2の要求に従って第1のU−GWによって送信された第2の応答、および第3の要求に従ってソースU−GWによって送信された第3の応答を
さらに受信することを理解されたい。第2の応答は、第1のU−GWが、第1のU−GWとターゲット基地局との間のデータ転送トンネル、および第1のU−GWとソースU−GWとの間のデータ転送トンネルの確立を許可したことを確認応答するために使用される。場合によっては、第2の応答は、IPアドレスおよびTEID情報などの第1のU−GWのルーティング情報を搬送することができ、第3の応答は、ソースU−GWが、ソースU−GWと第1のU−GWとの間のデータ転送トンネルの確立を許可したことを確認応答するために使用される。第2の応答および第3の応答を受信した後、制御プレーンゲートウェイ1200は、モビリティ管理ネットワーク要素に第1の要求の第1の応答を送信することができる。
【０４５４】
この実施形態における第1の要求、第2の要求、または第3の要求は、間接データ転送トンネル作成要求（Create Indirect Data Forwarding Tunnel Request）などの既存のメッセージ、または新しく定義されたメッセージを使用することによって送信される場合があることに留意されたい。このことは本発明では限定されない。さらに、この実施形態における第1の応答、第2の応答、または第3の応答は、間接データ転送トンネル作成応答（Create Indirect Data Forwarding Tunnel Response）などの既存のメッセージ、または新しく定義されたメッセージを使用することによって送信される場合がある。このことは本発明では限定されない。
【０４５５】
場合によっては、別の実施形態では、少なくとも1つの転送U−GWは第1のU−GWおよび第2のU−GWを含み、制御プレーンゲートウェイは、UEが現在位置領域に移動した後に使用されるサービング制御プレーンゲートウェイであり、制御プレーンゲートウェイは、UEが現在位置領域に移動する前に使用されたサービング制御プレーンゲートウェイと同じであり、モビリティ管理ネットワーク要素は、UEが現在位置領域に移動した後に使用されるサービングモビリティ管理ネットワーク要素であり、モビリティ管理ネットワーク要素は、UEが現在位置領域に移動する前に使用されたサービングモビリティ管理ネットワーク要素と同じかまたは異なる。
【０４５６】
受信ユニット1201は、モビリティ管理ネットワーク要素によって送信された第1の要求を受信するようにさらに構成される。第1の要求はUEのターゲット基地局のルーティング情報を搬送する。
【０４５７】
トンネル確立ユニット1203は、具体的に、送信ユニット1204を使用することにより、第2のU−GWに第2の要求を送信し、送信ユニット1204を使用することにより、第3のU−GWに第3の要求を送信し、送信ユニット1204を使用することにより、ソースU−GWに第4の要求を送信するように構成される。第2の要求は、第2のU−GWとターゲット基地局との間のデータ転送トンネル、および第2のU−GWと第3のU−GWとの間のデータ転送トンネルを確立するように、第2のU−GWに要求するために使用され、第2の要求は、ターゲット基地局のルーティング情報および第3のU−GWのルーティング情報を搬送し、第3の要求は、第3のU−GWと第2のU−GWとの間のデータ転送トンネル、および第3のU−GWとソースU−GWとの間のデータ転送トンネルを確立するように、第3のU−GWに要求するために使用され、第3の要求は、第2のU−GWのルーティング情報およびソースU−GWのルーティング情報を搬送し、第4の要求は、ソースU−GWと第3のU−GWとの間のデータ転送トンネルを確立するように、ソースU−GWに要求するために使用され、第4の要求は、第3のU−GWのルーティング情報を搬送する。
【０４５８】
この実施形態では、C−GWは、UEが現在位置領域に移動する前に使用されたサービングC−GWと同じであり、すなわち、サービングC−GWはUEの移動プロセスにおいて変わらないことを理解されたい。この実施形態は、サービングモビリティ管理ネットワーク要素がUEの移動プロセスにおいて変わるシナリオ、またはサービングモビリティ管理ネットワーク要素がUEの移動プロセスにおいて変わらないシナリオに適用可能であり、すなわち、モビ
リティ管理ネットワーク要素は、UEが現在位置領域に移動する前に使用されたサービングモビリティ管理ネットワーク要素と同じかまたは異なる場合があることを理解されたい。
【０４５９】
同様に、制御プレーンゲートウェイ1200は、第2の要求に従って第2のU−GWによって送信された第2の応答、第3の要求に従って第3のU−GWによって送信された第3の応答、および第4の要求に従ってソースU−GWによって送信された第4の応答をさらに受信する。第2の応答は、第2のU−GWが、第2のU−GWとターゲット基地局との間のデータ転送トンネル、および第2のU−GWと第3のU−GWとの間のデータ転送トンネルの確立を許可したことを確認応答するために使用される。場合によっては、第2の応答は、IPアドレスおよびTEID情報などの、第2のU−GWのルーティング情報を搬送することができる。第3の応答は、第3のU−GWが、第3のU−GWと第2のU−GWとの間のデータ転送トンネル、および第3のU−GWとソースU−GWとの間のデータ転送トンネルの確立を許可したことを確認応答するために使用される。場合によっては、第3の応答は、IPアドレスおよびTEID情報などの、第3のU−GWのルーティング情報を搬送することができる。第4の応答は、ソースU−GWが、ソースU−GWと第3のU−GWとの間のデータ転送トンネルの確立を許可したことを確認応答するために使用される。第2の応答、第3の応答、および第4の応答を受信した後、制御プレーンゲートウェイ1200は、モビリティ管理ネットワーク要素に第1の要求の第1の応答を送信することができる。
【０４６０】
この実施形態における第1の要求、第2の要求、第3の要求、または第4の要求は、間接データ転送トンネル作成要求（Create Indirect Data Forwarding Tunnel Request）などの既存のメッセージ、または新しく定義されたメッセージを使用することによって送信される場合があることに留意されたい。このことは本発明では限定されない。さらに、この実施形態における第1の応答、第2の応答、第3の応答、または第4の応答は、間接データ転送トンネル作成応答（Create Indirect Data Forwarding Tunnel Response）などの既存のメッセージ、または新しく定義されたメッセージを使用することによって送信される場合がある。このことは本発明では限定されない。
【０４６１】
場合によっては、さらに別の実施形態では、少なくとも1つの転送U−GWは第1のU−GWであり、制御プレーンゲートウェイは、UEが現在位置領域に移動した後に使用されるサービング制御プレーンゲートウェイであり、制御プレーンゲートウェイは、UEが現在位置領域に移動する前に使用されたサービング制御プレーンゲートウェイとは異なり、モビリティ管理ネットワーク要素は、UEが現在位置領域に移動した後に使用されるサービングモビリティ管理ネットワーク要素であり、モビリティ管理ネットワーク要素は、UEが現在位置領域に移動する前に使用されたサービングモビリティ管理ネットワーク要素と同じかまたは異なる。
【０４６２】
受信ユニット1201は、UEのソースU−GWのルーティング情報を受信するようにさらに構成される。
【０４６３】
受信ユニット1201は、モビリティ管理ネットワーク要素によって送信された第1の要求を受信するようにさらに構成される。第1の要求はUEのターゲット基地局のルーティング情報を搬送する。
【０４６４】
トンネル確立ユニット1203は、具体的に、送信ユニット1204を使用することにより、第1のU−GWに第2の要求を送信するように構成される。第2の要求は、第1のU−GWとターゲット基地局との間のデータ転送トンネル、および第1のU−GWとソースU−GWとの間のデータ転送トンネルを確立するように、第1のU−GWに要求するために使用され、第2の要求は、ターゲット基地局のルーティング情報およびソースU−GWのルーティング情報を搬送する。
【０４６５】
この実施形態では、C−GWは、UEが現在位置領域に移動する前に使用されたサービングC−GWとは異なり、すなわち、サービングC−GWはUEの移動プロセスにおいて変わることを理解されたい。この実施形態は、サービングモビリティ管理ネットワーク要素がUEの移動プロセスにおいて変わるシナリオ、またはサービングモビリティ管理ネットワーク要素がUEの移動プロセスにおいて変わらないシナリオに適用可能であり、すなわち、モビリティ管理ネットワーク要素は、UEが現在位置領域に移動する前に使用されたサービングモビリティ管理ネットワーク要素と同じかまたは異なる場合があることを理解されたい。
【０４６６】
同様に、制御プレーンゲートウェイ1200は、第2の要求に従って第1のU−GWによって送信された第2の応答、および第3の要求に従ってソースU−GWによって送信された第3の応答をさらに受信する。第2の応答は、第1のU−GWが、第1のU−GWとターゲット基地局との間のデータ転送トンネル、および第1のU−GWとソースU−GWとの間のデータ転送トンネルの確立を許可したことを確認応答するために使用される。場合によっては、第2の応答は、IPアドレスおよびTEID情報などの第1のU−GWのルーティング情報を搬送することができ、第3の応答は、ソースU−GWが、ソースU−GWと第1のU−GWとの間のデータ転送トンネルの確立を許可したことを確認応答するために使用される。第2の応答および第3の応答を受信した後、制御プレーンゲートウェイ1200は、モビリティ管理ネットワーク要素に第1の要求の第1の応答を送信することができる。
【０４６７】
当然、この実施形態におけるUEのサービングC−GWはUEの移動プロセスにおいて変わるので、C−GWは、ターゲットC−GW、すなわち、UEが現在位置領域に移動した後に使用されるサービングC−GWであることを理解されたい。さらに、ターゲットC−GWは、ソースU−GWにデータ転送トンネル確立要求を送信し、ソースU−GWに第1のU−GWのルーティング情報を送信するように、モビリティ管理ネットワーク要素を介してソースC−GWにさらに示すべきである。ソースC−GWは、UEが現在位置領域に移動する前に使用されたサービングC−GWであり、ソースU−GWは、UEが現在位置領域に移動する前に使用されたサービングU−GWである。
【０４６８】
この実施形態における第1の要求または第2の要求は、間接データ転送トンネル作成要求（Create Indirect Data Forwarding Tunnel Request）などの既存のメッセージ、または新しく定義されたメッセージを使用することによって送信される場合があることに留意されたい。このことは本発明では限定されない。さらに、この実施形態における第1の応答または第2の応答は、間接データ転送トンネル作成応答（Create Indirect Data Forwarding Tunnel Response）などの既存のメッセージ、または新しく定義されたメッセージを使用することによって送信される場合がある。このことは本発明では限定されない。
【０４６９】
場合によっては、さらに別の実施形態では、少なくとも1つの転送U−GWは第1のU−GWおよび第2のU−GWを含み、制御プレーンゲートウェイは、UEが現在位置領域に移動した後に使用されるサービング制御プレーンゲートウェイであり、制御プレーンゲートウェイは、UEが現在位置領域に移動する前に使用されたサービング制御プレーンゲートウェイとは異なり、モビリティ管理ネットワーク要素は、UEが現在位置領域に移動した後に使用されるサービングモビリティ管理ネットワーク要素であり、モビリティ管理ネットワーク要素は、UEが現在位置領域に移動する前に使用されたサービングモビリティ管理ネットワーク要素と同じかまたは異なる。
【０４７０】
受信ユニット1201は、UEのソースU−GWのルーティング情報を受信するようにさらに構成される。
【０４７１】
受信ユニット1201は、モビリティ管理ネットワーク要素によって送信された第1の要求
を受信するようにさらに構成される。第1の要求はUEのターゲット基地局のルーティング情報を搬送する。
【０４７２】
トンネル確立ユニット1203は、具体的に、送信ユニット1204を使用することにより、第2のU−GWに第2の要求を送信し、送信ユニット1204を使用することにより、第3のU−GWに第3の要求を送信するように構成される。第2の要求は、第2のU−GWとターゲット基地局との間のデータ転送トンネル、および第2のU−GWと第3のU−GWとの間のデータ転送トンネルを確立するように、第2のU−GWに要求するために使用される。第2の要求は、ターゲット基地局のルーティング情報および第3のU−GWのルーティング情報を搬送する。第3の要求は、第3のU−GWと第2のU−GWとの間のデータ転送トンネル、および第3のU−GWとソースU−GWとの間のデータ転送トンネルを確立するように、第3のU−GWに要求するために使用される。第3の要求は、第2のU−GWのルーティング情報およびソースU−GWのルーティング情報を搬送する。
【０４７３】
この実施形態では、C−GWは、UEが現在位置領域に移動する前に使用されたサービングC−GWとは異なり、すなわち、サービングC−GWはUEの移動プロセスにおいて変わることを理解されたい。この実施形態は、サービングモビリティ管理ネットワーク要素がUEの移動プロセスにおいて変わるシナリオ、またはサービングモビリティ管理ネットワーク要素がUEの移動プロセスにおいて変わらないシナリオに適用可能であり、すなわち、モビリティ管理ネットワーク要素は、UEが現在位置領域に移動する前に使用されたサービングモビリティ管理ネットワーク要素と同じかまたは異なる場合があることを理解されたい。
【０４７４】
同様に、制御プレーンゲートウェイ1200は、第2の要求に従って第2のU−GWによって送信された第2の応答、第3の要求に従って第3のU−GWによって送信された第3の応答、および第4の要求に従ってソースU−GWによって送信された第4の応答をさらに受信する。第2の応答は、第2のU−GWが、第2のU−GWとターゲット基地局との間のデータ転送トンネル、および第2のU−GWと第3のU−GWとの間のデータ転送トンネルの確立を許可したことを確認応答するために使用される。場合によっては、第2の応答は、IPアドレスおよびTEID情報などの、第2のU−GWのルーティング情報を搬送することができる。第3の応答は、第3のU−GWが、第3のU−GWと第2のU−GWとの間のデータ転送トンネル、および第3のU−GWとソースU−GWとの間のデータ転送トンネルの確立を許可したことを確認応答するために使用される。場合によっては、第3の応答は、IPアドレスおよびTEID情報などの、第3のU−GWのルーティング情報を搬送することができる。第4の応答は、ソースU−GWが、ソースU−GWと第3のU−GWとの間のデータ転送トンネルの確立を許可したことを確認応答するために使用される。第2の応答、第3の応答、および第4の応答を受信した後、制御プレーンゲートウェイ1200は、モビリティ管理ネットワーク要素に第1の要求の第1の応答を送信することができる。
【０４７５】
当然、この実施形態におけるUEのサービングC−GWはUEの移動プロセスにおいて変わるので、この実施形態におけるC−GWは、ターゲットC−GW、すなわち、UEが現在位置領域に移動した後に使用されるサービングC−GWであることを理解されたい。さらに、ターゲットC−GWは、ソースU−GWにデータ転送トンネル確立要求を送信し、ソースU−GWに第3のU−GWのルーティング情報を送信するように、モビリティ管理ネットワーク要素を介してソースC−GWにさらに示すべきである。ソースC−GWは、UEが現在位置領域に移動する前に使用されたサービングC−GWであり、ソースU−GWは、UEが現在位置領域に移動する前に使用されたサービングU−GWである。
【０４７６】
この実施形態における第1の要求、第2の要求、または第3の要求は、間接データ転送トンネル作成要求（Create Indirect Data Forwarding Tunnel Request）などの既存のメッセージ、または新しく定義されたメッセージを使用することによって送信される場合があ
ることに留意されたい。このことは本発明では限定されない。さらに、この実施形態における第1の応答、第2の応答、または第3の応答は、間接データ転送トンネル作成応答（Create Indirect Data Forwarding Tunnel Response）などの既存のメッセージ、または新しく定義されたメッセージを使用することによって送信される場合がある。このことは本発明では限定されない。場合によっては、図13に示された前述の4つの具体的な実施形態では、少なくとも1つの転送U−GWが第1のU−GWであるとき、トンネル確立ユニット1203は、モビリティ管理ネットワーク要素を介してターゲット基地局にターゲットU−GWのルーティング情報を送信するようにさらに構成される。
【０４７７】
場合によっては、図13に示された前述の4つの具体的な実施形態では、少なくとも1つの転送U−GWが第1のU−GWであるとき、トンネル確立ユニット1203は、モビリティ管理ネットワーク要素を介してターゲット基地局に第1のU−GWのルーティング情報を送信するようにさらに構成される。
【０４７８】
場合によっては、図13に示された前述の4つの具体的な実施形態では、少なくとも1つの転送U−GWが第2のU−GWおよび第3のU−GWであるとき、トンネル確立ユニット1203は、モビリティ管理ネットワーク要素を介してターゲット基地局に第2のU−GWのルーティング情報を送信するようにさらに構成される。
【０４７９】
場合によっては、図13に示された前述の4つの具体的な実施形態では、トンネル確立ユニット1203は、ターゲットU−GWにセッション作成要求を送信するようにさらに構成される。セッション作成要求は、UE用のターゲットU−GW上に、ユーザプレーンデータ伝送用のベアラコンテキストを作成するために使用される。各々作成されたベアラコンテキストはターゲットU−GWのルーティング情報を含み、ターゲットU−GWはUEの現在位置領域に対応するサービングU−GWである。ターゲットU−GWは、一般に、現在位置領域においてUEに最適なデータ伝送経路を提供するサービングU−GWであることを理解されたい。さらに、トンネル確立ユニット1203は、モビリティ管理ネットワーク要素を介してターゲット基地局にターゲットU−GWのルーティング情報を送信するようにさらに構成される。
【０４８０】
場合によっては、図13に示された前述の4つの具体的な実施形態では、少なくとも1つの転送U−GWが第1のU−GWであるとき、第1のU−GWはさらに、UEの現在位置情報に従ってUE用に制御プレーンゲートウェイによって選択されたサービングU−GWである。すなわち、第1のU−GWはターゲットU−GWである。この場合、ターゲットD−GWはソースD−GWと直接通信することができ、すなわち、ターゲットU−GWも転送U−GWの役割を果たす。ターゲットU−GWがソースD−GWと直接通信することができないとき、C−GWによって選択された転送U−GWはターゲットU−GWとは異なることを理解されたい。
【０４８１】
制御プレーンゲートウェイ1200は図2に示された方法をさらに実施することができ、図2から図4、図7、および図8に示された実施形態におけるC−GWの機能、ならびに図5または図6に示された実施形態におけるターゲットC−GWの機能を実装する。詳細は本発明のこの実施形態では再び記載されない。
【０４８２】
図14は、本発明の一実施形態による、モビリティ管理ネットワーク要素1400の概略構造図である。モビリティ管理ネットワーク要素1400は、受信ユニット1401と、選択ユニット1402と、送信ユニット1403とを含む場合がある。
【０４８３】
受信ユニット1401は、UEに奉仕するソースモビリティ管理ネットワーク要素によって送信された転送再配置要求を受信するように構成される。
【０４８４】
転送再配置要求はUEの現在位置情報を搬送する。
【０４８５】
選択ユニット1402は、UEの現在位置情報に従ってUEのターゲットC−GWを選択するように構成される。
【０４８６】
送信ユニット1403は、ターゲットC−GWにUEの現在位置情報を送信するように構成され、その結果、ターゲット制御プレーンゲートウェイは、UEの現在位置情報に従ってUEの転送U−GWを決定する。
【０４８７】
送信ユニット1403は、ターゲット制御プレーンゲートウェイにデータ転送トンネル確立要求を送信するようにさらに構成される。
【０４８８】
データ転送トンネル確立要求は、UEのために、転送U−GWとUEに奉仕するソースU−GWとの間のデータ転送トンネル、および転送U−GWとUEに奉仕するターゲット基地局との間のデータ転送トンネルを確立するように、ターゲットC−GWに要求するために使用される。
【０４８９】
本発明のこの実施形態では、UEがソースモビリティ管理ネットワーク要素のサービス範囲から移動した後、モビリティ管理ネットワーク要素1400は、UEの移動プロセスにおけるサービス継続性を保証し、ユーザサービス体験を改善するために、UEの現在位置情報に従ってUEのターゲットC−GWを決定し、さらに、ターゲットC−GWを使用することにより、UEのために、ソースU−GWとUEのターゲット基地局との間のデータ転送トンネルを確立する。
【０４９０】
場合によっては、ターゲット制御プレーンゲートウェイは、UEが現在位置領域に移動する前に使用されたサービング制御プレーンゲートウェイとは異なる（すなわち、サービングC−GWはUEの移動プロセスにおいて変わる）。送信ユニット1403は、ソースモビリティ管理ネットワーク要素に変更通知メッセージを送信するようにさらに構成される。変更通知メッセージは、UEのサービング制御プレーンゲートウェイがターゲット制御プレーンゲートウェイに変わったことを示すために使用される。
【０４９１】
さらに、受信ユニット1401は、変更通知メッセージに従ってソースモビリティ管理ネットワーク要素によって送信された確認応答メッセージを受信するようにさらに構成される。確認応答メッセージはUEのソースU−GWのルーティング情報を搬送する。
【０４９２】
モビリティ管理ネットワーク要素1400はさらに、図9の方法を実施し、図5または図6に示された実施形態におけるターゲットMMEの機能を実装することができる。詳細は本発明のこの実施形態では再び記載されない。
【０４９３】
図15は、本発明の一実施形態による、制御プレーンゲートウェイ1500の概略構造図である。制御プレーンゲートウェイ1500は、
モビリティ管理ネットワーク要素によって送信されたUEの現在位置情報を受信するように構成された受信ユニット1501と、
UEの現在位置情報に従ってUE用のターゲットU−GWを選択するように構成された選択ユニット1502と、
モビリティ管理ネットワーク要素に要求メッセージを送信するように構成された送信ユニット1503と
を含む。
【０４９４】
要求メッセージは、第1のベアラコンテキストを解放し、第2のベアラコンテキストに対するセットアップ要求を送信することをUEに示すように、モビリティ管理ネットワーク要素に要求するために使用される。第1のベアラコンテキストは、UEのソースU−GW上に確立
されたUEのベアラコンテキストであり、第2のベアラコンテキストは、第1のベアラコンテキストに従ってターゲットU−GW上にUEによって再確立されるベアラコンテキストである。
【０４９５】
本発明のこの実施形態では、位置更新通知メッセージは、UEの現在位置領域が変わったことをC−GWに通知するために使用されることを理解されたい。位置更新通知のために、セッション作成要求（Create Session Request）メッセージ、ベアラ修正要求（Modify Bearer Request）メッセージ、またはアクセスベアラ修正要求（Modify Access Bearers Request）メッセージなどの既存のメッセージが再利用される場合があるか、または新しいメッセージが定義される場合がある。このことは本発明では限定されない。
【０４９６】
本発明のこの実施形態では、UEがアイドルモードから接続モードに変わり、ユーザプレーンデータを送信する前に、制御プレーンゲートウェイ1500は、UEの現在位置情報に従って、サービングU−GWが変わる必要があるかどうかを判定し、ベアラコンテキストアクティブ化解除手順をトリガし、ベアラコンテキストアクティブ化解除手順中に再アクティブ化要求指示を追加して、ターゲットU−GW上にベアラリソースを再作成し、後続のユーザプレーンデータ伝送のサービス継続性を保証し、ユーザサービス体験を保証するために、ベアラコンテキスト再確立手順を直ちに開始するようにUEに要求する。
【０４９７】
場合によっては、一実施形態では、要求メッセージはベアラ削除要求メッセージであり、ベアラ削除要求メッセージは再アクティブ化要求指示を搬送し、再アクティブ化要求指示は、モビリティ管理ネットワーク要素を使用することにより、第1のベアラコンテキストが削除された後、第2のベアラコンテキストに対するセットアップ要求を開始するようにUEに示すために使用される。
【０４９８】
MMEとUEの両方は、ソースU−GW上にUEによって作成された第1のベアラコンテキストを記録することを理解されたい。ベアラ削除要求メッセージを受信した後、MMEはMME上の第1のベアラコンテキストを削除し、UE上の第1のベアラコンテキストを削除するようにUEに示す。ベアラ削除要求メッセージが再アクティブ化要求指示を搬送するとき、MMEは、UEに再アクティブ化要求指示をさらに送信して、第1のベアラコンテキストが削除された後、第1のベアラコンテキストの内容に従ってベアラコンテキストに対するセットアップ要求を再送信し、第2のベアラコンテキストを作成することを要求するように、UEに示す。第2のベアラコンテキストは、第1のベアラコンテキストに基づいてターゲットU−GW上に作成されるベアラコンテキストである。
【０４９９】
制御プレーンゲートウェイ1500はさらに、図10の方法を実施し、図11に示された実施形態におけるC−GWの機能を実装することができる。詳細は本発明のこの実施形態では再び記載されない。
【０５００】
図16は、本発明の一実施形態による、制御プレーンゲートウェイ1600の概略構造図である。制御プレーンゲートウェイ1600は、プロセッサ1602と、メモリ1603と、送信機1601と、受信機1604とを含む場合がある。
【０５０１】
受信機1604、送信機1601、プロセッサ1602、およびメモリ1603は、バス1606を使用することによって互いに接続される。バス1606は、ISAバス、PCIバス、EISAバスなどであり得る。バスは、アドレスバス、データバス、制御バスなどに分類される場合がある。説明を容易にするために、図16では、バス1606はただ1つの両矢印を使用することによって示される。しかしながら、それは、ただ1つのバスまたはただ1つのタイプのバスしか存在しないことを示していない。特定の用途では、送信機1601および受信機1604はアンテナ1605に結合される場合がある。
【０５０２】
メモリ1603はプログラムを記憶するように構成される。具体的には、プログラムはプログラムコードを含む場合があり、プログラムコードはコンピュータ動作命令を含む。メモリ1603は、読取り専用メモリおよびランダムアクセスメモリを含む場合があり、プロセッサ1602に命令およびデータを供給する。メモリ1603は、高速RAMメモリを含む場合があり、不揮発性メモリ（non−volatile memory）、たとえば、少なくとも1つの磁気ディスクメモリをさらに含む場合がある。
【０５０３】
プロセッサ1602は、メモリ1603に記憶されたプログラムを実行し、具体的には、以下の動作：
受信機1604を使用することにより、モビリティ管理ネットワーク要素によって送信されたUEの現在位置情報を受信することと、
UEの現在位置情報に従ってUE用の少なくとも1つの転送U−GWを選択することと、
送信機1601を使用することにより、UEのために、UEに奉仕するソースU−GWと転送U−GWとの間のデータ転送トンネル、および転送U−GWとUEのターゲット基地局との間のデータ転送トンネルを確立することであって、データ転送トンネルが、UEの移動プロセスにおいて、UEのアップリンクユーザプレーンデータおよび／またはダウンリンクユーザプレーンデータを送信するために使用される、確立することと
を実施するように構成される。
【０５０４】
本発明のこの実施形態における適用可能なシナリオについては、図2に示された実施形態における適用シナリオを参照されたい。
【０５０５】
適用シナリオ（1）では、ソース基地局によって送信されたユーザプレーンデータ切替え要求を受信した後、モビリティ管理ネットワーク要素は、UEのサービングC−GWにサービス切替え通知を送信することができる。モビリティ管理ネットワーク要素はMMEまたはMMEのモビリティ管理機能を有する別のネットワーク要素であり得ることを理解されたい。特定の用途では、モビリティ管理ネットワーク要素は、セッション作成要求（Create Session Request）メッセージ、ベアラ修正要求（Modify Bearer Request）メッセージ、もしくはアクセスベアラ修正要求（Modify Access Bearers Request）メッセージなどの既存のメッセージを使用することにより、サービス切替え通知を送信することができるか、またはモビリティ管理ネットワーク要素は、新しく作成されたメッセージを使用することにより、サービス切替え通知を送信することができる。サービス切替え通知を送信するために使用される具体的なメッセージは、本発明では限定されない。
【０５０６】
適用シナリオ（2）では、UEによって送信された位置更新要求を受信した後、またはUE用の無線アクセスベアラコンテキストの作成に成功した後、モビリティ管理ネットワーク要素は、UEのサービングC−GWに要求メッセージを送信することができる。モビリティ管理ネットワーク要素はMMEまたはMMEのモビリティ管理機能を有する別のネットワーク要素であり得ることを理解されたい。特定の用途では、モビリティ管理ネットワーク要素は、セッション作成要求（Create Session Request）メッセージ、ベアラ修正要求（Modify Bearer Request）メッセージ、もしくはアクセスベアラ修正要求（Modify Access Bearers Request）メッセージなどの既存のメッセージを使用することにより、要求メッセージを送信することができるか、またはモビリティ管理ネットワーク要素は、新しく作成されたメッセージを使用することにより、要求メッセージを送信することができる。要求メッセージを送信するために使用される具体的なメッセージは、本発明では限定されない。
【０５０７】
適用シナリオ（3）では、UEによって送信されたサービス要求を受信した後、またはUE用の無線アクセスベアラコンテキストの作成に成功した後、モビリティ管理ネットワーク要素は、UEのサービングC−GWに要求メッセージを送信することができる。モビリティ管
理ネットワーク要素はMMEまたはMMEのモビリティ管理機能を有する別のネットワーク要素であり得ることを理解されたい。特定の用途では、モビリティ管理ネットワーク要素は、セッション作成要求（Create Session Request）メッセージ、ベアラ修正要求（Modify Bearer Request）メッセージ、もしくはアクセスベアラ修正要求（Modify Access Bearers Request）メッセージなどの既存のメッセージを使用することにより、要求メッセージを送信することができるか、またはモビリティ管理ネットワーク要素は、新しく作成されたメッセージを使用することにより、要求メッセージを送信することができる。要求メッセージを送信するために使用される具体的なメッセージは、本発明では限定されない。
【０５０８】
UEの現在位置情報には、UEの現在位置領域に対応する追跡領域情報（Tracking Area Identity、TAI）、UEの現在位置領域に対応するサービング基地局情報などが含まれる。UEが現在位置領域に移動するときに使用される対応するTAIは、UEのターゲットTAIである。UEが現在位置領域に移動した後に使用される対応するサービング基地局情報は、UEのターゲット基地局情報である。ターゲット基地局情報は、ターゲット基地局識別情報（Identity、ID）、ターゲットセル識別子（Cell Identity、CI）などであり得る。UEの現在位置領域は、UEのターゲット位置領域、すなわち、UEがソースサービング基地局のサービス範囲から移動した後のUEの位置領域とも呼ばれることを理解されたい。同様に、UEの現在位置情報はUEのターゲット位置情報とも呼ばれる。
【０５０９】
UEの移動プロセスは、前述の3つの適用シナリオにおいて行われる手順、具体的には、適用シナリオ（1）におけるサービス切替え手順、適用シナリオ（2）における位置更新手順、および適用シナリオ（3）におけるサービス要求手順を含むことを理解されたい。
【０５１０】
UEのターゲット基地局は、UEが現在位置領域に移動した後、UEにアクセスサービスを提供する基地局であることを理解されたい。
【０５１１】
データ転送トンネルは、UEに奉仕するソースU−GWと転送U−GWとの間のユーザプレーンベアラコンテキスト、および転送U−GWとUEのターゲット基地局との間のユーザプレーンベアラコンテキストを作成することによって実装されることを理解されたい。ユーザプレーンベアラコンテキストは、ソースU−GWのルーティング情報、転送U−GWのルーティング情報、およびターゲット基地局のルーティング情報を含む、ユーザプレーンデータを転送するために必要なルーティング情報を含む。具体的には、ルーティング情報は、アドレス（通常、インターネットプロトコル（Internet Protocol、IP）アドレス）、およびトンネル終点情報（通常、GPRSトンネリングプロトコル（GPRS Tunnelling Protocol、GTP）が使用される場合、トンネル終点情報はGTPトンネル終点識別子（Tunnel Endpoint Identifier、TEID）である）を含む場合がある。
【０５１２】
転送U−GWは、プロセッサ1602によって選択された少なくとも1つの転送U−GWであることを理解されたい。プロセッサ1602が、UEのために、UEに奉仕するソースU−GWと転送U−GWとの間のデータ転送トンネル、および転送U−GWとUEのターゲット基地局との間のデータ転送トンネルを確立することは、プロセッサ1602が、ソースC−GWからターゲット基地局までの2つのネットワーク要素間にデータ転送トンネルを確立するために、ソースU−GW、少なくとも1つの転送U−GW、およびターゲット基地局の間に通信経路を確立することである。
【０５１３】
本発明の図2から図4の任意の実施形態で開示されたC−GWによって実施されるか、または図5および図6の任意の実施形態で開示されたターゲットC−GWによって実施される前述の方法は、プロセッサ1602に適用される場合があるか、またはプロセッサ1602によって実装される場合がある。プロセッサ1602は、集積回路チップの場合があり、信号処理能力を有する。一実装プロセスでは、前述の方法のステップは、プロセッサ1602内のハードウェ
アの集積論理回路、またはソフトウェアの形態の命令によって完了する場合がある。プロセッサ1602は、中央処理装置（Central Processing Unit、略してCPU）、ネットワークプロセッサ（Network Processor、略してNP）などを含む汎用プロセッサであり得るか、あるいは、デジタル信号プロセッサ（DSP）、特定用途向け集積回路（ASIC）、フィールドプログラマブルゲートアレイ（FPGA）、別のプログラマブル論理デバイス、個別ゲートもしくはトランジスタ論理デバイス、または個別ハードウェア構成要素であり得る。プロセッサ1602は、本発明の実施形態で開示された方法、ステップ、および論理ブロック図を実装または実施することができる。汎用プロセッサはマイクロプロセッサであり得るか、または、プロセッサは任意の従来のプロセッサなどであり得る。本発明の実施形態を参照して開示された方法のステップは、ハードウェア復号プロセッサを使用することによって直接実施され完了する場合があるか、または復号プロセッサ内のハードウェアモジュールとソフトウェアモジュールを組み合わせることによって実施され完了する場合がある。ソフトウェアモジュールは、ランダムアクセスメモリ、フラッシュメモリ、読取り専用メモリ、プログラマブル読取り専用メモリ、電気的消去可能プログラマブルメモリ、またはレジスタなどの、当分野の成熟した記憶媒体内に位置する場合がある。記憶媒体はメモリ1603内に位置する。プロセッサ1602は、メモリ1603内の情報を読み取り、プロセッサ1602のハードウェアと組み合わされて前述の方法のステップを完了する。
【０５１４】
本発明のこの実施形態では、制御プレーンゲートウェイ1600は、UEの移動プロセスにおけるサービス継続性を保証し、ユーザサービス体験を改善するために、移動後の現在位置情報に従ってUE用の適切な転送U−GWを決定し、転送U−GWとソースU−GWとの間のデータ転送トンネル、および転送U−GWとUEのターゲット基地局との間のデータ転送トンネルを確立する。
【０５１５】
場合によっては、一実施形態では、少なくとも1つの転送U−GWは第1のU−GWであり、制御プレーンゲートウェイは、UEが現在位置領域に移動した後に使用されるサービング制御プレーンゲートウェイであり、制御プレーンゲートウェイは、UEが現在位置領域に移動する前に使用されたサービング制御プレーンゲートウェイと同じであり、モビリティ管理ネットワーク要素は、UEが現在位置領域に移動した後に使用されるサービングモビリティ管理ネットワーク要素であり、モビリティ管理ネットワーク要素は、UEが現在位置領域に移動する前に使用されたサービングモビリティ管理ネットワーク要素と同じかまたは異なる。
【０５１６】
プロセッサ1602は、受信機1604を使用することにより、モビリティ管理ネットワーク要素によって送信された第1の要求を受信するようにさらに構成される。第1の要求はUEのターゲット基地局のルーティング情報を搬送する。
【０５１７】
送信機1601を使用することにより、UEのために、UEに奉仕するソースU−GWと転送U−GWとの間のデータ転送トンネル、および／または転送U−GWとUEのターゲット基地局との間のデータ転送トンネルを確立するプロセスでは、プロセッサ1602は、具体的に、
送信機1601を使用することにより、第1のU−GWに第2の要求を送信し、送信機1601を使用することにより、ソースU−GWに第3の要求を送信するように構成され、第2の要求は、第1のU−GWとターゲット基地局との間のデータ転送トンネル、および第1のU−GWとソースU−GWとの間のデータ転送トンネルの確立を許可するように、第1のU−GWに要求するために使用され、第2の要求は、ターゲット基地局のルーティング情報およびソースU−GWのルーティング情報を搬送し、第3の要求は、ソースU−GWと第1のU−GWとの間のデータ転送トンネルを確立するように、ソースU−GWに要求するために使用され、第3の要求は、第1のU−GWのルーティング情報を搬送する。
【０５１８】
この実施形態では、制御プレーンゲートウェイ1600は、UEが現在位置領域に移動する前
に使用されたサービングC−GWと同じであり、すなわち、サービングC−GWはUEの移動プロセスにおいて変わらないことを理解されたい。この実施形態は、サービングモビリティ管理ネットワーク要素がUEの移動プロセスにおいて変わるシナリオ、またはサービングモビリティ管理ネットワーク要素がUEの移動プロセスにおいて変わらないシナリオに適用可能であり、すなわち、モビリティ管理ネットワーク要素は、UEが現在位置領域に移動する前に使用されたサービングモビリティ管理ネットワーク要素と同じかまたは異なる場合があることを理解されたい。
【０５１９】
当然、制御プレーンゲートウェイ1600は、第2の要求に従って第1のU−GWによって送信された第2の応答、および第3の要求に従ってソースU−GWによって送信された第3の応答をさらに受信することを理解されたい。第2の応答は、第1のU−GWが、第1のU−GWとターゲット基地局との間のデータ転送トンネル、および第1のU−GWとソースU−GWとの間のデータ転送トンネルの確立を許可したことを確認応答するために使用される。場合によっては、第2の応答は、IPアドレスおよびTEID情報などの第1のU−GWのルーティング情報を搬送することができ、第3の応答は、ソースU−GWが、ソースU−GWと第1のU−GWとの間のデータ転送トンネルの確立を許可したことを確認応答するために使用される。第2の応答および第3の応答を受信した後、制御プレーンゲートウェイ1600は、モビリティ管理ネットワーク要素に第1の要求の第1の応答を送信することができる。
【０５２０】
この実施形態における第1の要求、第2の要求、または第3の要求は、間接データ転送トンネル作成要求（Create Indirect Data Forwarding Tunnel Request）などの既存のメッセージ、または新しく定義されたメッセージを使用することによって送信される場合があることに留意されたい。このことは本発明では限定されない。さらに、この実施形態における第1の応答、第2の応答、または第3の応答は、間接データ転送トンネル作成応答（Create Indirect Data Forwarding Tunnel Response）などの既存のメッセージ、または新しく定義されたメッセージを使用することによって送信される場合がある。このことは本発明では限定されない。
【０５２１】
場合によっては、別の実施形態では、少なくとも1つの転送U−GWは第1のU−GWおよび第2のU−GWを含み、制御プレーンゲートウェイは、UEが現在位置領域に移動した後に使用されるサービング制御プレーンゲートウェイであり、制御プレーンゲートウェイは、UEが現在位置領域に移動する前に使用されたサービング制御プレーンゲートウェイと同じであり、モビリティ管理ネットワーク要素は、UEが現在位置領域に移動した後に使用されるサービングモビリティ管理ネットワーク要素であり、モビリティ管理ネットワーク要素は、UEが現在位置領域に移動する前に使用されたサービングモビリティ管理ネットワーク要素と同じかまたは異なる。
【０５２２】
プロセッサ1602は、受信機1604を使用することにより、モビリティ管理ネットワーク要素によって送信された第1の要求を受信するようにさらに構成される。第1の要求はUEのターゲット基地局のルーティング情報を搬送する。
【０５２３】
送信機1601を使用することにより、UEのために、UEに奉仕するソースU−GWと転送U−GWとの間のデータ転送トンネル、および転送U−GWとUEのターゲット基地局との間のデータ転送トンネルを確立するプロセスでは、プロセッサ1602は、具体的に、
送信機1601を使用することにより、第2のU−GWに第2の要求を送信し、送信機1601を使用することにより、第3のU−GWに第3の要求を送信し、送信機1601を使用することにより、ソースU−GWに第4の要求を送信するように構成され、第2の要求は、第2のU−GWとターゲット基地局との間のデータ転送トンネル、および第2のU−GWと第3のU−GWとの間のデータ転送トンネルを確立するように、第2のU−GWに要求するために使用され、第2の要求は、ターゲット基地局のルーティング情報および第3のU−GWのルーティング情報を搬送し、
第3の要求は、第3のU−GWと第2のU−GWとの間のデータ転送トンネル、および第3のU−GWとソースU−GWとの間のデータ転送トンネルを確立するように、第3のU−GWに要求するために使用され、第3の要求は、第2のU−GWのルーティング情報およびソースU−GWのルーティング情報を搬送し、第4の要求は、ソースU−GWと第3のU−GWとの間のデータ転送トンネルを確立するように、ソースU−GWに要求するために使用され、第4の要求は、第3のU−GWのルーティング情報を搬送する。
【０５２４】
この実施形態では、制御プレーンゲートウェイ1600は、UEが現在位置領域に移動する前に使用されたサービングC−GWと同じであり、すなわち、サービングC−GWはUEの移動プロセスにおいて変わらないことを理解されたい。この実施形態は、サービングモビリティ管理ネットワーク要素がUEの移動プロセスにおいて変わるシナリオ、またはサービングモビリティ管理ネットワーク要素がUEの移動プロセスにおいて変わらないシナリオに適用可能であり、すなわち、モビリティ管理ネットワーク要素は、UEが現在位置領域に移動する前に使用されたサービングモビリティ管理ネットワーク要素と同じかまたは異なる場合があることを理解されたい。
【０５２５】
同様に、制御プレーンゲートウェイ1600は、第2の要求に従って第2のU−GWによって送信された第2の応答、第3の要求に従って第3のU−GWによって送信された第3の応答、および第4の要求に従ってソースU−GWによって送信された第4の応答をさらに受信する。第2の応答は、第2のU−GWが、第2のU−GWとターゲット基地局との間のデータ転送トンネル、および第2のU−GWと第3のU−GWとの間のデータ転送トンネルの確立を許可したことを確認応答するために使用される。場合によっては、第2の応答は、IPアドレスおよびTEID情報などの、第2のU−GWのルーティング情報を搬送することができる。第3の応答は、第3のU−GWが、第3のU−GWと第2のU−GWとの間のデータ転送トンネル、および第3のU−GWとソースU−GWとの間のデータ転送トンネルの確立を許可したことを確認応答するために使用される。場合によっては、第3の応答は、IPアドレスおよびTEID情報などの、第3のU−GWのルーティング情報を搬送することができる。第4の応答は、ソースU−GWが、ソースU−GWと第3のU−GWとの間のデータ転送トンネルの確立を許可したことを確認応答するために使用される。第2の応答、第3の応答、および第4の応答を受信した後、制御プレーンゲートウェイ1600は、モビリティ管理ネットワーク要素に第1の要求の第1の応答を送信することができる。
【０５２６】
この実施形態における第1の要求、第2の要求、第3の要求、または第4の要求は、間接データ転送トンネル作成要求（Create Indirect Data Forwarding Tunnel Request）などの既存のメッセージ、または新しく定義されたメッセージを使用することによって送信される場合があることに留意されたい。このことは本発明では限定されない。さらに、この実施形態における第1の応答、第2の応答、第3の応答、または第4の応答は、間接データ転送トンネル作成応答（Create Indirect Data Forwarding Tunnel Response）などの既存のメッセージ、または新しく定義されたメッセージを使用することによって送信される場合がある。このことは本発明では限定されない。
【０５２７】
場合によっては、さらに別の実施形態では、少なくとも1つの転送U−GWは第1のU−GWであり、制御プレーンゲートウェイは、UEが現在位置領域に移動した後に使用されるサービング制御プレーンゲートウェイであり、制御プレーンゲートウェイは、UEが現在位置領域に移動する前に使用されたサービング制御プレーンゲートウェイとは異なり、モビリティ管理ネットワーク要素は、UEが現在位置領域に移動した後に使用されるサービングモビリティ管理ネットワーク要素であり、モビリティ管理ネットワーク要素は、UEが現在位置領域に移動する前に使用されたサービングモビリティ管理ネットワーク要素と同じかまたは異なる。
【０５２８】
プロセッサ1602は、受信機1604を使用することにより、UEのソースU−GWのルーティング情報を受信するようにさらに構成される。
【０５２９】
プロセッサ1602は、受信機1604を使用することにより、モビリティ管理ネットワーク要素によって送信された第1の要求を受信するようにさらに構成される。第1の要求はUEのターゲット基地局のルーティング情報を搬送する。
【０５３０】
送信機1601を使用することにより、UEのために、UEに奉仕するソースU−GWと転送U−GWとの間のデータ転送トンネル、および転送U−GWとUEのターゲット基地局との間のデータ転送トンネルを確立するプロセスでは、プロセッサ1602は、具体的に、
送信機1601を使用することにより、第1のU−GWに第2の要求を送信するように構成され、第2の要求は、第1のU−GWとターゲット基地局との間のデータ転送トンネル、および第1のU−GWとソースU−GWとの間のデータ転送トンネルを確立するように、第1のU−GWに要求するために使用され、第2の要求は、ターゲット基地局のルーティング情報およびソースU−GWのルーティング情報を搬送する。
【０５３１】
この実施形態では、制御プレーンゲートウェイ1600は、UEが現在位置領域に移動する前に使用されたサービングC−GWとは異なり、すなわち、サービングC−GWはUEの移動プロセスにおいて変わることを理解されたい。この実施形態は、サービングモビリティ管理ネットワーク要素がUEの移動プロセスにおいて変わるシナリオ、またはサービングモビリティ管理ネットワーク要素がUEの移動プロセスにおいて変わらないシナリオに適用可能であり、すなわち、モビリティ管理ネットワーク要素は、UEが現在位置領域に移動する前に使用されたサービングモビリティ管理ネットワーク要素と同じかまたは異なる場合があることを理解されたい。
【０５３２】
同様に、制御プレーンゲートウェイ1600は、第2の要求に従って第1のU−GWによって送信された第2の応答、および第3の要求に従ってソースU−GWによって送信された第3の応答をさらに受信する。第2の応答は、第1のU−GWが、第1のU−GWとターゲット基地局との間のデータ転送トンネル、および第1のU−GWとソースU−GWとの間のデータ転送トンネルの確立を許可したことを確認応答するために使用される。場合によっては、第2の応答は、IPアドレスおよびTEID情報などの第1のU−GWのルーティング情報を搬送することができ、第3の応答は、ソースU−GWが、ソースU−GWと第1のU−GWとの間のデータ転送トンネルの確立を許可したことを確認応答するために使用される。第2の応答および第3の応答を受信した後、制御プレーンゲートウェイ1600は、モビリティ管理ネットワーク要素に第1の要求の第1の応答を送信することができる。
【０５３３】
当然、この実施形態におけるUEのサービングC−GWはUEの移動プロセスにおいて変わるので、制御プレーンゲートウェイ1600は、ターゲットC−GW、すなわち、UEが現在位置領域に移動した後に使用されるサービングC−GWであることを理解されたい。さらに、プロセッサ1602は、ソースU−GWにデータ転送トンネル確立要求を送信し、ソースU−GWに第1のU−GWのルーティング情報を送信するように、モビリティ管理ネットワーク要素を介してソースC−GWにさらに示すべきである。ソースC−GWは、UEが現在位置領域に移動する前に使用されたサービングC−GWであり、ソースU−GWは、UEが現在位置領域に移動する前に使用されたサービングU−GWである。
【０５３４】
この実施形態における第1の要求または第2の要求は、間接データ転送トンネル作成要求（Create Indirect Data Forwarding Tunnel Request）などの既存のメッセージ、または新しく定義されたメッセージを使用することによって送信される場合があることに留意されたい。このことは本発明では限定されない。さらに、この実施形態における第1の応答または第2の応答は、間接データ転送トンネル作成応答（Create Indirect Data Forwardi
ng Tunnel Response）などの既存のメッセージ、または新しく定義されたメッセージを使用することによって送信される場合がある。このことは本発明では限定されない。
【０５３５】
場合によっては、さらに別の実施形態では、少なくとも1つの転送U−GWは第1のU−GWおよび第2のU−GWを含み、制御プレーンゲートウェイは、UEが現在位置領域に移動した後に使用されるサービング制御プレーンゲートウェイであり、制御プレーンゲートウェイは、UEが現在位置領域に移動する前に使用されたサービング制御プレーンゲートウェイとは異なり、モビリティ管理ネットワーク要素は、UEが現在位置領域に移動した後に使用されるサービングモビリティ管理ネットワーク要素であり、モビリティ管理ネットワーク要素は、UEが現在位置領域に移動する前に使用されたサービングモビリティ管理ネットワーク要素と同じかまたは異なる。
【０５３６】
プロセッサ1602は、受信機1604を使用することにより、UEのソースU−GWのルーティング情報を受信するようにさらに構成される。
【０５３７】
プロセッサ1602は、受信機1604を使用することにより、モビリティ管理ネットワーク要素によって送信された第1の要求を受信するようにさらに構成される。第1の要求はUEのターゲット基地局のルーティング情報を搬送する。
【０５３８】
送信機1601を使用することにより、UEのために、UEに奉仕するソースU−GWと転送U−GWとの間のデータ転送トンネル、および転送U−GWとUEのターゲット基地局との間のデータ転送トンネルを確立するプロセスでは、プロセッサ1602は、具体的に、
送信機1601を使用することにより、第2のU−GWに第2の要求を送信し、送信機1601を使用することにより、第3のU−GWに第3の要求を送信するように構成され、第2の要求は、第2のU−GWとターゲット基地局との間のデータ転送トンネル、および第2のU−GWと第3のU−GWとの間のデータ転送トンネルを確立するように、第2のU−GWに要求するために使用され、第2の要求は、ターゲット基地局のルーティング情報および第3のU−GWのルーティング情報を搬送し、第3の要求は、第3のU−GWと第2のU−GWとの間のデータ転送トンネル、および第3のU−GWとソースU−GWとの間のデータ転送トンネルを確立するように、第3のU−GWに要求するために使用され、第3の要求は、第2のU−GWのルーティング情報およびソースU−GWのルーティング情報を搬送する。
【０５３９】
この実施形態では、制御プレーンゲートウェイ1600は、UEが現在位置領域に移動する前に使用されたサービングC−GWとは異なり、すなわち、サービングC−GWはUEの移動プロセスにおいて変わることを理解されたい。この実施形態は、サービングモビリティ管理ネットワーク要素がUEの移動プロセスにおいて変わるシナリオ、またはサービングモビリティ管理ネットワーク要素がUEの移動プロセスにおいて変わらないシナリオに適用可能であり、すなわち、モビリティ管理ネットワーク要素は、UEが現在位置領域に移動する前に使用されたサービングモビリティ管理ネットワーク要素と同じかまたは異なる場合があることを理解されたい。
【０５４０】
同様に、制御プレーンゲートウェイ1600は、第2の要求に従って第2のU−GWによって送信された第2の応答、第3の要求に従って第3のU−GWによって送信された第3の応答、および第4の要求に従ってソースU−GWによって送信された第4の応答をさらに受信する。第2の応答は、第2のU−GWが、第2のU−GWとターゲット基地局との間のデータ転送トンネル、および第2のU−GWと第3のU−GWとの間のデータ転送トンネルの確立を許可したことを確認応答するために使用される。場合によっては、第2の応答は、IPアドレスおよびTEID情報などの、第2のU−GWのルーティング情報を搬送することができる。第3の応答は、第3のU−GWが、第3のU−GWと第2のU−GWとの間のデータ転送トンネル、および第3のU−GWとソースU−GWとの間のデータ転送トンネルの確立を許可したことを確認応答するために使用される
。場合によっては、第3の応答は、IPアドレスおよびTEID情報などの、第3のU−GWのルーティング情報を搬送することができる。第4の応答は、ソースU−GWが、ソースU−GWと第3のU−GWとの間のデータ転送トンネルの確立を許可したことを確認応答するために使用される。第2の応答、第3の応答、および第4の応答を受信した後、制御プレーンゲートウェイ1600は、モビリティ管理ネットワーク要素に第1の要求の第1の応答を送信することができる。
【０５４１】
当然、この実施形態におけるUEのサービングC−GWはUEの移動プロセスにおいて変わるので、この実施形態における制御プレーンゲートウェイ1600は、ターゲットC−GW、すなわち、UEが現在位置領域に移動した後に使用されるサービングC−GWであることを理解されたい。さらに、プロセッサ1602は、ソースU−GWにデータ転送トンネル確立要求を送信し、ソースU−GWに第3のU−GWのルーティング情報を送信するように、モビリティ管理ネットワーク要素を介してソースC−GWにさらに示すべきである。ソースC−GWは、UEが現在位置領域に移動する前に使用されたサービングC−GWであり、ソースU−GWは、UEが現在位置領域に移動する前に使用されたサービングU−GWである。
【０５４２】
この実施形態における第1の要求、第2の要求、または第3の要求は、間接データ転送トンネル作成要求（Create Indirect Data Forwarding Tunnel Request）などの既存のメッセージ、または新しく定義されたメッセージを使用することによって送信される場合があることに留意されたい。このことは本発明では限定されない。さらに、この実施形態における第1の応答、第2の応答、または第3の応答は、間接データ転送トンネル作成応答（Create Indirect Data Forwarding Tunnel Response）などの既存のメッセージ、または新しく定義されたメッセージを使用することによって送信される場合がある。このことは本発明では限定されない。
【０５４３】
場合によっては、図16の前述の4つの具体的な実施形態では、少なくとも1つの転送U−GWが第1のU−GWであるとき、プロセッサ1602は、送信機1601を使用することにより、モビリティ管理ネットワーク要素を介してターゲット基地局にターゲットU−GWのルーティング情報を送信するようにさらに構成される。
【０５４４】
場合によっては、図16の前述の4つの具体的な実施形態では、少なくとも1つの転送U−GWが第1のU−GWであるとき、プロセッサ1602は、モビリティ管理ネットワーク要素を介してターゲット基地局に第1のU−GWのルーティング情報を送信するようにさらに構成される。
【０５４５】
場合によっては、図16の前述の4つの具体的な実施形態では、少なくとも1つの転送U−GWが第2のU−GWおよび第3のU−GWであるとき、プロセッサ1602は、モビリティ管理ネットワーク要素を介してターゲット基地局に第2のU−GWのルーティング情報を送信するようにさらに構成される。
【０５４６】
場合によっては、図16の前述の4つの具体的な実施形態では、プロセッサ1602は、送信機1601を使用することにより、ターゲットU−GWにセッション作成要求を送信するようにさらに構成され、セッション作成要求は、UE用のターゲットU−GW上に、ユーザプレーンデータ伝送用のベアラコンテキストを作成するために使用され、各々の作成されたベアラコンテキストはターゲットU−GWのルーティング情報を含み、ターゲットU−GWはUEの現在位置領域に対応するサービングU−GWである。ターゲットU−GWは、一般に、現在位置領域内のUEに最適なデータ伝送経路を提供するサービングU−GWであることを理解されたい。さらに、プロセッサ1602は、モビリティ管理ネットワーク要素を介してターゲット基地局にターゲットU−GWのルーティング情報を送信するようにさらに構成される。
【０５４７】
場合によっては、図16の前述の4つの具体的な実施形態では、少なくとも1つの転送U−GWが第1のU−GWであるとき、第1のU−GWはさらに、UEの現在位置情報に従ってUE用に制御プレーンゲートウェイによって選択されたサービングU−GWである。すなわち、第1のU−GWはターゲットU−GWである。この場合、ターゲットD−GWはソースD−GWと直接通信することができ、すなわち、ターゲットU−GWも転送U−GWの役割を果たす。ターゲットU−GWがソースD−GWと直接通信することができないとき、C−GWによって選択された転送U−GWはターゲットU−GWとは異なることを理解されたい。
【０５４８】
制御プレーンゲートウェイ1600はさらに、図2に示された方法を実施することができ、図2から図4、図7、および図8に示された実施形態におけるC−GWの機能、ならびに図5または図6に示された実施形態におけるターゲットC−GWの機能を実装する。詳細は本発明のこの実施形態では再び記載されない。
【０５４９】
図17は、本発明の一実施形態による、モビリティ管理ネットワーク要素1700の概略構造図である。モビリティ管理ネットワーク要素1700は、プロセッサ1702と、メモリ1703と、送信機1701と、受信機1704とを含む場合がある。
【０５５０】
受信機1704、送信機1701、プロセッサ1702、およびメモリ1703は、バス1706を使用することによって互いに接続される。バス1706は、ISAバス、PCIバス、EISAバスなどであり得る。バスは、アドレスバス、データバス、制御バスなどに分類される場合がある。説明を容易にするために、図17では、バス1706はただ1つの両矢印を使用することによって示される。しかしながら、それは、ただ1つのバスまたはただ1つのタイプのバスしか存在しないことを示していない。特定の用途では、送信機1701および受信機1704はアンテナ1705に結合される場合がある。
【０５５１】
メモリ1703はプログラムを記憶するように構成される。具体的には、プログラムはプログラムコードを含む場合があり、プログラムコードはコンピュータ動作命令を含む。メモリ1703は、読取り専用メモリおよびランダムアクセスメモリを含む場合があり、プロセッサ1702に命令およびデータを供給する。メモリ1703は、高速RAMメモリを含む場合があり、不揮発性メモリ（non−volatile memory）、たとえば、少なくとも1つの磁気ディスクメモリをさらに含む場合がある。
【０５５２】
プロセッサ1702は、メモリ1703に記憶されたプログラムを実行し、具体的には、以下の動作：
受信機1704を使用することにより、UEに奉仕するソースモビリティ管理ネットワーク要素によって送信された転送再配置要求を受信することであって、転送再配置要求がUEの現在位置情報を搬送する、受信することと、
UEの現在位置情報に従ってUEのターゲットC−GWを選択することと、
送信機1701を使用することにより、C−GWにUEの現在位置情報を送信することであって、その結果、C−GWが、UEの現在位置情報に従ってUEの転送U−GWを決定する、送信することと、
送信機1701を使用することにより、ターゲット制御プレーンゲートウェイにデータ転送トンネル確立要求を送信することであって、データ転送トンネル確立要求が、UEのために、UEに奉仕する転送U−GWとソースU−GWとの間のデータ転送トンネル、および転送U−GWとUEに奉仕するターゲット基地局との間のデータ転送トンネルを確立するように、ターゲットC−GWに要求するために使用される、送信することと
を実施するように構成される。
【０５５３】
本発明の図9に示された実施形態で開示されたモビリティ管理ネットワーク要素によって実施されるか、または図5もしくは図6に示された実施形態で開示されたターゲットMME
によって実施される前述の方法は、プロセッサ1702に適用される場合があるか、またはプロセッサ1702によって実装される場合がある。プロセッサ1702は、集積回路チップの場合があり、信号処理能力を有する。一実装プロセスでは、前述の方法のステップは、プロセッサ1702内のハードウェアの集積論理回路、またはソフトウェアの形態の命令によって完了する場合がある。プロセッサ1702は、中央処理装置（Central Processing Unit、略してCPU）、ネットワークプロセッサ（Network Processor、略してNP）などを含む汎用プロセッサであり得るか、あるいは、デジタル信号プロセッサ（DSP）、特定用途向け集積回路（ASIC）、フィールドプログラマブルゲートアレイ（FPGA）、別のプログラマブル論理デバイス、個別ゲートもしくはトランジスタ論理デバイス、または個別ハードウェア構成要素であり得る。プロセッサ1702は、本発明の実施形態で開示された方法、ステップ、および論理ブロック図を実装または実施することができる。汎用プロセッサはマイクロプロセッサであり得るか、または、プロセッサは任意の従来のプロセッサなどであり得る。本発明の実施形態を参照して開示された方法のステップは、ハードウェア復号プロセッサを使用することによって直接実施され完了する場合があるか、または復号プロセッサ内のハードウェアモジュールとソフトウェアモジュールを組み合わせることによって実施され完了する場合がある。ソフトウェアモジュールは、ランダムアクセスメモリ、フラッシュメモリ、読取り専用メモリ、プログラマブル読取り専用メモリ、電気的消去可能プログラマブルメモリ、またはレジスタなどの、当分野の成熟した記憶媒体内に位置する場合がある。記憶媒体はメモリ1703内に位置する。プロセッサ1702は、メモリ1703内の情報を読み取り、プロセッサ1702のハードウェアと組み合わされて前述の方法のステップを完了する。
【０５５４】
本発明のこの実施形態では、UEがソースモビリティ管理ネットワーク要素のサービス範囲から移動した後、モビリティ管理ネットワーク要素1700は、UEの移動プロセスにおけるサービス継続性を保証し、ユーザサービス体験を改善するために、UEの現在位置情報に従ってUEのターゲットC−GWを決定し、さらに、ターゲットC−GWを使用することにより、UEのために、ソースU−GWとUEのターゲット基地局との間のデータ転送トンネルを確立する。
【０５５５】
場合によっては、ターゲット制御プレーンゲートウェイは、UEが現在位置領域に移動する前に使用されたサービング制御プレーンゲートウェイとは異なる（すなわち、サービングC−GWはUEの移動プロセスにおいて変わる）。プロセッサ1702は、送信機1701を使用することにより、ソースモビリティ管理ネットワーク要素に変更通知メッセージを送信するようにさらに構成される。変更通知メッセージは、UEのサービング制御プレーンゲートウェイがターゲット制御プレーンゲートウェイに変わったことを示すために使用される。
【０５５６】
さらに、プロセッサ1702は、受信機1704を使用することにより、変更通知メッセージに従ってソースモビリティ管理ネットワーク要素によって送信された確認応答メッセージを受信するようにさらに構成される。確認応答メッセージはUEのソースU−GWのルーティング情報を搬送する。
【０５５７】
モビリティ管理ネットワーク要素1700はさらに、図9の方法を実施し、図5または図6に示された実施形態におけるターゲットMMEの機能を実装することができる。詳細は本発明のこの実施形態では再び記載されない。
【０５５８】
図18は、本発明の一実施形態による、制御プレーンゲートウェイ1800の概略構造図である。制御プレーンゲートウェイ1800は、プロセッサ1802と、メモリ1803と、送信機1801と、受信機1804とを含む場合がある。
【０５５９】
受信機1804、送信機1801、プロセッサ1802、およびメモリ1803は、バス1806を使用することによって互いに接続される。バス1806は、ISAバス、PCIバス、EISAバスなどであり得
る。バスは、アドレスバス、データバス、制御バスなどに分類される場合がある。説明を容易にするために、図18では、バス1806はただ1つの両矢印を使用することによって示される。しかしながら、それは、ただ1つのバスまたはただ1つのタイプのバスしか存在しないことを示していない。特定の用途では、送信機1801および受信機1804はアンテナ1805に結合される場合がある。
【０５６０】
メモリ1803はプログラムを記憶するように構成される。具体的には、プログラムはプログラムコードを含む場合があり、プログラムコードはコンピュータ動作命令を含む。メモリ1803は、読取り専用メモリおよびランダムアクセスメモリを含む場合があり、プロセッサ1802に命令およびデータを供給する。メモリ1803は、高速RAMメモリを含む場合があり、不揮発性メモリ（non−volatile memory）、たとえば、少なくとも1つの磁気ディスクメモリをさらに含む場合がある。
【０５６１】
プロセッサ1802は、メモリ1803に記憶されたプログラムを実行し、具体的には、以下の動作：
受信機1804を使用することにより、モビリティ管理ネットワーク要素によって送信されたUEの現在位置情報を受信することと、
UEの現在位置情報に従ってUE用のターゲットU−GWを選択することと、
送信機1801を使用することにより、モビリティ管理ネットワーク要素に要求メッセージを送信することであって、要求メッセージが、第1のベアラコンテキストを解放し、第2のベアラコンテキストに対するセットアップ要求を送信することをUEに示すようにモビリティ管理ネットワーク要素に要求するために使用され、第1のベアラコンテキストがUEのソースU−GW上に確立されたUEのベアラコンテキストであり、第2のベアラコンテキストが第1のベアラコンテキストに従ってターゲットU−GW上にUEによって再確立されるベアラコンテキストである、送信することと
を実施するように構成される。
【０５６２】
本発明のこの実施形態では、位置更新通知メッセージは、UEの現在位置領域が変わったことをC−GWに通知するために使用されることを理解されたい。位置更新通知のために、セッション作成要求（Create Session Request）メッセージ、ベアラ修正要求（Modify Bearer Request）メッセージ、またはアクセスベアラ修正要求（Modify Access Bearers Request）メッセージなどの既存のメッセージが再利用される場合があるか、または新しいメッセージが定義される場合がある。このことは本発明では限定されない。
【０５６３】
本発明の図10および図11の任意の実施形態で開示されたC−GWによって実施される前述の方法は、プロセッサ1802に適用される場合があるか、またはプロセッサ1802によって実装される場合がある。プロセッサ1802は、集積回路チップの場合があり、信号処理能力を有する。一実装プロセスでは、前述の方法のステップは、プロセッサ1802内のハードウェアの集積論理回路、またはソフトウェアの形態の命令によって完了する場合がある。プロセッサ1802は、中央処理装置（Central Processing Unit、略してCPU）、ネットワークプロセッサ（Network Processor、略してNP）などを含む汎用プロセッサであり得るか、あるいは、デジタル信号プロセッサ（DSP）、特定用途向け集積回路（ASIC）、フィールドプログラマブルゲートアレイ（FPGA）、別のプログラマブル論理デバイス、個別ゲートもしくはトランジスタ論理デバイス、または個別ハードウェア構成要素であり得る。プロセッサ1802は、本発明の実施形態で開示された方法、ステップ、および論理ブロック図を実装または実施することができる。汎用プロセッサはマイクロプロセッサであり得るか、または、プロセッサは任意の従来のプロセッサなどであり得る。本発明の実施形態を参照して開示された方法のステップは、ハードウェア復号プロセッサを使用することによって直接実施され完了する場合があるか、または復号プロセッサ内のハードウェアモジュールとソフトウェアモジュールを組み合わせることによって実施され完了する場合がある。ソフ
トウェアモジュールは、ランダムアクセスメモリ、フラッシュメモリ、読取り専用メモリ、プログラマブル読取り専用メモリ、電気的消去可能プログラマブルメモリ、またはレジスタなどの、当分野の成熟した記憶媒体内に位置する場合がある。記憶媒体はメモリ1803内に位置する。プロセッサ1802は、メモリ1803内の情報を読み取り、プロセッサ1802のハードウェアと組み合わされて前述の方法のステップを完了する。
【０５６４】
本発明のこの実施形態では、UEがアイドルモードから接続モードに変わり、ユーザプレーンデータを送信する前に、制御プレーンゲートウェイ1800は、UEの現在位置情報に従って、サービングU−GWが変わる必要があるかどうかを判定し、ベアラコンテキストアクティブ化解除手順をトリガし、ベアラコンテキストアクティブ化解除手順中に再アクティブ化要求指示を追加して、ターゲットU−GW上にベアラリソースを再作成し、後続のユーザプレーンデータ伝送のサービス継続性を保証し、ユーザサービス体験を保証するために、ベアラコンテキスト再確立手順を直ちに開始するようにUEに要求する。
【０５６５】
場合によっては、一実施形態では、要求メッセージはベアラ削除要求メッセージであり、ベアラ削除要求メッセージは再アクティブ化要求指示を搬送し、再アクティブ化要求指示は、モビリティ管理ネットワーク要素を介して、第1のベアラコンテキストが削除された後、第2のベアラコンテキストに対するセットアップ要求を開始するようにUEに示すために使用される。
【０５６６】
MMEとUEの両方は、ソースU−GW上にUEによって作成された第1のベアラコンテキストを記録することを理解されたい。ベアラ削除要求メッセージを受信した後、MMEはMME上の第1のベアラコンテキストを削除し、UE上の第1のベアラコンテキストを削除するようにUEに示す。ベアラ削除要求メッセージが再アクティブ化要求指示を搬送するとき、MMEは、UEに再アクティブ化要求指示をさらに送信して、第1のベアラコンテキストが削除された後、第1のベアラコンテキストの内容に従ってベアラコンテキストに対するセットアップ要求を再送信し、第2のベアラコンテキストを作成することを要求するように、UEに示す。第2のベアラコンテキストは、第1のベアラコンテキストに基づいてターゲットU−GW上に作成されるベアラコンテキストである。
【０５６７】
制御プレーンゲートウェイ1800はさらに、図10の方法を実施し、図11に示された実施形態におけるC−GWの機能を実装することができる。詳細は本発明のこの実施形態では再び記載されない。
【０５６８】
前述のプロセスのシーケンス番号は、本発明の様々な実施形態における実行シーケンスを意味しないことを理解されたい。プロセスの実行シーケンスは、プロセスの機能および内部ロジックに従って決定されるべきであり、本発明の実施形態の実装プロセスに対するいかなる制限とも解釈されるべきではない。
【０５６９】
本明細書で開示された実施形態に記載された例と組み合わせて、ユニットおよびアルゴリズムステップは、電子ハードウェア、またはコンピュータソフトウェアと電子ハードウェアの組合せによって実装される場合があることを、当業者なら認識されよう。機能がハードウェアによって実施されるか、またはソフトウェアによって実施されるかは、技術的解決策の特定の用途および設計制約条件に依存する。当業者は、様々な方法を使用して、特定の用途ごとに記載された機能を実装することができるが、その実装形態が本発明の範囲を超えると考えられるべきではない。
【０５７０】
便利で簡潔な説明のために、前述のシステム、装置、およびユニットの詳細な動作プロセスについて、前述の方法実施形態内の対応するプロセスに対して参照を行うことができ、本明細書では詳細は再び記載されないことは、当業者によって明確に理解されよう。
【０５７１】
本出願において提供されたいくつかの実施形態では、開示されたシステム、装置、および方法は他の方式で実装される場合があることを理解されたい。たとえば、記載された装置実施形態は一例にすぎない。たとえば、ユニット分割は論理的な機能分割にすぎず、実際の実装形態では他の分割での場合がある。たとえば、複数のユニットまたは構成要素は組み合わされるか、もしくは別のシステムに統合される場合があり、または、いくつかの特徴は無視されるか、もしくは実施されない場合がある加えて、表示または説明された相互結合または直接結合または通信接続は、いくつかのインターフェースを使用することによって実装される場合がある。装置間またはユニット間の間接結合または通信接続は、電気、機械、または他の形態で実装される場合がある。
【０５７２】
別々の部分として記載されたユニットは、物理的に分かれている場合も、分かれていない場合もあり、ユニットとして表示された部分は、物理ユニットである場合も、そうでない場合もあり、1つの場所に配置される場合があるか、または複数のネットワークユニット上に分散される場合がある。ユニットの一部またはすべては、実施形態の解決策の目的を達成するために、実際の必要に応じて選択される場合がある。
【０５７３】
加えて、本発明の実施形態における機能ユニットは1つの処理ユニットに統合される場合があり、またはユニットの各々は物理的に単独で存在する場合があり、または2つ以上のユニットは1つのユニットに統合される。
【０５７４】
機能がソフトウェア機能ユニットの形態で実装され、独立した製品として販売または使用されるとき、機能はコンピュータ可読記憶媒体に記憶される場合がある。そのような理解に基づいて、本発明の技術的解決策は本質的に、または従来技術に寄与する部分は、または技術的解決策のうちのいくつかは、ソフトウェア製品の形態で実装される場合がある。ソフトウェア製品は、記憶媒体に記憶され、本発明の実施形態に記載された方法のステップのすべてまたは一部を実施するように、（パーソナルコンピュータ、サーバ、またはネットワークデバイスであり得る）コンピュータデバイスに命令するためのいくつかの命令を含む。前述の記憶媒体には、USBフラッシュドライブ、リムーバブルハードディスク、読取り専用メモリ（ROM、Read−Only Memory）、ランダムアクセスメモリ（RAM、Random Access Memory）、磁気ディスク、または光ディスクなどの、プログラムコードを記憶することができる任意の媒体が含まれる。
【０５７５】
前述の説明は、本発明の特定の実装形態にすぎず、本発明の保護範囲を限定するものではない。本発明において開示された技術的範囲内で当業者が容易に考え付くいかなる変形または置換も、本発明の保護範囲内に入るべきである。したがって、本発明の保護範囲は、特許請求の範囲の保護範囲に従うべきである。
【符号の説明】
【０５７６】
1200  制御プレーンゲートウェイ
1201  受信ユニット
1202  選択ユニット
1203  トンネル確立ユニット
1204  送信ユニット
1400  モビリティ管理ネットワーク要素
1401  受信ユニット
1402  選択ユニット
1403  送信ユニット
1500  制御プレーンゲートウェイ
1501  受信ユニット
1502  選択ユニット
1503  送信ユニット
1600  制御プレーンゲートウェイ
1601  送信機
1602  プロセッサ
1603  メモリ
1604  受信機
1605  アンテナ
1606  バス
1700  モビリティ管理ネットワーク要素
1701  送信機
1702  プロセッサ
1703  メモリ
1704  受信機
1705  アンテナ
1706  バス
1800  制御プレーンゲートウェイ
1801  送信機
1802  プロセッサ
1803  メモリ
1804  受信機
1805  アンテナ
1806  バス
【図１】
2020061766.tif 000003
【図２】
2020061766.tif 000004
【図３】
2020061766.tif 000005
【図４】
2020061766.tif 000006
【図５】
2020061766.tif 000007
【図６】
2020061766.tif 000008
【図７】
2020061766.tif 000009
【図８】
2020061766.tif 000010
【図９】
2020061766.tif 000011
【図１０】
2020061766.tif 000012
【図１１】
2020061766.tif 000013
【図１２】
2020061766.tif 000014
【図１３】
2020061766.tif 000015
【図１４】
2020061766.tif 000016
【図１５】
2020061766.tif 000017
【図１６】
2020061766.tif 000018
【図１７】
2020061766.tif 000019
【図１８】
2020061766.tif 000020
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
通信システムであって、
ユーザ機器用のサービングモビリティ管理ネットワーク要素として奉仕するように構成されたモビリティ管理ネットワーク要素と、
前記ユーザ機器のダウンリンクユーザプレーンデータを転送するための転送ユーザプレーンゲートウェイとして奉仕するように構成された第１のユーザプレーンゲートウェイと、
前記モビリティ管理ネットワーク要素および前記第１のユーザプレーンゲートウェイと通信している制御プレーンゲートウェイであって、前記制御プレーンゲートウェイは、前記ユーザ機器用のサービング制御プレーンゲートウェイとして振る舞い、前記制御プレーンゲートウェイは、
前記モビリティ管理ネットワーク要素から、前記ユーザ機器の現在位置情報を受信するステップと、
前記ユーザ機器の前記現在位置情報に従って、前記ユーザ機器用の前記第１のユーザプレーンゲートウェイを選択するステップと、
前記ユーザ機器の前記ダウンリンクユーザプレーンデータを転送するためのデータ転送トンネルを、前記第１のユーザプレーンゲートウェイと共に、確立するステップであって、前記確立するステップは、
前記モビリティ管理ネットワーク要素から、第１の要求を受信するステップであって、前記第１の要求は、ターゲット基地局のルーティング情報を搬送する、ステップと、
第２の要求を、前記第１のユーザプレーンゲートウェイに送信するステップであって、前記第２の要求は、前記ターゲット基地局の前記ルーティング情報を搬送する、ステップと、
第３の要求を、ソースユーザプレーンゲートウェイに送信するステップであって、前記第３の要求は、前記第１のユーザプレーンゲートウェイのルーティング情報を搬送する、ステップと
を実行することによって実行される、ステップと
を実行するように構成された、制御プレーンゲートウェイと
を備える通信システム。
【請求項２】
前記モビリティ管理ネットワーク要素は、前記ユーザ機器の前記現在位置情報を、前記制御プレーンゲートウェイに送信するように構成される、請求項１に記載の通信システム。
【請求項３】
前記制御プレーンゲートウェイは、前記ユーザ機器に奉仕する前記ソースユーザプレーンゲートウェイのサービス範囲から前記ユーザ機器が移動した、ということを、前記ユーザ機器の前記現在位置情報に従って、判定するように更に構成される、請求項１または２に記載の通信システム。
【請求項４】
前記ユーザ機器の前記現在位置情報は、追跡領域識別情報(TAI)備える、請求項１から３のいずれか一項に記載の通信システム。
【請求項５】
前記ユーザ機器の前記現在位置情報は、サービング基地局情報を備える、請求項１から３のいずれか一項に記載の通信システム。
【請求項６】
前記制御プレーンゲートウェイは、前記ユーザ機器用のターゲットユーザプレーンゲートウェイに、セッション作成要求を送信するように更に構成され、前記セッション作成要求は、前記ユーザ機器用の前記ターゲットユーザプレーンゲートウェイ上に、ユーザプレーンデータ伝送用のベアラコンテキストを作成するために使用され、各々の作成されたベアラコンテキストは、前記ターゲットユーザプレーンゲートウェイのルーティング情報を備え、前記ターゲットユーザプレーンゲートウェイは、前記現在位置情報に関連付けられた位置領域に対応するサービングユーザプレーンゲートウェイであり、前記ターゲットユーザプレーンゲートウェイは、前記セッション作成要求をを受信するように構成される、請求項１から３のいずれか一項に記載の通信システム。
【請求項７】
前記ターゲットユーザプレーンゲートウェイは、前記第１のユーザプレーンゲートウェイである、請求項６に記載の通信システム。
【請求項８】
前記ターゲットユーザプレーンゲートウェイは、前記第１のユーザプレーンゲートウェイとは異なる、請求項６に記載の通信システム。
【請求項９】
前記ターゲット基地局を更に備え、前記制御プレーンゲートウェイは、前記ターゲットユーザプレーンゲートウェイの前記ルーティング情報を、前記ターゲット基地局に、前記モビリティ管理ネットワーク要素を介して送信するように更に構成され、前記ターゲット基地局は、前記ターゲットユーザプレーンゲートウェイの前記ルーティング情報を、前記モビリティ管理ネットワーク要素を介して受信するように更に構成される、請求項６に記載の通信システム。
【請求項１０】
前記ターゲット基地局を更に備え、前記制御プレーンゲートウェイは、前記第１のユーザプレーンゲートウェイのルーティング情報を、前記ターゲット基地局に、前記モビリティ管理ネットワーク要素を介して送信するように更に構成され、前記ターゲット基地局は、前記第１のユーザプレーンゲートウェイの前記ルーティング情報を、前記モビリティ管理ネットワーク要素を介して受信するように更に構成される、請求項１から３のいずれか一項に記載の通信システム。
【請求項１１】
前記第１のユーザプレーンゲートウェイは、前記ユーザ機器の前記現在位置情報に従って前記ユーザ機器用の前記制御プレーンゲートウェイによって選択されたサービングユーザプレーンゲートウェイである、請求項１から３のいずれか一項に記載の通信システム。
【請求項１２】
通信方法であって、
モビリティ管理ネットワーク要素から、ユーザ機器の現在位置情報を、制御プレーンゲートウェイによって、受信するステップであって、前記制御プレーンゲートウェイは、前記ユーザ機器用のサービング制御プレーンゲートウェイであり、前記モビリティ管理ネットワーク要素は、前記ユーザ機器用のサービングモビリティ管理ネットワーク要素として奉仕する、ステップと、
前記ユーザ機器の前記現在位置情報に従って、前記ユーザ機器用の第１のユーザプレーンゲートウェイを、前記制御プレーンゲートウェイによって、選択するステップであって、前記第１のユーザプレーンゲートウェイは、前記ユーザ機器のダウンリンクユーザプレーンデータを転送するためのものである、ステップと、
前記ユーザ機器の前記ダウンリンクユーザプレーンデータを転送するためのデータ転送トンネルを、前記第１のユーザプレーンゲートウェイと共に、前記制御プレーンゲートウェイによって、確立するステップであって、前記確立するステップは、
前記モビリティ管理ネットワーク要素から、第１の要求を、前記制御プレーンゲートウェイによって、受信するステップであって、前記第１の要求は、ターゲット基地局のルーティング情報を搬送する、ステップと、
第２の要求を、前記第１のユーザプレーンゲートウェイに、前記制御プレーンゲートウェイによって、送信するステップであって、前記第２の要求は、前記ターゲット基地局の前記ルーティング情報を搬送する、ステップと、
前記第２の要求を、前記第１のユーザプレーンゲートウェイによって、受信するステップと、
第３の要求を、ソースユーザプレーンゲートウェイに、前記制御プレーンゲートウェイによって、送信するステップであって、前記第３の要求は、前記第１のユーザプレーンゲートウェイのルーティング情報を搬送する、ステップと
を実行することによって実行される、ステップと
を備える通信方法。
【請求項１３】
前記ユーザ機器の前記現在位置情報を、前記制御プレーンゲートウェイに、前記モビリティ管理ネットワーク要素によって、送信するステップ
を更に備える、請求項１２に記載の通信方法。
【請求項１４】
前記ユーザ機器に奉仕する前記ソースユーザプレーンゲートウェイのサービス範囲から前記ユーザ機器が移動した、ということを、前記ユーザ機器の前記現在位置情報に従って、前記制御プレーンゲートウェイによって、判定するステップ
を更に備える、請求項１２または１３に記載の通信方法。
【請求項１５】
前記ユーザ機器の前記現在位置情報は、追跡領域識別情報(TAI)を備える、請求項１２から１４のいずれか一項に記載の通信方法。
【請求項１６】
前記ユーザ機器の前記現在位置情報は、サービング基地局情報を備える、請求項１２から１４のいずれか一項に記載の通信方法。
【請求項１７】
前記ユーザ機器用のターゲットユーザプレーンゲートウェイに、セッション作成要求を、前記制御プレーンゲートウェイによって、送信するステップであって、前記セッション作成要求は、前記ユーザ機器用の前記ターゲットユーザプレーンゲートウェイ上に、ユーザプレーンデータ伝送用のベアラコンテキストを作成するために使用され、各々の作成されたベアラコンテキストは、前記ターゲットユーザプレーンゲートウェイのルーティング情報を備え、前記ターゲットユーザプレーンゲートウェイは、前記現在位置情報に関連付けられた位置領域に対応するサービングユーザプレーンゲートウェイである、ステップと、
前記セッション作成要求を、前記ターゲットユーザプレーンゲートウェイによって、受信するステップと
を更に備える請求項１２から１４のいずれか一項に記載の通信方法。
【請求項１８】
前記ターゲットユーザプレーンゲートウェイは、前記第１のユーザプレーンゲートウェイである、請求項１７に記載の通信方法。
【請求項１９】
前記ターゲットユーザプレーンゲートウェイは、前記第１のユーザプレーンゲートウェイとは異なる、請求項１７に記載の通信方法。
【請求項２０】
前記ターゲットユーザプレーンゲートウェイの前記ルーティング情報を、前記ターゲット基地局に、前記モビリティ管理ネットワーク要素を介して、前記制御プレーンゲートウェイによって、送信するステップと、
前記ターゲットユーザプレーンゲートウェイの前記ルーティング情報を、前記モビリティ管理ネットワーク要素を介して、前記ターゲット基地局によって、受信するステップと
を更に備える請求項１７に記載の通信方法。
【請求項２１】
前記第１のユーザプレーンゲートウェイのルーティング情報を、前記ターゲット基地局に、前記モビリティ管理ネットワーク要素を介して、前記制御プレーンゲートウェイによって、送信するステップと、
前記第１のユーザプレーンゲートウェイの前記ルーティング情報を、前記モビリティ管理ネットワーク要素を介して、前記ターゲット基地局によって、受信するステップと
を更に備える請求項１２から１４のいずれか一項に記載の通信方法。
【請求項２２】
通信システムであって、
ユーザ機器用のサービングモビリティ管理ネットワーク要素として奉仕するように構成されたモビリティ管理ネットワーク要素と、
第２のユーザプレーンゲートウェイおよび第３のユーザプレーンゲートウェイを備える少なくとも１つの転送ユーザプレーンゲートウェイと、
前記モビリティ管理ネットワーク要素および前記少なくとも１つの転送ユーザプレーンゲートウェイと通信している制御プレーンゲートウェイであって、前記制御プレーンゲートウェイは、前記ユーザ機器用のサービング制御プレーンゲートウェイであり、前記制御プレーンゲートウェイは、
前記モビリティ管理ネットワーク要素から、前記ユーザ機器の現在位置情報を受信するステップと、
前記ユーザ機器の前記現在位置情報に従って、前記ユーザ機器用の前記少なくとも１つの転送ユーザプレーンゲートウェイを選択するステップと、
前記ユーザ機器のダウンリンクユーザプレーンデータを伝送するためのデータ転送トンネルを、前記少なくとも１つの転送ユーザプレーンゲートウェイと共に、確立するステップであって、前記確立するステップは、
前記モビリティ管理ネットワーク要素から、第１の要求を受信するステップであって、前記第１の要求は、ターゲット基地局のルーティング情報を搬送する、ステップと、
第２の要求を、前記第２のユーザプレーンゲートウェイに送信するステップであって、前記第２の要求は、前記ターゲット基地局の前記ルーティング情報を搬送する、ステップと、
第３の要求を、前記第３のユーザプレーンゲートウェイに送信するステップであって、前記第３の要求は、前記第２のユーザプレーンゲートウェイのルーティング情報を搬送する、ステップと
第４の要求を、ソースユーザプレーンゲートウェイに送信するステップであって、前記第４の要求は、前記第３のユーザプレーンゲートウェイのルーティング情報を搬送する、ステップと
を実行することによって実行される、ステップと
を実行するように構成された、制御プレーンゲートウェイと
を備える通信システム。
【請求項２３】
前記ターゲット基地局を更に備え、前記制御プレーンゲートウェイは、前記第２のユーザプレーンゲートウェイのルーティング情報を、前記ターゲット基地局に、前記モビリティ管理ネットワーク要素を介して送信するように更に構成され、前記ターゲット基地局は、前記第２のユーザプレーンゲートウェイの前記ルーティング情報を、前記モビリティ管理ネットワーク要素を介して受信するように更に構成される、請求項２２に記載の通信システム。
【請求項２４】
前記ユーザ機器の前記現在位置情報は、追跡領域識別情報(TAI)を備える、請求項２２または２３に記載の通信システム。
【請求項２５】
前記ユーザ機器の前記現在位置情報は、サービング基地局情報を備える、請求項２２から２４のいずれか一項に記載の通信システム。
【請求項２６】
前記制御プレーンゲートウェイは、前記ユーザ機器用のターゲットユーザプレーンゲートウェイに、セッション作成要求を送信するように更に構成され、前記セッション作成要求は、前記ユーザ機器用の前記ターゲットユーザプレーンゲートウェイ上に、ユーザプレーンデータ伝送用のベアラコンテキストを作成するために使用され、各々の作成されたベアラコンテキストは、前記ターゲットユーザプレーンゲートウェイのルーティング情報を備え、前記ターゲットユーザプレーンゲートウェイは、前記現在位置情報に関連付けられた位置領域に対応するサービングユーザプレーンゲートウェイであり、前記ターゲットユーザプレーンゲートウェイは、前記セッション作成要求を受信するように構成される、請求項２２から２４のいずれか一項に記載の通信システム。
【請求項２７】
前記ターゲットユーザプレーンゲートウェイは、前記第２のユーザプレーンゲートウェイまたは前記第３のユーザプレーンゲートウェイである、請求項２６に記載の通信システム。
【請求項２８】
前記ターゲットユーザプレーンゲートウェイは、前記第２のユーザプレーンゲートウェイとは異なり、または、前記第３のユーザプレーンゲートウェイとは異なる、請求項２６に記載の通信システム。
【請求項２９】
通信方法であって、
モビリティ管理ネットワーク要素から、ユーザ機器の現在位置情報を、制御プレーンゲートウェイによって、受信するステップであって、前記制御プレーンゲートウェイは、前記ユーザ機器用のサービング制御プレーンゲートウェイであり、前記モビリティ管理ネットワーク要素は、前記ユーザ機器用のサービングモビリティ管理ネットワーク要素として奉仕する、ステップと、
前記ユーザ機器の前記現在位置情報に従って、前記ユーザ機器用の少なくとも１つの転送ユーザプレーンゲートウェイを、前記制御プレーンゲートウェイによって、選択するステップであって、前記少なくとも１つの転送ユーザプレーンゲートウェイは、第２のユーザプレーンゲートウェイおよび第３のユーザプレーンゲートウェイを備える、ステップと、
前記ユーザ機器のダウンリンクユーザプレーンデータを伝送するためのデータ転送トンネルを、前記少なくとも１つの転送ユーザプレーンゲートウェイと共に、前記制御プレーンゲートウェイによって、確立するステップであって、前記確立するステップは、
前記モビリティ管理ネットワーク要素から、第１の要求を、前記制御プレーンゲートウェイによって、受信するステップであって、前記第１の要求は、前記ユーザ機器のターゲット基地局のルーティング情報を搬送する、ステップと、
第２の要求を、前記第２のユーザプレーンゲートウェイに、前記制御プレーンゲートウェイによって、送信するステップであって、前記第２の要求は、前記ターゲット基地局の前記ルーティング情報を搬送する、ステップと、
前記第２の要求を、前記第２のユーザプレーンゲートウェイによって、受信するステップと、
第３の要求を、前記第３のユーザプレーンゲートウェイに、前記制御プレーンゲートウェイによって、送信するステップであって、前記第３の要求は、前記第２のユーザプレーンゲートウェイのルーティング情報を搬送する、ステップと
前記第３の要求を、前記第３のユーザプレーンゲートウェイによって、受信するステップと、
第４の要求を、ソースユーザプレーンゲートウェイに、前記制御プレーンゲートウェイによって、送信するステップであって、前記第４の要求は、前記第３のユーザプレーンゲートウェイのルーティング情報を搬送する、ステップと
を実行することによって実行される、ステップと
を備える通信方法。
【請求項３０】
前記第２のユーザプレーンゲートウェイは、前記ユーザ機器の前記現在位置情報に従って前記ユーザ機器用の前記制御プレーンゲートウェイによって選択されたサービングユーザプレーンゲートウェイである、請求項２９に記載の通信方法。
【請求項３１】
前記第２のユーザプレーンゲートウェイのルーティング情報を、前記ターゲット基地局に、前記モビリティ管理ネットワーク要素を介して、前記制御プレーンゲートウェイによって、送信するステップと、
前記第２のユーザプレーンゲートウェイの前記ルーティング情報を、前記モビリティ管理ネットワーク要素を介して、前記ターゲット基地局によって、受信するステップと
を更に備える、請求項２９または３０に記載の通信方法。
【請求項３２】
前記ユーザ機器の前記現在位置情報は、追跡領域識別情報(TAI)を備える、請求項２９から３１のいずれか一項に記載の通信方法。
【請求項３３】
前記ユーザ機器用のターゲットユーザプレーンゲートウェイに、セッション作成要求を、前記制御プレーンゲートウェイによって、送信するステップであって、前記セッション作成要求は、前記ユーザ機器用の前記ターゲットユーザプレーンゲートウェイ上に、ユーザプレーンデータ伝送用のベアラコンテキストを作成するために使用され、各々の作成されたベアラコンテキストは、前記ターゲットユーザプレーンゲートウェイのルーティング情報を備え、前記ターゲットユーザプレーンゲートウェイは、前記現在位置情報に関連付けられた位置領域に対応するサービングユーザプレーンゲートウェイである、ステップと、
前記セッション作成要求を、前記ターゲットユーザプレーンゲートウェイによって、受信するステップと
を更に備える請求項２９から３１のいずれか一項に記載の通信方法。
【請求項３４】
前記ターゲットユーザプレーンゲートウェイは、前記第２のユーザプレーンゲートウェイまたは前記第３のユーザプレーンゲートウェイである、請求項３３に記載の通信方法。
【請求項３５】
前記ターゲットユーザプレーンゲートウェイは、前記第２のユーザプレーンゲートウェイとは異なり、または、前記第３のユーザプレーンゲートウェイとは異なる、請求項３３に記載の通信方法。
【請求項３６】
メモリと、プロセッサと、受信機と、送信機とを備える制御プレーンゲートウェイであって、
前記メモリが、プログラムを記憶し、前記プロセッサにデータおよび命令を供給するように構成され、
前記プロセッサは、前記メモリに記憶された前記プログラムを実行するように構成され、具体的には、以下の動作：
モビリティ管理ネットワーク要素から、ユーザ機器の現在位置情報を、前記受信機を使用して、受信するステップと、
前記ユーザ機器の前記現在位置情報に従って、前記ユーザ機器用の第１のユーザプレーンゲートウェイを選択するステップと、
データ転送トンネルを確立するために、前記モビリティ管理ネットワーク要素から、第１の要求を、前記受信機を使用して、受信するステップであって、前記第１の要求は、ターゲット基地局のルーティング情報を搬送する、ステップと、
前記データ転送トンネルを確立するために、第２の要求を、前記第１のユーザプレーンゲートウェイに、前記送信機を使用して、送信するステップであって、前記第２の要求は、前記ターゲット基地局の前記ルーティング情報を搬送する、ステップと、
前記データ転送トンネルを確立するために、第３の要求を、ソースユーザプレーンゲートウェイに、前記送信機を使用して、送信するステップであって、前記第３の要求は、前記第１のユーザプレーンゲートウェイのルーティング情報を搬送し、前記データ転送トンネルは、前記ユーザ機器のダウンリンクユーザプレーンデータを伝送するためのものであり、前記データ転送トンネルは、前記ソースユーザプレーンゲートウェイと前記第１のユーザプレーンゲートウェイと前記ターゲット基地局とを通して通じる、ステップと
を実行するように構成される、制御プレーンゲートウェイ。
【請求項３７】
前記制御プレーンゲートウェイは、前記ユーザ機器用のサービング制御プレーンゲートウェイであり、前記モビリティ管理ネットワーク要素は、前記現在位置情報に関連付けられた位置領域へ前記ユーザ機器が移動された後の、前記ユーザ機器用のサービングモビリティ管理ネットワーク要素である、請求項３６に記載の制御プレーンゲートウェイ。
【請求項３８】
前記プロセッサは、前記ターゲット基地局に、前記モビリティ管理ネットワーク要素を介して、前記第１のユーザプレーンゲートウェイの前記ルーティング情報を送信するように更に構成される、請求項３６または３７に記載の制御プレーンゲートウェイ。
【請求項３９】
前記第２の要求は、前記ソースユーザプレーンゲートウェイのルーティング情報を更に搬送する、請求項３６または３７に記載の制御プレーンゲートウェイ。
【請求項４０】
前記ユーザ機器の前記現在位置情報は、追跡領域識別情報(TAI)を備える、請求項３６または３７に記載の制御プレーンゲートウェイ。
【外国語明細書】
2020061766000001.pdf